(57)【要約】【課題】体感器を利用した「止め打ち」などの不正行為を検出して、その不正行為の排除を確実に行うことを可能にすることで、遊技場側の不利益を最小限に抑えることが可能な遊技台稼働監視装置の提供【解決手段】アウト玉計数器１２１によって、遊技台１２０で遊技するために利用された遊技玉が遊技台１２０毎に検出され、１分間当たりに遊技台１２０から排出されたアウト玉数の値（１分間アウト計数値）が計数される（Ｓ１０）。そして、１分間アウト計数値が、０より大きく且つ不十分稼働判定値Ｋ５１（例えば８０）未満である場合に（Ｓ２０：ＮＯ、Ｓ７０：ＹＥＳ）、この遊技台１２０が不十分稼働状態であると判断され、更に、不十分稼働状態であると連続して判断された回数が不十分稼働連続確定値Ｋ５２（例えば４）以上となった場合に（Ｓ１００：ＹＥＳ）、この遊技台１２０が不十分稼働連続状態である旨が報知される（Ｓ１２０）。【選択図】図１２
2008113826.tif 000002
【特許請求の範囲】
【請求項１】
単位時間当たり遊技に利用可能な遊技玉の数が最大遊技玉数である遊技台の稼働状態を監視する遊技台稼働監視装置であって、
上記遊技台で遊技するために利用された遊技玉を上記遊技台毎に検出する遊技玉検出手段と、
上記単位時間当たりに上記遊技玉検出手段によって検出された上記遊技玉の数を計数する単位時間当たり計数手段と、
上記単位時間当たり計数手段によって計数された上記単位時間当たりの上記遊技玉の数が、非稼働判定値以上であり、且つ該非稼働判定値より大きく上記最大遊技玉数よりも小さい稼働判定値未満である場合に、上記遊技台が不十分稼働状態であると判断する不十分稼働判断手段と、
上記不十分稼働判断手段によって判断された上記不十分稼働状態の連続回数が、不十分稼働報知値を越えた場合に、上記遊技台が不十分稼働連続状態である旨を報知する不十分稼働連続状態報知手段と
を備えることを特徴とする遊技台稼働監視装置。
【請求項２】
上記単位時間当たり計数手段によって計数された上記単位時間当たりの上記遊技玉の数が上記非稼働判定値未満である場合に、上記遊技台が非稼働状態であると判断する非稼働判断手段と、
上記非稼働判断手段によって上記非稼働状態であると判断された場合に、上記遊技台が上記非稼働状態である旨を報知する非稼働状態報知手段と
を備えることを特徴とする請求項１に記載の遊技台稼働監視装置。
【請求項３】
上記単位時間当たり計数手段によって計数された上記単位時間当たりの上記遊技玉の数が上記稼働判定値以上である場合に、上記遊技台が稼働状態であると判断する稼働判断手段と、
上記稼働判断手段によって上記稼働状態であると判断された場合に、上記遊技台が上記稼働状態である旨を報知する稼働状態報知手段と
を備えることを特徴とする請求項１または請求項２に記載の遊技台稼働監視装置。
【請求項４】
上記不十分稼働連続状態報知手段によって上記遊技台が上記不十分稼働連続状態である旨が報知され、且つ、上記遊技台が特賞状態である場合に、上記遊技台の遊技位置を撮像する撮像手段を備える
ことを特徴とする請求項１から請求項３の何れかに記載の遊技台稼働監視装置。
【請求項５】
外部操作によって、上記稼働判定値を設定する設定情報を上記遊技台の機種毎に入力する設定入力手段と、
上記設定入力手段から上記設定情報が入力されると、該設定情報に応じて上記稼働判定値を設定する稼働判定値設定手段と
を備えることを特徴とする請求項１から請求項４の何れかに記載の遊技台稼働監視装置。
【請求項６】
上記不十分稼働連続状態報知手段によって上記遊技台が上記不十分稼働連続状態である旨が報知された不十分稼働報知回数を、該遊技台の機種毎に計数する不十分稼働報知計数手段と、
上記不十分稼働報知計数手段によって計数された上記不十分稼働報知回数が不適切報知値を越えた場合に、上記遊技台の機種において上記稼働判定値の設定が不適切である旨を報知する不適切設定報知手段と
を備えることを特徴とする請求項５に記載の遊技台稼働監視装置。
【発明の詳細な説明】
【技術分野】
【０００１】
本発明は、遊技台の稼働・非稼働を監視する遊技台稼働監視装置に関する。
【背景技術】
【０００２】
パチンコ機やスロット機等の遊技台が設置された遊技場においては、遊技台の上方に遊技台毎に呼出ランプが設置されており、従来より、この呼出ランプの点灯状態によって、対応する遊技台が稼働状態であるか非稼働状態であるかを報知するようにしたものが知られている（例えば、特許文献１を参照。）。上述の報知を行うには、遊技台が稼働状態であるか非稼働状態であるかを検出する必要があるが、この検出方法として、遊技玉が発射されていれば稼働状態とし、遊技玉が発射されていなければ非稼働状態とするものが知られている（例えば、特許文献２を参照。）。
【０００３】
ところで、一定の周期で振動を発生する体感器を用いて一定間隔で遊技玉を発射することにより、始動入賞口に遊技玉が入賞するタイミングと大当たりが発生するタイミングとを同期させ、大当りを引き当て易くする、いわゆる「止め打ち」という不正行為が知られている。「止め打ち」は、正しく遊技を行っている場合と比較して、単位時間当たりに発射される遊技玉の数が少なくなる。例えば、普通に遊技をしている場合には１分間に約１００個の遊技玉が発射されて、遊技台は十分な稼働状態にあるが、「止め打ち」をしている場合には１分間に例えば５０個程度の遊技玉しか発射されない状態が継続され、遊技台は不十分な稼働状態にある。
【０００４】
このような「止め打ち」は少ない投資で大当りを引き当て易くする行為であるため、遊技場側に損失をもたらすとともに、「止め打ち」を行う遊技者と正しく遊技を行う遊技者との間で公平を失するという結果となる。このため、遊技場側としては、「止め打ち」を発見して防止する必要がある。
【特許文献１】特開２００２−１１３２４５号公報
【特許文献２】特開２００３−１７５２５３号公報（段落［００２４］）
【発明の開示】
【発明が解決しようとする課題】
【０００５】
しかしながら、特許文献２に記載の技術では、遊技玉が発射されていれば稼働状態であるとして検出するため、十分な稼働状態と、不十分な稼働状態とを区別することができず、不正行為である「止め打ち」を検出できないという問題があった。
【０００６】
また、不正行為ではないのに１分間に例えば５０個程度の遊技玉しか発射されなくなる行為（例えば、玉貸し装置から遊技玉を借りるために遊技玉の発射を休止したり、大当りの信頼度が高いリーチを鑑賞しようとして玉発射を休止したりする行為）はよく行われており、ただ単に、単位時間当たりに発射される遊技玉数を計数するだけでは、不正行為である「止め打ち」のみを検出することができないという問題があった。
【０００７】
本発明は、こうした問題に鑑みなされたものであり、体感器を利用した「止め打ち」などの不正行為を検出して、その不正行為の排除を確実に行うことを可能にすることで、遊技場側の不利益を最小限に抑えることが可能な遊技台稼働監視装置の提供を目的とする。
【課題を解決するための手段】
【０００８】
上記課題を解決するための手段として、請求項１の発明の遊技台稼働監視装置は、単位時間当たり遊技に利用可能な遊技玉の数が最大遊技玉数である遊技台の稼働状態を監視す
る遊技台稼働監視装置であって、上記遊技台で遊技するために利用された遊技玉を上記遊技台毎に検出する遊技玉検出手段と、単位時間当たりに上記遊技玉検出手段によって検出された上記遊技玉の数を計数する単位時間当たり計数手段と、上記単位時間当たり計数手段によって計数された上記単位時間当たりの上記遊技玉の数が、非稼働判定値以上であり、且つ該非稼働判定値より大きく上記最大遊技玉数よりも小さい稼働判定値未満である場合に、上記遊技台が不十分稼働状態であると判断する不十分稼働判断手段と、上記不十分稼働判断手段によって判断された上記不十分稼働状態の連続回数が、不十分稼働報知値を越えた場合に、上記遊技台が不十分稼働連続状態である旨を報知する不十分稼働連続状態報知手段とを備えることを要旨とする。
【０００９】
このように構成された請求項１の遊技台稼働監視装置は、遊技玉検出手段によって、遊技台で遊技するために利用された遊技玉が遊技台毎に検出され、単位時間当たり計数手段によって、単位時間当たりに遊技玉検出手段によって検出された遊技玉の数が計数される。
【００１０】
そして、不十分稼働判断手段によって、単位時間当たり計数手段により計数された単位時間当たりの遊技玉の数が、非稼働判定値以上であり、且つ非稼働判定値より大きく最大遊技玉数よりも小さい稼働判定値未満である場合に、この遊技台が不十分稼働状態であると判断され、更に、不十分稼働連続状態報知手段によって、不十分稼働判断手段により判断された不十分稼働状態の連続回数が、不十分稼働報知値を越えた場合に、この遊技台が不十分稼働連続状態である旨が報知される。
【００１１】
従って、不十分稼働状態であると判断される状態が連続して繰り返された場合に、不十分稼働連続状態である旨の報知が行われる。
請求項２の発明の遊技台稼働監視装置は、上記単位時間当たり計数手段によって計数された上記単位時間当たりの上記遊技玉の数が上記非稼働判定値未満である場合に、上記遊技台が非稼働状態であると判断する非稼働判断手段と、上記非稼働判断手段によって上記非稼働状態であると判断された場合に、上記遊技台が上記非稼働状態である旨を報知する非稼働状態報知手段とを備えることを特徴とする請求項１に記載の遊技台稼働監視装置を要旨とする。
【００１２】
このように構成された請求項２の遊技台稼働監視装置は、請求項１の作用に加え、単位時間当たり計数手段によって計数された単位時間当たりの遊技玉の数が非稼働判定値未満である場合に、非稼働判断手段によって、この遊技台が非稼働状態であると判断され、非稼働状態報知手段によって、この遊技台が非稼働状態である旨が報知される。
【００１３】
請求項３の発明の遊技台稼働監視装置は、上記単位時間当たり計数手段によって計数された上記単位時間当たりの上記遊技玉の数が上記稼働判定値以上である場合に、上記遊技台が稼働状態であると判断する稼働判断手段と、上記稼働判断手段によって上記稼働状態であると判断された場合に、上記遊技台が上記稼働状態である旨を報知する稼働状態報知手段とを備えることを特徴とする請求項１または請求項２に記載の遊技台稼働監視装置を要旨とする。
【００１４】
このように構成された請求項３の遊技台稼働監視装置は、請求項１または請求項２の作用に加え、単位時間当たり計数手段によって計数された単位時間当たりの遊技玉の数が上記稼働判定値以上である場合に、稼働判断手段によって、この遊技台が稼働状態であると判断され、稼働状態報知手段によって、この遊技台が稼働状態である旨が報知される。
【００１５】
請求項４の発明の遊技台稼働監視装置は、上記不十分稼働連続状態報知手段によって上
記遊技台が上記不十分稼働連続状態である旨が報知され、且つ、上記遊技台が特賞状態である場合に、上記遊技台の遊技位置を撮像する撮像手段を備えることを特徴とする請求項１から請求項３の何れかに記載の遊技台稼働監視装置を要旨とする。
【００１６】
このように構成された請求項４の遊技台稼働監視装置は、請求項１から請求項３の何れかの作用に加え、不十分稼働連続状態報知手段によって遊技台が不十分稼働連続状態である旨が報知され、且つ、遊技台が特賞状態である場合に、撮像手段によって、この遊技台の遊技位置が撮像される。
【００１７】
従って、不十分稼働連続状態の遊技台で遊技する遊技者を撮像することができる。
請求項５の発明の遊技台稼働監視装置は、外部操作によって、上記稼働判定値を設定する設定情報を上記遊技台の機種毎に入力する設定入力手段と、上記設定入力手段から上記設定情報が入力されると、該設定情報に応じて上記稼働判定値を設定する稼働判定値設定手段とを備えることを特徴とする請求項１から請求項４の何れかに記載の遊技台稼働監視装置を要旨とする。
【００１８】
このように構成された請求項５の遊技台稼働監視装置は、請求項１から請求項４の何れかの作用に加え、設定入力手段によって、稼働判定値を設定する設定情報が外部操作により遊技台の機種毎に入力され、更に、稼働判定値設定手段によって、設定入力手段から入力された設定情報に応じて稼働判定値が設定される。
【００１９】
従って、外部操作により稼働判定値を変更することが可能になる。
請求項６の発明の遊技台稼働監視装置は、上記不十分稼働連続状態報知手段によって上記遊技台が上記不十分稼働連続状態である旨が報知された不十分稼働報知回数を、該遊技台の機種毎に計数する不十分稼働報知計数手段と、上記不十分稼働報知計数手段によって計数された上記不十分稼働報知回数が不適切報知値を越えた場合に、上記遊技台の機種において上記稼働判定値の設定が不適切である旨を報知する不適切設定報知手段とを備えることを特徴とする請求項５に記載の遊技台稼働監視装置を要旨とする。
【００２０】
このように構成された請求項６の遊技台稼働監視装置は、請求項５の作用に加え、不十分稼働報知計数手段によって、不十分稼働連続状態報知手段によって遊技台が不十分稼働連続状態である旨が報知された不十分稼働報知回数が機種毎に計数され、更に、この不十分稼働報知回数が不適切報知値を越えた場合に、不適切設定報知手段によって、この遊技台の機種において稼働判定値の設定が不適切である旨が報知される。
【００２１】
従って、稼働判定値の設定が不適切であるかを機種毎に確認することが可能になる。
【発明の効果】
【００２２】
請求項１の発明の遊技台稼働監視装置は、不十分稼働判断手段により判断された不十分稼働状態の連続回数が、不十分稼働報知値を越えた場合に、この遊技台が不十分稼働連続状態である旨を報知することができる。
【００２３】
このため、不正行為ではないのに一時的に単位時間当たりの遊技玉の数が非稼働判定値以上であり且つ稼働判定値未満となってしまう行為（例えば、玉貸し装置から遊技玉を借りるために一時的に遊技玉の発射を休止したり、大当りの信頼度が高いリーチを鑑賞しようとして玉発射を休止したりする行為）が行われたとしても、この行為に起因して不十分稼働判断手段によって不十分稼働状態であると判断される連続回数より不十分稼働報知値を大きく設定すれば、確実に、体感器を利用した「止め打ち」などの不正行為を検出する
ことができる。なぜならば、「止め打ち」は、一時的ではなく継続的に、単位時間当たりに発射される遊技玉の数を少なくする行為であるからである。
【００２４】
そして、例えば、遊技場の店員に対して報知するようにすれば、この報知によって、遊技場の店員は、連続して不十分稼働状態（不十分稼働連続状態）になっている遊技台を知ることができる。これにより、店員がこの遊技台の稼働状態を確認して、この遊技台で遊技している者が実際に体感器を利用した「止め打ち」などの不正行為を行っているときには、遊技を禁止させることができる。或いは、遊技場内の遊技者に対して報知するようにすれば、体感器を利用した「止め打ち」などの不正行為をしても直ぐに見つかってしまうことを遊技者に認識させることができ、「止め打ち」が行われること自体を抑止することができる。
【００２５】
従って、体感器を利用した「止め打ち」などの不正行為を検出して、その不正行為の排除を確実に行うことを可能にすることで、遊技場側の不利益を最小限に抑えることができるという極めて優れた効果を奏する。
【００２６】
請求項２の発明の遊技台稼働監視装置は、請求項１の効果に加え、非稼働状態にある遊技台を知らせることが可能になる。従って、例えば、遊技場内の遊技者に報知するようにすれば、遊技者は、遊技場内を歩き回ることなく容易に、非稼働状態にある遊技台を探すことができる。
【００２７】
請求項３の発明の遊技台稼働監視装置は、請求項１または請求項２の効果に加え、稼働状態にある遊技台を知らせることが可能になる。従って、例えば、遊技場内の遊技者に報知するようにすれば、遊技者は、稼働状態にある遊技台を除外することにより、遊技場を歩き回ることなく容易に非稼働状態にある遊技台を探すことができる。
【００２８】
請求項４の発明の遊技台稼働監視装置は、請求項１から請求項３の何れかの効果に加え、継続して不十分稼働状態なっており且つ特賞状態になっている遊技台で遊技している遊技者を撮像することができる。これにより、体感器を利用した「止め打ち」などの不正行為を行っている遊技者が誰であるかを特定するための情報を取得することができるという極めて優れた効果を奏する。更に、撮像を行う条件として、連続して不十分稼働状態（不十分稼働連続状態）になっていることだけでなく、特賞状態になっていることを追加しているため、撮像手段が頻繁に撮像を行うことを抑制できる。
【００２９】
請求項５の発明の遊技台稼働監視装置は、請求項１から請求項４の何れかの効果に加え、遊技台の機種毎に適切な稼働判定値を設定することが可能になる。これにより、リーチ演出が多発する機種の遊技台においてリーチ演出が連続することで、体感器を利用した「止め打ち」などの不正行為を行っていないのにもかかわらず不十分稼働状態を不十分稼働報知値に相当する回数連続して検出してしまうという誤検出が頻発したとしても、この機種の遊技台についてのみ稼働判定値を小さく設定することによって、上記の誤検出を解消することができるという極めて優れた効果を奏する。
【００３０】
請求項６の発明の遊技台稼働監視装置は、請求項５の効果に加え、上記の誤検出が頻発して不十分稼働報知回数が不適切報知値を越えた時点で稼働判定値の設定が不適切である旨が報知されるので、稼働判定値を早急に適切な値に設定することが可能になり、稼働判定値の設定が不適切である状態が長時間継続することを抑制できる。また、稼働判定値の設定が不適切である旨の報知があった後に稼働判定値を小さく設定することによって上記の誤検出を解消し、より確実に、不十分稼働連続状態（体感器を利用した「止め打ち」などの不正行為）を検出することができるという極めて優れた効果を奏する。
【発明を実施するための最良の形態】
【００３１】
以下に本発明の実施形態について図面をもとに説明する。
図１は本発明が適用された遊技台稼働監視システム１の全体構成を示すブロック図、図２は、遊技機島１００内における還元機２００、玉通路シャッター２１０等の配置を説明する図である。
【００３２】
遊技台稼働監視システム１は、図１に示すように、複数の遊技台１２０が一列に並んで設置された遊技台島１００を複数備えた遊技場で使用される。尚、図１では、遊技台島１００は、１台だけ示し、遊技台１２０は、２台だけ示す。
【００３３】
遊技機島１００には、遊技機島１００における長手方向の中央に設置され（図２参照）、遊技台１２０から回収した遊技玉を遊技機島１００の上部へ揚送する還元機２００と、遊技台１２０から回収した遊技玉を貯留する貯留タンク２７０（図２参照）から還元機２００への遊技玉の流れを必要に応じて止める玉通路シャッター２１０と、還元機２００により揚送された遊技玉を各遊技台１２０に補給するために還元機２００から遊技機島１００の端部に向けて下方に傾斜した補給樋２５０（図２参照）上を流下する遊技玉に付着した湿気を除去するために、その補給樋２５０を暖めるヒータ２２０と、その補給樋２５０の下流側端部に設置され（図２参照）、この補給樋２５０上で滞留している遊技玉を抜き取るための玉抜きストッパー２３０と、還元機２００により揚送される遊技玉を研磨するために還元機２００に装着された布ベルトを巻取る布ベルト巻取り装置２４０とが設置されている。
【００３４】
また図２に示すように、遊技機島１００には、遊技台１２０（図２では不図示。図１参照）から排出された遊技玉を回収する回収樋２６０と、回収樋２６０により回収された遊技玉を貯留する貯留タンク２７０，２８０とが設置されている。尚、貯留タンク２８０に貯留された遊技玉は、図示しない遊技玉搬送機構によって、貯留タンク２７０へ搬送され、貯留タンク２７０内に貯留される。
【００３５】
遊技台稼働監視システム１は、遊技場全体を管理する管理端末装置２と、遊技場内の遊技台島１００間で通信を行うネットワークアダプタ３と、遊技台島１００に設置された各種装置、各種基板との間で通信を行う通信基板４と、遊技台島１００の全体を制御する島コントロール制御ユニット装置５と、還元機２００、玉通路シャッター２１０、ヒータ２２０、玉抜きストッパー２３０及び布ベルト巻取り装置２４０を操作するためのボタン５１ａ，５２ａ，５３ａ，５４ａ，５５ａ（図９参照）を備える操作スイッチ群装置６と、複数の遊技台１２０が接続されて、その遊技台１２０との間で各種信号の入出力を行う複数の台Ｉ／Ｏ基板７と、金庫開放センサ１４１（後述）及び両替機開放センサ１４２（後述）が接続されて、その金庫開放センサ１４１及び両替機開放センサ１４２との間で各種信号の入出力を行う島端Ｉ／Ｏ基板７ａと、遊技台島１００に関する情報を表示する島情報表示装置８と、遊技台島１００に設置された遊技台１２０に関する情報を表示する台情報表示装置９と、遊技場の天井部に設置され遊技場内を監視する監視カメラ１０とを備える。
【００３６】
管理端末装置２とネットワークアダプタ３との間は、ネットワーク回線Ｃ１を介してデータ通信可能に接続され、ネットワークアダプタ３と各遊技台島１００の通信基板４との間はネットワーク回線Ｃ２を介してデータ通信可能に接続されている。
【００３７】
また通信基板４は、ネットワーク回線Ｃ３を介して、島コントロール制御ユニット装置５、島情報表示装置８、台情報表示装置９及び監視カメラ１０にデータ通信可能に接続されるとともに、ネットワーク回線Ｃ４を介して、複数の台Ｉ／Ｏ基板７にデータ通信可能
に接続される。
【００３８】
尚、遊技台島１００内には、その長手方向の両面それぞれに複数の遊技台１２０が一列に整列して配置されている。この遊技台１２０は、遊技台１２０が大当り遊技を提供していることを示す大当り信号を出力する大当り信号出力端子（図示省略）を備えるとともに、１分間当たりに発射可能な遊技玉数の最大値（以下、最大発射遊技玉数）が１００個となる規格仕様を有している。
【００３９】
また、遊技台島１００内には、その長手方向の両面それぞれに台Ｉ／Ｏ基板７が一列に整列して配置される。そして、台Ｉ／Ｏ基板７は、隣接する４台の遊技台１２０に接続され、各遊技台１２０の図示しない信号出力端子から出力された信号を入力する。
【００４０】
また、遊技台島１００の長手方向の中央には、通信基板４が設置され、この通信基板４を挟んだ左右に隣接して、４つの台Ｉ／Ｏ基板７が配置されている。そして、通信基板４は、この４つの台Ｉ／Ｏ基板７のそれぞれとの間で、ネットワーク回線Ｃ４を介してデータ通信可能に接続される。更に、隣接する台Ｉ／Ｏ基板７同士は、ネットワーク回線Ｃ４を介してデータ通信可能に接続される。これにより、通信基板４と全ての台Ｉ／Ｏ基板７との間でデータ通信が可能となる。
【００４１】
また島コントロール制御ユニット装置５は、還元機２００と、玉通路シャッター２１０と、ヒータ２２０と、玉抜きストッパー２３０と、布ベルト巻取り装置２４０に接続されており、これらを制御する。
【００４２】
また操作スイッチ群装置６は、島コントロール制御ユニット装置５との間で、ネットワーク回線Ｃ５を介して、データ通信が可能に接続されるとともに、電源供給線Ｖ１を介して、島コントロール制御ユニット装置５からＡＣ３２ボルト電源の供給を受ける。
【００４３】
また台Ｉ／Ｏ基板７には、４台の遊技台１２０の他に、４台の遊技台１２０のそれぞれに対応した呼出ランプ装置１１０とアウト玉計数器１２１とが信号入出力可能に接続される。更に、台Ｉ／Ｏ基板７は、隣接する遊技台１２０の２台毎に遊技台１２０の上方に設けられた点検用の欄間（不図示）の開放を検出する２つの欄間開放センサ１３１と、遊技台１２０の内枠（不図示）の開放を検出する４つの内枠開放センサ１３２とに信号入出力可能に接続される。この構成により、呼出ランプ装置１１０、アウト玉計数器１２１、欄間開放センサ１３１及び内枠開放センサ１３２からの信号が、台Ｉ／Ｏ基板７を経由して通信基板４へ入力される。
【００４４】
また島端Ｉ／Ｏ基板７ａは、遊技台島１００内の複数の玉貸し機（不図示）に投入された硬貨を回収するために遊技台島１００の長手方向の一端に設置された金庫（不図示）の開放を検出する金庫開放センサ１４１と、遊技台島１００の長手方向の一端に設置された両替機（不図示）の開放を検出する両替機開放センサ１４２とに接続されるとともに、この玉貸し機または金庫に隣接して設置されている台Ｉ／Ｏ基板７に、ネットワーク回線Ｃ４を介してデータ通信可能に接続される。この構成により、金庫開放センサ１４１と両替機開放センサ１４２からの信号が、島端Ｉ／Ｏ基板７ａと台Ｉ／Ｏ基板７とを経由して、通信基板４へ入力される。
【００４５】
図３は、管理端末装置２の内部構成を表すブロック図である。
管理端末装置２は、図３に示すように、キーボードやマウスで構成される操作部２２ａ及び液晶ディスプレイ（ＬＣＤ）で構成される表示パネル２２ｂからなるユーザインターフェース（以降、ユーザＩ／Ｆと称す）２２と、ネットワークアダプタ３との間でデータ
通信を行う通信部２３と、管理端末装置２全体の動作を制御する制御部２１とから構成される。
【００４６】
これらのうち制御部２１は、所定の処理プログラムに基づいて処理を実行するＣＰＵ２１ａと、種々の処理プログラムが格納されたＲＯＭ２１ｂと、種々のデータを格納するＲＡＭ２１ｃと、ユーザＩ／Ｆ２２と通信部２３が接続され、ＣＰＵ２１ａ及びＲＡＭ２１ｃとの間で信号及びデータの入出力を行う入出力部２１ｄとから構成され、ＣＰＵ２１ａ，ＲＯＭ２１ｂ，ＲＡＭ２１ｃ及び入出力部２１ｄはバス２１ｅを介して接続されている。
【００４７】
尚、ＲＡＭ２１ｃには、遊技台１２０が不十分稼働連続状態であることを示す不十分稼働連続フラグＦ２１がセットされる領域と、後述の不十分稼働連続報知情報を受信した回数を示す不十分稼働受信カウンタＣ２１が記憶される領域とが、遊技場内に設置されている全ての遊技台１２０毎に設けられている。また、遊技台の各機種単位で不十分稼動受信カウンタＣ２１の値を集計する機種単位不十分稼動受信カウンタＣ２２を記憶する領域も設けられている。なお以下の説明において、フラグをセットするとは、そのフラグの値を１にすることを示し、フラグをクリアするとは、そのフラグの値を０にすることを示す。
【００４８】
図４は、管理端末装置２側から遊技台島１００内の還元機２００、ヒータ２２０、玉抜きストッパー２３０及び布ベルト巻取り装置２４０を制御するために表示パネル２２ｂに表示される一括操作画面Ｇ０１の説明図である。
【００４９】
尚、管理端末装置２は、表示パネル２２ｂの表示画面上に表示される後述の各種ボタンを押下する操作が行われると、その旨を示す信号をネットワークアダプタ３へ送信するように構成されている。
【００５０】
一括操作画面Ｇ０１には、図４に示すように、開店前処理（後述）を実施する場合に押下される開店前処理ボタンＨ０１０１と、閉店後処理（後述）を実施する場合に押下される閉店後処理ボタンＨ０１０２と、還元機２００を稼働する場合に押下される還元機稼働ボタンＨ０１０３と、還元機２００を停止する場合に押下される還元機停止ボタンＨ０１０４と、玉抜きストッパー２３０を開放する場合に押下される玉抜きストッパー開放ボタンＨ０１０５と、玉抜きストッパー２３０を閉鎖する場合に押下される玉抜きストッパー閉鎖ボタンＨ０１０６と、ヒータ２２０を稼働する場合に押下されるヒータ稼働ボタンＨ０１０７と、ヒータ２２０を停止する場合に押下されるヒータ停止ボタンＨ０１０８と、布ベルト巻取り装置２４０を稼働する場合に押下される布ベルト巻取り装置稼働ボタンＨ０１０９と、布ベルト巻取り装置２４０を停止する場合に押下される布ベルト巻取り装置停止ボタンＨ０１１０とが表示される。
【００５１】
更に一括操作画面Ｇ０１には、遊技台島１００における異常等の発生履歴（以下、島履歴という）を表示する島履歴リストＨ０１１１と、島履歴リストＨ０１１１の１画面分を前に移動表示する場合に押下される前ボタンＨ０１１２と、島履歴リストＨ０１１１の１画面分を次に移動表示する場合に押下される次ボタンＨ０１１３と、島状態表示画面（後述）に遷移する場合に押下される島状態表示ボタンＨ０１１４と、一括操作画面Ｇ０１に遷移する場合に押下される一括操作ボタンＨ０１１５と、島履歴画面Ｇ０６（後述）に遷移する場合に押下される島履歴ボタンＨ０１１６と、動作条件設定画面Ｇ０７（後述）に遷移する場合に押下される動作条件設定ボタンＨ０１１７と、管理端末装置のホーム画面に遷移する場合に押下される台管理ボタンＨ０１１８とが表示される。
【００５２】
このように構成された管理端末装置２において、ＣＰＵ２１ａは、遊技台１２０の不十分稼働連続状態を監視する不十分稼働監視処理（後述）と、不十分稼働連続状態を検出す
るための判定値を指示する判定値指示処理（後述）と、不十分稼働連続状態を検出するための判定値が不適切である旨を報知する判定値不適切報知処理（後述）とをそれぞれ独立して実行する。
【００５３】
図５は島コントロール制御ユニット装置５の内部構成を表すブロック図、図６は入出力端子部３３ｃ，３４ｃ，３５ｃ，３６ｃの構成を説明する図、図７は入出力端子部３７ｃの構成を説明する図である。
【００５４】
島コントロール制御ユニット装置５は、図５に示すように、島コントロール制御ユニット装置５全体の動作を制御するメイン制御基板３１と、遊技台島１００内に設置された各種装置や各種センサ等が接続されて各種信号の入出力を行う第１サブ基板３３，第２サブ基板３４，第３サブ基板３５，第４サブ基板３６，第５サブ基板３７と、島コントロール制御ユニット装置５に接続された各種装置に関する情報を８個のＬＥＤの点灯により表示する状態確認用ＬＥＤ群３８と、島コントロール制御ユニット装置５と第１サブ基板３３，第２サブ基板３４，第３サブ基板３５，第４サブ基板３６，第５サブ基板３７とを接続するコネクタケーブル３２ａ，３２ｂ，３２ｃ，３２ｄ，３２ｅとから構成される。
【００５５】
これらのうちメイン制御基板３１は、メイン制御基板３１全体の動作を制御する制御部４１と、起動時に第１サブ基板３３，第２サブ基板３４，第３サブ基板３５，第４サブ基板３６，第５サブ基板３７をハード的にリセットするリセットＩＣ４２と、島コントロール制御ユニット装置５に接続された各種装置に電源を供給する電源供給部４３と、コネクタケーブル３２ａ，３２ｂ，３２ｃ，３２ｄ，３２ｅが接続されるメイン側第１コネクタ４４と、操作スイッチ群装置６が接続されるメイン側第２コネクタ４５と、通信基板４、島情報表示装置８、台情報表示装置９及び監視カメラ１０が接続されるメイン側第３コネクタ４６と、状態確認用ＬＥＤ群３８に駆動信号を伝えるＬＥＤ駆動回路４７とから構成される。
【００５６】
そして制御部４１は、所定の処理プログラムに基づいて処理を実行するＣＰＵ４１ａと、種々の処理プログラムが格納されたＲＯＭ４１ｂと、種々のデータを格納するＲＡＭ４１ｃと、リセットＩＣ４２とメイン側第１コネクタ４４とメイン側第２コネクタ４５とメイン側第３コネクタ４６とＬＥＤ駆動回路４７とが接続され、ＣＰＵ４１ａ及びＲＡＭ４１ｃとの間で信号及びデータの入出力を行う入出力部４１ｄとから構成され、ＣＰＵ４１ａ，ＲＯＭ４１ｂ，ＲＡＭ４１ｃ及び入出力部４１ｄはバス４１ｅを介して接続されている。
【００５７】
尚、ＲＡＭ４１ｃには、還元機２００が稼働中であることを示す還元機稼働フラグＦ１と、玉通路シャッター２１０が開放中であることを示す玉通路シャッター開放フラグＦ２と、玉抜きストッパー２３０が開放中であることを示す玉抜きストッパー開放フラグＦ３と、ヒータ２２０が稼働中であることを示すヒータ稼働フラグＦ４と、布ベルト巻取り装置２４０が稼働中であることを示す布ベルト稼働フラグＦ５と、ヒータ２２０の温度制御が有効であることを示すヒータ温度制御フラグＦ６と、還元機２００の稼働時に異常があることを示す還元機稼働異常フラグＦ７と、還元機２００の停止時に異常があることを示す還元機停止異常フラグＦ８と、玉通路シャッター２１０の開放時に異常があることを示す玉通路シャッター開放異常フラグＦ９と、玉通路シャッター２１０の閉鎖時に異常があることを示す玉通路シャッター閉鎖異常フラグＦ１０とがセットされる領域が設けられている。
【００５８】
また、メイン側第１コネクタ４４は電源供給部４３から電源の供給を受け、コネクタケーブル３２ａを介して、第１サブ基板３３に対してＤＣ５ボルト電源及びＡＣ２４ボルト電源を供給するとともに、第１サブ基板３３との間でデータ通信を行う。
【００５９】
同様にメイン側第１コネクタ４４は、コネクタケーブル３２ｂを介して、第２サブ基板３４に対してＤＣ５ボルト電源、ＤＣ２４ボルト電源及びＤＣ３２ボルトを供給するとともに、第２サブ基板３４との間でデータ通信を行う。また、コネクタケーブル３２ｃを介して、第３サブ基板３５に対してＤＣ５ボルト電源及びＤＣ２４ボルト電源を供給するとともに、第３サブ基板３５との間でデータ通信を行う。また、コネクタケーブル３２ｄを介して、第４サブ基板３６に対してＤＣ５ボルト電源、ＤＣ２４ボルト電源及びＡＣ１００ボルト電源を供給するとともに、第４サブ基板３６との間でデータ通信を行う。また、コネクタケーブル３２ｅを介して、第５サブ基板３７に対してＤＣ５ボルト電源及びＤＣ２４ボルト電源を供給するとともに、第５サブ基板３７との間でデータ通信を行う。
【００６０】
次に第１サブ基板３３は、コネクタケーブル３２ａが接続されるサブ側コネクタ３３ａと、遊技台島１００内に設置された各種装置や各種センサ等が接続される入出力端子部３３ｃと、入出力端子部３３ｃに入力した信号をサブ側コネクタ３３ａへ出力するとともに、サブ側コネクタ３３ａに入力した信号を入出力端子部３３ｃへ出力する入出力回路３３ｂとから構成される。
【００６１】
尚、入出力端子部３３ｃは、図６（ａ）の端子表Ｔ１に示すように、オーバーロード検知端子Ｐ１、断線検知機能付きのオーバーフロー検知端子Ｐ２、還元機稼働中検知端子Ｐ３、玉通路シャッター開放中検知端子Ｐ４、玉通路シャッター閉鎖中検知端子Ｐ５、還元機稼働指示端子Ｐ６、還元機停止指示端子Ｐ７、フラッシュランプ点灯指示端子Ｐ８、玉通路シャッター開放電源端子Ｐ９及び玉通路シャッター閉鎖電源端子Ｐ１０から構成される。
【００６２】
また、第２サブ基板３４は、コネクタケーブル３２ｂが接続されるサブ側コネクタ３４ａと、遊技台島１００内に設置された各種装置や各種センサ等が接続される入出力端子部３４ｃと、入出力端子部３４ｃに入力した信号をサブ側コネクタ３４ａへ出力するとともに、サブ側コネクタ３４ａに入力した信号を入出力端子部３４ｃへ出力する入出力回路３４ｂとから構成される。
【００６３】
尚、入出力端子部３４ｃは、図６（ｂ）の端子表Ｔ２に示すように、布ベルト緩み検知端子Ｐ１１、圧接ローラ回転検知端子Ｐ１２、１ロール終了検知端子Ｐ１３、送りモータ過負荷電流検知端子Ｐ１４、送りモータ稼働電源端子Ｐ１５、巻取りモータ稼働電源端子Ｐ１６及びクランプ開放電源端子Ｐ１７から構成される。
【００６４】
また、第３サブ基板３５は、コネクタケーブル３２ｃが接続されるサブ側コネクタ３５ａと、遊技台島１００内に設置された各種装置や各種センサ等が接続される入出力端子部３５ｃと、入出力端子部３５ｃに入力した信号をサブ側コネクタ３５ａへ出力するとともに、サブ側コネクタ３５ａに入力した信号を入出力端子部３５ｃへ出力する入出力回路３５ｂとから構成される。
【００６５】
尚、入出力端子部３５ｃは、図６（ｃ）の端子表Ｔ３に示すように、断線検知機能付きの玉通過検知端子Ｐ１８〜Ｐ２１及びソレノイド開閉動作電源端子Ｐ２２〜Ｐ２５から構成される。
【００６６】
また、第４サブ基板３６は、コネクタケーブル３２ｄが接続されるサブ側コネクタ３６ａと、遊技台島１００内に設置された各種装置や各種センサ等が接続される入出力端子部３６ｃと、入出力端子部３６ｃに入力した信号をサブ側コネクタ３６ａへ出力するとともに、サブ側コネクタ３６ａに入力した信号を入出力端子部３６ｃへ出力する入出力回路３６ｂとから構成される。
【００６７】
尚、入出力端子部３６ｃは、図６（ｄ）の端子表Ｔ４に示すように、温度検知端子Ｐ２６〜Ｐ２７及び断線検知機能付きのヒータ電源端子Ｐ２８〜Ｐ３３から構成される。
また、第５サブ基板３７は、コネクタケーブル３２ｅが接続されるサブ側コネクタ３７ａと、遊技台島１００内に設置された各種装置や各種センサ等が接続される入出力端子部３７ｃと、入出力端子部３７ｃに入力した信号をサブ側コネクタ３７ａへ出力するとともに、サブ側コネクタ３７ａに入力した信号を入出力端子部３７ｃへ出力する入出力回路３７ｂとから構成される。
【００６８】
尚、入出力端子部３７ｃは、図７の端子表Ｔ５に示すように、断線検知機能付きの補給樋上流部・玉不足検知端子Ｐ３４〜Ｐ３７、断線検知機能付きの回収樋下流部・玉詰まり検知端子Ｐ３８〜Ｐ４９、断線検知機能付きの回収樋上流部・玉計数装置使用検知端子Ｐ５０、煙感知端子Ｐ５１〜Ｐ５２、還元機扉開放中検知端子Ｐ５３、点検扉開放中検知端子Ｐ５４〜Ｐ５７、その他遊技台島の構造等に合わせて使い分けられる端子Ｐ５８〜Ｐ９２等から構成される。
【００６９】
このように構成された島コントロール制御ユニット装置５において、ＣＰＵ４１ａは、後述する各種処理（スイッチパネル側還元機稼働処理、管理端末側還元機稼働処理、スイッチパネル側還元機停止処理、管理端末側還元機停止処理、還元機定期監視処理、スイッチパネル側玉通路シャッター開放処理、スイッチパネル側玉通路シャッター閉鎖処理、玉通路シャッター定期監視処理、スイッチパネル側ヒータ稼働処理、管理端末側ヒータ稼働処理、スイッチパネル側ヒータ停止処理、管理端末側ヒータ停止処理、ヒータ定期監視処理、スイッチパネル側玉抜きストッパー開放処理、管理端末側玉抜きストッパー開放処理、スイッチパネル側玉抜きストッパー閉鎖処理、管理端末側玉抜きストッパー閉鎖処理、玉抜きストッパー定期監視処理、スイッチパネル側布ベルト稼働処理、管理端末側布ベルト稼働処理、スイッチパネル側布ベルト停止処理、管理端末側布ベルト停止処理、布ベルト定期監視処理、布ベルト・システム起動処理）をそれぞれ独立して実行する。
【００７０】
図８は操作スイッチ群装置６の正面図、図９は操作スイッチ群装置６の内部構成を表すブロック図である。
操作スイッチ群装置６は、図８に示すように、還元機２００を稼働・停止する場合に押下される還元機用操作部５１と、玉通路シャッター２１０を開放・閉鎖する場合に押下される玉通路シャッター用操作部５２と、玉抜きストッパー２３０を稼働・停止する場合に押下される玉抜きストッパー用操作部５３と、ヒータ２２０を稼働・停止する場合に押下されるヒータ用操作部５４と、布ベルト巻取り装置２４０を稼働・停止する場合に押下される布ベルト巻取り装置用操作部５５と、還元機２００の状態を表示する還元機用状態表示部５６と、玉通路シャッター２１０の状態を表示する玉通路シャッター用状態表示部５７と、玉抜きストッパー２３０の状態を表示する玉抜きストッパー用状態表示部５８と、ヒータ２２０の状態を表示するヒータ用状態表示部５９と、布ベルト巻取り装置２４０の状態を表示する布ベルト巻取り装置用状態表示部６０と、布ベルト巻取り装置２４０の引張モータと巻取モータへ電源を供給・遮断（図９参照）する布ベルト巻取り装置ブレーカ６１と、オーバーフロー発生後の復旧確認のために操作されるオーバーフロー確認用操作部６２と、上述の構成要素を操作スイッチ群装置６の正面に配置するスイッチパネル６３とから構成される。
【００７１】
また図９に示すように、還元機用操作部５１は、ボタン５１ａと２色ＬＥＤ５１ｂとから構成される。同様に、玉通路シャッター用操作部５２はボタン５２ａと２色ＬＥＤ５２ｂ、玉抜きストッパー用操作部５３はボタン５３ａと２色ＬＥＤ５３ｂ、ヒータ用操作部
５４はボタン５４ａと２色ＬＥＤ５４ｂ、布ベルト巻取り装置用操作部５５はボタン５５ａと２色ＬＥＤ５５ｂとから構成される。
【００７２】
また、還元機用状態表示部５６は７セグＬＥＤ５６ａ、玉通路シャッター用状態表示部５７は７セグＬＥＤ５７ａ、玉抜きストッパー用状態表示部５８は７セグＬＥＤ５８ａ、ヒータ用状態表示部５９は７セグＬＥＤ５９ａ、布ベルト巻取り装置用状態表示部６０は７セグＬＥＤ６０ａから構成される。
【００７３】
また、オーバーフロー確認用操作部６２は、ボタン６２ａとＬＥＤ６２ｂとから構成される。尚、還元機２００によって揚送された遊技玉が流下する経路として、補給経路（例えば、補給樋２５０）を経由して回収経路（例えば、回収樋２６０）に回収され再び還元機２００によって揚送される循環経路と、還元機２００による遊技玉の揚送量が上記循環経路を循環する遊技玉の循環量を超えてしまった場合でも、還元機２００によって揚送された遊技玉の行き場が無くならないように、該遊技玉を貯留タンク２７０，２８０に直接誘導するオーバーフロー経路（図示せず）とが遊技台島内に設けられている。このようにオーバーフロー経路を設けることで遊技玉の循環量を気にすることなく常時一定の揚送量を提供することができるようになる。しかし、上記オーバーフロー経路内で玉詰まりが発生するなどして、該オーバーフロー経路が遮断されてしまうと、オーバーフロー経路に誘導された遊技玉が徐々にオーバーフロー経路内に蓄積されていき、該蓄積された遊技玉が還元機２００の遊技玉を排出する箇所付近まで蓄積されてしまうと還元機２００が遊技玉を揚送できなくなってしまい、最悪の場合には還元機２００が故障してしまうという事態が発生してしまう。
【００７４】
そこで、上記オーバーフロー経路内に所定量以上の遊技玉が蓄積される状態（オーバーフロー異常）を検知する検知手段を設け、該検出手段がオーバーフロー異常を検知した際に、還元機２００を停止させ、揚送量を０にすることで上述した事態を防ぐ技術が知られている。また、該技術によって停止させられた還元機２００を復帰させる技術については、オーバーフロー異常が解消された後に自動で復帰する技術と、店員の操作によって手動で復帰させる技術が考えられるが、還元機２００が停止したことによる弊害の発生を確認する必要があるため、店員の操作を経て還元機２００を復帰させる技術を採用することが望ましい。
【００７５】
そして、本発明のオーバーフロー確認用操作部６２は、店員が目視確認し難い遊技台島内で発生するオーバーフロー異常が解消されたか否かを容易に確認でき、且つ店員の操作を経ることなく還元機２００が復帰することを防ぐためのものである。オーバーフロー異常中は、ＬＥＤ６２ｂが点灯しており、ボタン６２ａを押下してもＬＥＤ６２ｂが消灯することがないように構成されている。オーバーフロー異常が解消された後、ボタン６２ａを押下することで初めてＬＥＤ６２ｂが消灯するように構成されている。また、ＬＥＤ６２ｂが点灯している間は還元機２００への稼働指示を不能にするように構成されている。このように構成することで、たとえオーバーフロー異常が解消されたとしても店員の操作無しでＬＥＤ６２ｂが消灯することがなくなるため、確実に還元機２００が停止していることに気付くことができる。尚、本実施例では記載していないが、遊技台島から少し離れている店員にオーバーフロー異常を報知するために、ボタン６２ａの押下に連動してＬＥＤ６２ｂと同様に点灯または消灯する報知灯を遊技台島外に設けてもよい。
【００７６】
そして、ボタン５１ａ，５２ａ，５３ａ，５４ａ，５５ａ，６２ａと、２色ＬＥＤ５１ｂ，５２ｂ，５３ｂ，５４ｂ，５５ｂと、７セグＬＥＤ５６ａ，５７ａ，５８ａ，５９ａ，６０ａと、ＬＥＤ６２ｂは入出力部６５に接続される。これにより、ボタン５１ａ，５２ａ，５３ａ，５４ａ，５５ａ，６２ａの押下を示す信号が島コントロール制御ユニット装置５へ出力されるとともに、２色ＬＥＤ５１ｂ，５２ｂ，５３ｂ，５４ｂ，５５ｂと、
７セグＬＥＤ５６ａ，５７ａ，５８ａ，５９ａ，６０ａと、ＬＥＤ６２ｂとの点灯状態を指示する信号が島コントロール制御ユニット装置５から入力される。
【００７７】
次に、台Ｉ／Ｏ基板７は、接続されている遊技台１２０から大当り信号が入力されると、この大当り信号に対応する遊技台１２０の台番号を示す台番号情報を付加して、大当り遊技提供中であることを示す大当り情報を管理端末装置２に送信する。
【００７８】
図１０は島情報表示装置８及び台情報表示装置９の正面図、図１１は台情報表示装置９の内部構成を表すブロック図である。
図１０に示すように、島情報表示装置８の表示画面となる液晶ディスプレイ（ＬＣＤ）８ａが、遊技台島１００の長手方向の両端に設けられた妻板１０１に設置される。
【００７９】
また、遊技台島１００には、台番号１００から１１９までの２０台の遊技台１２０が長手方向の一方の面に一列に整列して配置されるとともに、台番号２００から２１９までの２０台の遊技台１２０が長手方向の他方の面に一列に整列して配置されており、妻板１０１の台番号１００から１１９までの遊技台１２０が配置されている側に台番号１００から１１９までの遊技台１２０に関する情報を表示する台番一覧表示器７２が、妻板１０１の台番号２００から２１９までの遊技台１２０が配置されている側に台番号２００から２１９までの遊技台１２０に関する情報を表示する台番一覧表示器７３が設置される。
【００８０】
台番一覧表示器７２は、１００から１１９までの台番号が昇順に記載された台番号表示部７２ａと、１００から１１９までの台番号それぞれについて、その台番号に対応した遊技台１２０の遊技状態や稼働状態をＬＥＤの点灯状態により表示する状態表示部７２ｂとから構成される。同様に、台番一覧表示器７３は、２００から２１９までの台番号が昇順に記載された台番号表示部７３ａと、２００から２１９までの台番号それぞれについて、その台番号に対応した遊技台１２０の遊技状態や稼働状態をＬＥＤの点灯状態により表示する状態表示部７３ｂとから構成される。
【００８１】
また台情報表示装置９は、図１１に示すように、台情報表示装置９全体の動作を制御する台情報表示制御基板７１と、台番一覧表示器７２，７３とから構成されている。
更に台情報表示制御基板７１は、台情報表示制御基板７１全体の動作を制御する制御部８１と、台番一覧表示器７２に駆動信号を伝える表示器駆動回路８２と、台番一覧表示器７３に駆動信号を伝える表示器駆動回路８３とから構成される。
【００８２】
そして制御部８１は、所定の処理プログラムに基づいて処理を実行するＣＰＵ８１ａと、種々の処理プログラムが格納されたＲＯＭ８１ｂと、種々のデータを格納するＲＡＭ８１ｃと、表示器駆動回路８２，８３及び島コントロール制御ユニット装置５が接続され、ＣＰＵ８１ａ及びＲＡＭ８１ｃとの間で信号及びデータの入出力を行う入出力部８１ｄとから構成され、ＣＰＵ８１ａ，ＲＯＭ８１ｂ，ＲＡＭ８１ｃ及び入出力部８１ｄはバス８１ｅを介して接続されている。
【００８３】
尚、ＲＡＭ８１ｃには、遊技台１２０が不十分稼働連続状態であることを示す不十分稼働連続確定フラグＦ５１がセットされる領域と、不十分稼働連続状態を判定するための不十分稼働連続判定値（後述）を示す不十分稼働連続判定カウンタＣ５１が記憶される領域とが遊技台島１００内に設置されている全ての遊技台１２０毎に設けられている。
【００８４】
このように構成された台情報表示装置９において、ＣＰＵ８１ａは、不十分稼働連続状態を報知するための不十分稼働報知処理（後述）と、不十分稼働判定値Ｋ５１（後述）を
設定するための判定値設定処理（後述）とをそれぞれ独立して実行する。
【００８５】
次に、台情報表示装置９のＣＰＵ８１ａが実行する各処理の手順を説明する。
まず、台情報表示装置９のＣＰＵ８１ａが実行する不十分稼働報知処理の手順を、図１２を用いて説明する。図１２は不十分稼働報知処理を表すフローチャートである。この不十分稼働報知処理は、遊技台島１００内に設置されている遊技台１２０毎に設けられている。即ち、台番号１００〜１１９と２００〜２１９の遊技台１２０それぞれに対応した計４０個の不十分稼働報知処理が実行される。また不十分稼働報知処理は、ＣＰＵ８１ａが起動している間に繰り返し実行される処理である。
【００８６】
この不十分稼働報知処理においては、台情報表示装置９のＣＰＵ８１ａは、まず、Ｓ１０にて、遊技台１２０に対応したアウト玉計数器１２１からのアウト玉検出信号を入力して、１分間当たりに遊技台１２０から排出されたアウト玉数の値（以下、１分間アウト計数値という）を算出する。
【００８７】
その後Ｓ２０にて、Ｓ１０にて算出された１分間アウト計数値が０に等しいか否かを判断する。即ち、遊技台１２０が非稼働状態であるか否かを判断する。ここで、１分間アウト計数値が０に等しくなければ、非稼働状態でないと判断し（Ｓ２０）、Ｓ７０に移行する。一方、１分間アウト計数値が０に等しければ、非稼働状態であると判断し（Ｓ２０）、Ｓ３０にて、不十分稼働連続判定カウンタＣ５１の値を０にして、Ｓ４０にて、不十分稼働連続確定フラグＦ５１をクリアする。
【００８８】
その後Ｓ５０にて、この遊技台１２０の台番号に対応する状態表示部７３ｂのＬＥＤを非稼働状態であることを示す点灯状態にする。そしてＳ６０にて、この遊技台１２０の台番号を示す台番号情報が付加され、非稼働状態であることを示す非稼働報知情報を管理端末装置２に送信し、不十分稼働報知処理を一旦終了する。
【００８９】
またＳ７０に移行すると、１分間アウト計数値が不十分稼働判定値Ｋ５１（本実施形態では８０）未満であるか否かを判断する。即ち、遊技台１２０が不十分稼働状態であるか否かを判断する。ここで、１分間アウト計数値が不十分稼働判定値Ｋ５１以上であれば、不十分稼働状態ではなく稼働状態であると判断し（Ｓ７０）、Ｓ１４０に移行する。一方、１分間アウト計数値が不十分稼働判定値Ｋ５１未満であれば、不十分稼働状態であると判断し（Ｓ７０）、Ｓ８０にて、不十分稼働連続判定カウンタＣ５１をインクリメントする。
【００９０】
その後Ｓ９０にて、不十分稼働連続確定フラグＦ５１がセットされているか否かを判断する。即ち、遊技台１２０が不十分稼働連続状態であるか否かを判断する。ここで、不十分稼働連続確定フラグＦ５１がセットされていれば、不十分稼働連続状態であると判断し（Ｓ９０）、不十分稼働報知処理を一旦終了する。
【００９１】
一方、不十分稼働連続確定フラグＦ５１がセットされていなければ、不十分稼働連続状態ではないと判断し（Ｓ９０）、Ｓ１００にて、不十分稼働連続判定カウンタＣ５１の値（以下、不十分稼働連続判定値という）が不十分稼働連続確定値Ｋ５２（本実施形態では４）以上であるか否かを判断する。即ち、不十分稼働連続状態であることが確定したか否かを判断する。ここで、不十分稼働連続判定値が不十分稼働連続確定値Ｋ５２未満であれば（Ｓ１００）、不十分稼働報知処理を一旦終了する。一方、不十分稼働連続判定値が不十分稼働連続確定値Ｋ５２以上であれば（Ｓ１００）、Ｓ１１０にて、不十分稼働連続確定フラグＦ５１をセットする。
【００９２】
その後Ｓ１２０にて、この遊技台１２０の台番号に対応する状態表示部７３ｂのＬＥＤを不十分稼働連続状態であることを示す点灯状態にする。そしてＳ１３０にて、この遊技台１２０の台番号を示す台番号情報が付加され、不十分稼働連続状態であることを示す不十分稼働連続報知情報を管理端末装置２に送信し、不十分稼働報知処理を一旦終了する。
【００９３】
またＳ１４０に移行すると、不十分稼働連続判定カウンタＣ５１の値を０にして、Ｓ１５０にて、不十分稼働連続確定フラグＦ５１をクリアする。その後Ｓ１６０にて、この遊技台１２０の台番号に対応する状態表示部７３ｂのＬＥＤを稼働状態であることを示す点灯状態にする。そしてＳ１７０にて、この遊技台１２０の台番号を示す台番号情報が付加され、稼働状態であることを示す稼働報知情報を管理端末装置２に送信し、不十分稼働報知処理を一旦終了する。
【００９４】
次に、台情報表示装置９のＣＰＵ８１ａが実行する判定値設定処理の手順を、図１３を用いて説明する。図１３は判定値設定処理を表すフローチャートである。この判定値設定処理は、ＣＰＵ８１ａが起動している間に繰り返し実行される処理である。
【００９５】
この判定値設定処理においては、台情報表示装置９のＣＰＵ８１ａは、まず、Ｓ２１０にて、後述のＳ４４０で管理端末装置２から送信される判定値設定指示情報を受信したか否かを判断する。ここで、判定値設定指示情報を受信していなければ（Ｓ２１０）、判定値設定処理を一旦終了する。
【００９６】
一方、判定値設定指示情報を受信していれば（Ｓ２１０）、Ｓ２２０にて、受信した判定値設定指示情報から機種情報を抽出し、この機種情報により示される機種に該当する遊技台１２０の不十分稼働判定値Ｋ５１を、受信した判定値設定指示情報により示される値に変更し、判定値設定処理を一旦終了する。尚、上述した機種情報とは、特定の機種を指定するデータでもよいし、特定の機種に該当する遊技台番号でもよい。
【００９７】
次に、管理端末装置２のＣＰＵ２１ａが実行する各処理の手順を説明する。
まず、管理端末装置２のＣＰＵ２１ａが実行する不十分稼働監視処理の手順を、図１４を用いて説明する。図１４は不十分稼働監視処理を表すフローチャートである。この不十分稼働監視処理は、ＣＰＵ２１ａが起動している間に繰り返し実行される処理である。
【００９８】
この不十分稼働監視処理においては、管理端末装置２のＣＰＵ２１ａは、まず、Ｓ３１０にて、Ｓ１３０で台情報表示装置９から送信される不十分稼働連続報知情報を受信したか否かを判断する。ここで、不十分稼働連続報知情報を受信していなければ（Ｓ３１０）、Ｓ３３０に移行する。一方、不十分稼働連続報知情報を受信していれば（Ｓ３１０）、Ｓ３２０にて、受信した不十分稼働連続報知情報から台番号情報を抽出し、この台番号情報により示される台番号に該当する遊技台１２０の不十分稼働連続フラグＦ２１をセットして、Ｓ３３０に移行する。
【００９９】
そしてＳ３３０に移行すると、Ｓ６０で台情報表示装置９から送信される非稼働報知情報、またはＳ１７０で台情報表示装置９から送信される稼働報知情報を受信したか否かを判断する。ここで、非稼働報知情報及び稼働報知情報を受信していなければ（Ｓ３３０）、Ｓ３５０に移行する。一方、非稼働報知情報または稼働報知情報を受信していれば（Ｓ３３０）、Ｓ３４０にて、受信した非稼働報知情報または稼働報知情報から台番号情報を抽出し、この台番号情報により示される台番号に該当する遊技台１２０の不十分稼働連続フラグＦ２１をクリアして、Ｓ３５０に移行する。
【０１００】
そしてＳ３５０に移行すると、台Ｉ／Ｏ基板７から送信される大当り情報を受信したか
否かを判断する。ここで、大当り情報を受信していなければ（Ｓ３５０）、不十分稼働監視処理を一旦終了する。一方、大当り情報を受信していれば（Ｓ３５０）、Ｓ３６０にて、受信した大当り情報から台番号情報を抽出し、この台番号情報により示される台番号に該当する遊技台１２０の不十分稼働連続フラグＦ２１がセットされているか否かを判断する。
【０１０１】
ここで、不十分稼働連続フラグＦ２１がセットされていなければ（Ｓ３６０）、不十分稼働監視処理を一旦終了する。一方、不十分稼働連続フラグＦ２１がセットされていれば（Ｓ３６０）、Ｓ３７０にて、Ｓ３６０で抽出した台番号情報により示される台番号に該当する遊技台１２０の座席付近を監視カメラ１０で撮像させて、不十分稼働監視処理を一旦終了する。
【０１０２】
次に、管理端末装置２のＣＰＵ２１ａが実行する判定値指示処理の手順を、図１５を用いて説明する。図１５は判定値指示処理を表すフローチャートである。この判定値指示処理は、ＣＰＵ２１ａが起動している間に繰り返し実行される処理である。
【０１０３】
この判定値指示処理においては、管理端末装置２のＣＰＵ２１ａは、まず、Ｓ４１０にて、不十分稼働判定値Ｋ５１を設定するための判定値設定開始操作が操作部２２ａを介して行われたか否かを判断する。ここで、判定値設定開始操作が行われていなければ（Ｓ４１０）、判定値指示処理を一旦終了する。一方、判定値設定開始操作が行われると（Ｓ４１０）、Ｓ４２０にて、不十分稼働判定値Ｋ５１を設定するための判定値設定画面を表示パネル２２ｂに表示させ、Ｓ４３０にて、遊技台１２０の機種と、機種に対応した不十分稼働判定値Ｋ５１とを示す判定値設定情報の入力があるまで待機する。
【０１０４】
そして判定値設定情報の入力があると（Ｓ４３０）、Ｓ４４０にて、判定値設定情報により示される機種情報と不十分稼働判定値Ｋ５１とを指示する判定値設定指示情報を台情報表示装置９へ送信し、判定値指示処理を一旦終了する。
【０１０５】
次に、管理端末装置２のＣＰＵ２１ａが実行する判定値不適切報知処理の手順を、図１６を用いて説明する。図１６は判定値不適切報知処理を表すフローチャートである。この判定値不適切報知処理は、ＣＰＵ２１ａが起動している間に繰り返し実行される処理である。
【０１０６】
この判定値不適切報知処理においては、管理端末装置２のＣＰＵ２１ａは、まず、Ｓ５１０にて、Ｓ１３０で台情報表示装置９から送信される不十分稼働連続報知情報を受信したか否かを判断する。ここで、不十分稼働連続報知情報を受信していなければ（Ｓ５１０）、Ｓ５３０に移行する。一方、不十分稼働連続報知情報を受信していれば（Ｓ５１０）、Ｓ５２０にて、受信した不十分稼働連続報知情報から台番号情報を抽出し、この台番号情報により示される遊技台の不十分稼働受信カウンタＣ２１をインクリメントし、Ｓ５２１に移行する。Ｓ５２１では不十分稼動受信カウンタＣ２１の値を集計し、各機種単位で不十分稼動受信カウンタＣ２１の値を集計する機種単位不十分稼動受信カウンタＣ２２をインクリメントし、Ｓ５３０に移行する。
【０１０７】
そしてＳ５３０に移行すると、全ての機種毎に機種単位不十分稼動受信カウンタＣ２２の値（以下、不十分稼働受信値という）が不適切報知判定値Ｋ２１（本実施形態では２０）以上であるか否かを判断する。ここで、不十分稼働受信値が不適切報知判定値Ｋ２１未満であれば（Ｓ５３０）、判定値不適切報知処理を一旦終了する。一方、不十分稼働受信値が不適切報知判定値Ｋ２１以上であれば（Ｓ５３０）、Ｓ５４０にて、該当する機種において不十分稼働判定値Ｋ５１が不適切である旨を表示パネル２２ｂに表示させて、判定値不適切報知処理を一旦終了する。
【０１０８】
次に、島コントロール制御ユニット装置５のＣＰＵ４１ａが実行する各処理の手順を説明する。
［スイッチパネル側還元機稼働処理］
まず、島コントロール制御ユニット装置５のＣＰＵ４１ａが実行するスイッチパネル側還元機稼働処理の手順を、図１７を用いて説明する。図１７はスイッチパネル側還元機稼働処理を表すフローチャートである。このスイッチパネル側還元機稼働処理は、還元機２００が停止中に操作スイッチ群装置６の還元機用操作部５１のボタン５１ａが押下された時に実行される処理である。
【０１０９】
このスイッチパネル側還元機稼働処理においては、島コントロール制御ユニット装置５のＣＰＵ４１ａは、まず、Ｓ１０１０にて、還元機停止指示端子Ｐ７をオフにし、更にＳ１０２０にて、還元機稼働指示端子Ｐ６をオンにする。これにより、還元機２００への稼動指示が開始される。
【０１１０】
その後Ｓ１０３０にて、還元機稼働中検知端子Ｐ３がオンになっているか否かを判断する。即ち、還元機２００が稼働中であるか否かを判断する。ここで、還元機稼働中検知端子Ｐ３がオンであれば、還元機２００が稼働中であると判断し（Ｓ１０３０）、Ｓ１０４０にて、還元機稼働フラグＦ１をセットし、スイッチパネル側還元機稼働処理を終了する。
【０１１１】
一方、還元機稼働中検知端子Ｐ３がオフであれば、還元機２００が停止中であると判断し（Ｓ１０３０）、Ｓ１０５０にて、還元機稼働中検知端子Ｐ３がオフと判断されてから５００ミリ秒経過したか否かを判断する。ここで、５００ミリ秒経過していなければ（Ｓ１０５０）、Ｓ１０３０に移行し、上述の処理を繰り返す。一方、５００ミリ秒経過すると（Ｓ１０５０）、Ｓ１０６０にて、還元機稼働異常フラグＦ７をセットし、更にＳ１０７０にて、稼働指示に従って還元機２００が稼働しない旨（還元機稼働異常）を島情報表示装置８に報知させ、スイッチパネル側還元機稼働処理を終了する。
【０１１２】
［管理端末側還元機稼働処理］
次に、島コントロール制御ユニット装置５のＣＰＵ４１ａが実行する管理端末側還元機稼働処理の手順を、図１８を用いて説明する。図１８は管理端末側還元機稼働処理を表すフローチャートである。この管理端末側還元機稼働処理は、還元機稼働ボタンＨ０１０３が押下された時に実行される処理である。
【０１１３】
この管理端末側還元機稼働処理においては、島コントロール制御ユニット装置５のＣＰＵ４１ａは、まず、Ｓ１１１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ１１１０）、管理端末側還元機稼働処理を終了する。これにより、還元機扉が開放中の場合には還元機稼働ボタンＨ０１０３が押下されても還元機２００は稼働しない。
【０１１４】
一方、還元機扉開放中検知端子Ｐ５３がオフであれば、還元機扉が閉鎖中であると判断し（Ｓ１１１０）、Ｓ１１２０にて、点検扉開放中検知端子Ｐ５４〜Ｐ５７がオンになっているか否かを判断する。即ち、点検扉が開放中であるか否かを判断する。ここで、点検扉開放中検知端子Ｐ５４〜Ｐ５７がオンであれば、点検扉が開放中であると判断し（Ｓ１１２０）、管理端末側還元機稼働処理を終了する。これにより、点検扉が開放中の場合には還元機稼働ボタンＨ０１０３が押下されても還元機２００は稼働しない。
【０１１５】
一方、点検扉開放中検知端子Ｐ５４〜Ｐ５７がオフであれば、点検扉が閉鎖中であると判断し（Ｓ１１２０）、Ｓ１１３０にて、後述のＳ６６５０でセットされる布ベルト稼働フラグＦ５がセットされているか否かを判断する。即ち、布ベルト巻取り装置２４０が稼働中であるか否かを判断する。ここで、布ベルト稼働フラグＦ５がセットされていれば、布ベルト巻取り装置２４０が稼働中であると判断し（Ｓ１１３０）、管理端末側還元機稼働処理を終了する。これにより、布ベルト巻取り装置２４０が稼働中の場合には還元機稼働ボタンＨ０１０３が押下されても還元機２００は稼働しない。
【０１１６】
一方、布ベルト稼働フラグＦ５がクリアされていれば、布ベルト巻取り装置２４０が停止中であると判断し（Ｓ１１３０）、Ｓ１１４０にて、還元機停止指示端子Ｐ７をオフにし、更にＳ１１５０にて、還元機稼働指示端子Ｐ６をオンにする。これにより、還元機２００への稼動指示が開始される。
【０１１７】
その後Ｓ１１６０にて、還元機稼働中検知端子Ｐ３がオンになっているか否かを判断する。即ち、還元機２００が稼働中であるか否かを判断する。ここで、還元機稼働中検知端子Ｐ３がオンであれば、還元機２００が稼働中であると判断し（Ｓ１１６０）、Ｓ１１７０にて、還元機稼働フラグＦ１をセットし、更にＳ１１８０にて、玉通路シャッター２１０を開放させる玉通路シャッター開放処理（後述）を実行し、この処理が終了した後に、管理端末側還元機稼働処理を終了する。
【０１１８】
一方、還元機稼働中検知端子Ｐ３がオフであれば、還元機２００が停止中であると判断し（Ｓ１１６０）、Ｓ１１９０にて、還元機稼働中検知端子Ｐ３がオフと判断されてから５００ミリ秒経過したか否かを判断する。ここで、５００ミリ秒経過していなければ（Ｓ１１９０）、Ｓ１１６０に移行し、上述の処理を繰り返す。一方、５００ミリ秒経過すると（Ｓ１１９０）、Ｓ１２００にて、還元機稼働異常フラグＦ７をセットし、Ｓ１２１０にて、稼働指示に従って還元機２００が稼働しない旨（還元機稼働異常）を島情報表示装置８に報知させ、Ｓ１２２０にて、玉通路シャッター２１０を閉鎖させる玉通路シャッター閉鎖処理（後述）を実行し、この処理が終了した後に、管理端末側還元機稼働処理を終了する。
【０１１９】
［スイッチパネル側還元機停止処理］
次に、島コントロール制御ユニット装置５のＣＰＵ４１ａが実行するスイッチパネル側還元機停止処理の手順を、図１９を用いて説明する。図１９はスイッチパネル側還元機停止処理を表すフローチャートである。このスイッチパネル側還元機停止処理は、還元機２００が稼働中に操作スイッチ群装置６の還元機用操作部５１のボタン５１ａが押下された時に実行される処理である。
【０１２０】
このスイッチパネル側還元機停止処理においては、島コントロール制御ユニット装置５のＣＰＵ４１ａは、まず、Ｓ１３１０にて、還元機稼働指示端子Ｐ６をオフにし、更にＳ１３２０にて、還元機停止指示端子Ｐ７をオンにする。これにより、還元機２００への停止指示が開始される。
【０１２１】
その後Ｓ１３３０にて、還元機稼働中検知端子Ｐ３がオンになっているか否かを判断する。即ち、還元機２００が稼働中であるか否かを判断する。ここで、還元機稼働中検知端子Ｐ３がオフであれば、還元機２００が停止中であると判断し（Ｓ１３３０）、Ｓ１３４０にて、還元機稼働フラグＦ１をクリアし、スイッチパネル側還元機停止処理を終了する。
【０１２２】
一方、還元機稼働中検知端子Ｐ３がオンであれば、還元機２００が稼働中であると判断し（Ｓ１３３０）、Ｓ１３５０にて、還元機稼働中検知端子Ｐ３がオンと判断されてから
５００ミリ秒経過したか否かを判断する。ここで、５００ミリ秒経過していなければ（Ｓ１３５０）、Ｓ１３３０に移行し、上述の処理を繰り返す。一方、５００ミリ秒経過すると（Ｓ１３５０）、Ｓ１３６０にて、還元機停止異常フラグＦ８をセットし、Ｓ１３７０にて、停止指示に従って還元機２００が停止しない旨（還元機停止異常）を島情報表示装置８に報知させる。その後Ｓ１３８０にて還元機停止指示端子Ｐ７をオンにし、更にＳ１３９０にて還元機稼働指示端子Ｐ６をオフにする。そして、スイッチパネル側還元機停止処理を終了する。
【０１２３】
［管理端末側還元機停止処理］
次に、島コントロール制御ユニット装置５のＣＰＵ４１ａが実行する管理端末側還元機停止処理の手順を、図２０を用いて説明する。図２０は管理端末側還元機停止処理を表すフローチャートである。この管理端末側還元機停止処理は、還元機停止ボタンＨ０１０４が押下された時に実行される処理である。
【０１２４】
この管理端末側還元機停止処理においては、島コントロール制御ユニット装置５のＣＰＵ４１ａは、まず、Ｓ１５１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ１５１０）、管理端末側還元機停止処理を終了する。これにより、還元機扉が開放中の場合には還元機停止ボタンＨ０１０４が押下されても還元機２００は停止しない。
【０１２５】
一方、還元機扉開放中検知端子Ｐ５３がオフであれば、還元機扉が閉鎖中であると判断し（Ｓ１５１０）、Ｓ１５２０にて、点検扉開放中検知端子Ｐ５４〜Ｐ５７がオンになっているか否かを判断する。即ち、点検扉が開放中であるか否かを判断する。ここで、点検扉開放中検知端子Ｐ５４〜Ｐ５７がオンであれば、点検扉が開放中であると判断し（Ｓ１５２０）、管理端末側還元機停止処理を終了する。これにより、点検扉が開放中の場合には還元機停止ボタンＨ０１０４が押下されても還元機２００は停止しない。
【０１２６】
一方、点検扉開放中検知端子Ｐ５４〜Ｐ５７がオフであれば、点検扉が閉鎖中であると判断し（Ｓ１５２０）、Ｓ１５３０にて、玉通路シャッター２１０を閉鎖させる玉通路シャッター閉鎖処理（後述）を実行し、この処理が終了した後に、Ｓ１５４０にて、後述のＳ１７４０またはＳ２０１０でセットされる玉通路シャッター開放フラグＦ２がセットされているか否かを判断する。即ち、玉通路シャッター２１０が開放中であるか否かを判断する。
【０１２７】
ここで、玉通路シャッター開放フラグＦ２がセットされていれば、玉通路シャッター２１０が開放中であると判断し（Ｓ１５４０）、管理端末側還元機停止処理を終了する。これにより、玉通路シャッター２１０が開放中の場合には還元機停止ボタンＨ０１０４が押下されても還元機２００は停止しない。
【０１２８】
一方、玉通路シャッター開放フラグＦ２がクリアされていれば、玉通路シャッター２１０が閉鎖中であると判断し（Ｓ１５４０）、Ｓ１５５０にて、還元機稼働指示端子Ｐ６をオフにし、更にＳ１５６０にて、還元機停止指示端子Ｐ７をオンにする。これにより、還元機２００への停止指示が開始される。
【０１２９】
その後Ｓ１５７０にて、還元機稼働中検知端子Ｐ３がオンになっているか否かを判断する。即ち、還元機２００が稼働中であるか否かを判断する。ここで、還元機稼働中検知端子Ｐ３がオフであれば、還元機２００が停止中であると判断し（Ｓ１５７０）、Ｓ１５８０にて、還元機稼働フラグＦ１をクリアし、管理端末側還元機停止処理を終了する。
【０１３０】
一方、還元機稼働中検知端子Ｐ３がオンであれば、還元機２００が稼働中であると判断し（Ｓ１５７０）、Ｓ１５９０にて、還元機稼働中検知端子Ｐ３がオンと判断されてから５００ミリ秒経過したか否かを判断する。ここで、５００ミリ秒経過していなければ（Ｓ１５９０）、Ｓ１５７０に移行し、上述の処理を繰り返す。一方、５００ミリ秒経過すると（Ｓ１５９０）、Ｓ１６００にて、還元機停止異常フラグＦ８をセットし、Ｓ１６１０にて、停止指示に従って還元機２００が停止しない旨（還元機停止異常）を島情報表示装置８に報知させる。その後Ｓ１６２０にて還元機停止指示端子Ｐ７をオンにし、更にＳ１６３０にて還元機稼働指示端子Ｐ６をオフにする。そしてＳ１６４０にて、還元機稼働フラグＦ１をクリアし、管理端末側還元機停止処理を終了する。
【０１３１】
［玉通路シャッター開放処理］
次に、Ｓ１１８０にて行われる玉通路シャッター開放処理の手順を、図２１を用いて説明する。図２１は玉通路シャッター開放処理を表すフローチャートである。
【０１３２】
この玉通路シャッター開放処理が起動されると、まず、Ｓ１７１０にて、玉通路シャッター閉鎖電源端子Ｐ１０をオフにし、更にＳ１７２０にて、玉通路シャッター開放電源端子Ｐ９をオンにする。これにより、玉通路シャッター２１０への開放指示が開始される。
【０１３３】
その後Ｓ１７３０にて、玉通路シャッター開放中検知端子Ｐ４がオンになっているか否かを判断する。即ち、玉通路シャッター２１０が開放中であるか否かを判断する。ここで、玉通路シャッター開放中検知端子Ｐ４がオンであれば、玉通路シャッター２１０が開放中であると判断し（Ｓ１７３０）、Ｓ１７４０にて、玉通路シャッター開放フラグＦ２をセットし、玉通路シャッター開放処理を終了する。
【０１３４】
一方、玉通路シャッター開放中検知端子Ｐ４がオフであれば、玉通路シャッター２１０が開放中ではないと判断し（Ｓ１７３０）、Ｓ１７５０にて、玉通路シャッター開放中検知端子Ｐ４がオフと判断されてから１０秒経過したか否かを判断する。ここで、１０秒経過していなければ（Ｓ１７５０）、Ｓ１７３０に移行し、上述の処理を繰り返す。一方、１０秒経過すると、Ｓ１７６０にて、玉通路シャッター開放異常フラグＦ９をセットし、更にＳ１７７０にて、開放指示に従って玉通路シャッター２１０が開放しない旨（玉通路シャッター開放異常）を島情報表示装置８に報知させる。その後Ｓ１７８０にて玉通路シャッター開放電源端子Ｐ９をオフにし、更にＳ１７９０にて玉通路シャッター閉鎖電源端子Ｐ１０をオフにする。そしてＳ１８００にて、玉通路シャッター開放フラグＦ２をクリアし、玉通路シャッター開放処理を終了する。
【０１３５】
［玉通路シャッター閉鎖処理］
次に、Ｓ１２２０及びＳ１５３０にて行われる玉通路シャッター閉鎖処理の手順を、図２２を用いて説明する。図２２は玉通路シャッター閉鎖処理を表すフローチャートである。
【０１３６】
この玉通路シャッター閉鎖処理が起動されると、まず、Ｓ１９１０にて、玉通路シャッター開放電源端子Ｐ９をオフにし、更にＳ１９２０にて、玉通路シャッター閉鎖電源端子Ｐ１０をオンにする。これにより、玉通路シャッター２１０への閉鎖指示が開始される。
【０１３７】
その後Ｓ１９３０にて、玉通路シャッター閉鎖中検知端子Ｐ５がオンになっているか否かを判断する。即ち、玉通路シャッター２１０が閉鎖中であるか否かを判断する。ここで、玉通路シャッター閉鎖中検知端子Ｐ５がオンであれば、玉通路シャッター２１０が閉鎖中であると判断し（Ｓ１９３０）、Ｓ１９４０にて、玉通路シャッター閉鎖中検知端子Ｐ５がオンと判断されてから５秒経過したか否かを判断する。ここで、５秒経過していなければ（Ｓ１９４０）、Ｓ１９３０に移行し、上述の処理を繰り返す。一方、５秒経過する
と（Ｓ１９４０）、Ｓ１９５０にて、玉通路シャッター開放フラグＦ２をクリアし、玉通路シャッター閉鎖処理を終了する。
【０１３８】
一方、玉通路シャッター閉鎖中検知端子Ｐ５がオフであれば、玉通路シャッター２１０が閉鎖中ではないと判断し（Ｓ１９３０）、Ｓ１９６０にて、玉通路シャッター閉鎖中検知端子Ｐ５がオフと判断されてから１０秒経過したか否かを判断する。ここで、１０秒経過していなければ（Ｓ１９６０）、Ｓ１９３０に移行し、上述の処理を繰り返す。一方、１０秒経過すると（Ｓ１９６０）、Ｓ１９７０にて、玉通路シャッター閉鎖異常フラグＦ１０をセットし、Ｓ１９８０にて、閉鎖指示に従って玉通路シャッター２１０が閉鎖しない旨（玉通路シャッター閉鎖異常）を島情報表示装置８に報知させる。その後Ｓ１９９０にて、玉通路シャッター開放電源端子Ｐ９をオフにし、更にＳ２０００にて、玉通路シャッター閉鎖電源端子Ｐ１０をオフにする。そしてＳ２０１０にて、玉通路シャッター開放フラグＦ２をセットし、玉通路シャッター閉鎖処理を終了する。
【０１３９】
［還元機定期監視処理］
次に、島コントロール制御ユニット装置５のＣＰＵ４１ａが実行する還元機定期監視処理の手順を、図２３及び図２４を用いて説明する。図２３は還元機定期監視処理の前半部分、図２４は還元機定期監視処理の後半部分を表すフローチャートである。この還元機定期監視処理は、ＣＰＵ４１ａが起動している間に５００ミリ秒毎に実行される処理である。
【０１４０】
この還元機定期監視処理においては、島コントロール制御ユニット装置５のＣＰＵ４１ａは、まず、Ｓ２１１０にて、オーバーロード検知端子Ｐ１がオンになっているか否かを判断する。
【０１４１】
ここで、オーバーロード検知端子Ｐ１がオンであれば（Ｓ２１１０）、Ｓ２１２０にて、玉通路シャッター閉鎖処理（上述）を行い、この処理が終了後に、Ｓ２１３０にて、還元機２００でオーバーロードが発生している旨（オーバーロード異常）を島情報表示装置８に報知させ、更にＳ２１４０にて、スイッチパネル側還元機停止処理（上述）を行い、還元機定期監視処理を終了する。尚、オーバーロードとは、還元機２００を稼動させるモータに過負荷がかかった際に、還元機２００の電源を落とす処理のことであり、還元機２００の電源を落とすことで還元機２００の故障を未然に防ぐためのものである。また、還元機２００の初期稼動時は、還元機駆動時よりもモータに付加がかかるため、所定時間（還元機が駆動を開始してから正常に駆動するまでの時間、約１秒）以上の間モータの過負荷を検出した際にオーバーロードの処理を行うよう制御されている。
【０１４２】
一方、オーバーロード検知端子Ｐ１がオフであれば（Ｓ２１１０）、Ｓ２１５０にて、オーバーフロー検知端子Ｐ２がオンになっているか否かを判断する。ここで、オーバーフロー検知端子Ｐ２がオンであれば（Ｓ２１５０）、Ｓ２１６０にて、オーバーフロー検知端子Ｐ２がオンと判断されてから２秒経過したか否かを判断する。ここで、２秒経過していなければ（Ｓ２１６０）、Ｓ２１５０に移行し、上述の処理を繰り返す。一方、２秒経過すると（Ｓ２１６０）、Ｓ２１７０にて、玉通路シャッター閉鎖処理（上述）を行い、この処理が終了後に、Ｓ２１８０にて、遊技台島１００でオーバーフローが発生している旨（オーバーフロー異常）を島情報表示装置８に報知させ、更にＳ２１９０にて、スイッチパネル側還元機稼働処理（上述）を行い、この処理が終了後に、還元機定期監視処理を終了する。
【０１４３】
またＳ２１５０にて、オーバーフロー検知端子Ｐ２がオフであれば（Ｓ２１５０）、Ｓ２２００にて、断線検知機能付きのオーバーフロー検知端子Ｐ２で断線が検知されたか否かを判断する。ここで、断線が検知されていれば（Ｓ２２００）、Ｓ２２１０にて、オー
バーフローセンサが断線している旨（オーバーフローセンサ断線異常）を島情報表示装置８に報知させ、還元機定期監視処理を終了する。
【０１４４】
一方、断線が検知されていなければ（Ｓ２２００）、Ｓ２２２０にて、還元機停止異常フラグＦ８がセットされているか否かを判断する。ここで、還元機停止異常フラグＦ８がセットされていなければ（Ｓ２２２０）、Ｓ２２６０に移行する。一方、還元機停止異常フラグＦ８がセットされていれば（Ｓ２２２０）、Ｓ２２３０にて、還元機稼働中検知端子Ｐ３がオンになっているか否かを判断する。即ち、還元機２００が稼働中であるか否かを判断する。
【０１４５】
ここで、還元機稼働中検知端子Ｐ３がオンであれば、還元機２００が稼働中であると判断し（Ｓ２２３０）、還元機定期監視処理を終了する。一方、還元機稼働中検知端子Ｐ３がオフであれば、還元機２００が停止中であると判断し（Ｓ２２３０）、Ｓ２２４０にて、還元機停止異常フラグＦ８をクリアし、Ｓ２２５０にて、還元機稼働フラグＦ１をクリアして、Ｓ２２６０に移行する。
【０１４６】
そしてＳ２２６０に移行すると、還元機稼働異常フラグＦ７がセットされているか否かを判断する。ここで、還元機稼働異常フラグＦ７がセットされていなければ（Ｓ２２６０）、還元機定期監視処理を終了する。一方、還元機稼働異常フラグＦ７がセットされていれば（Ｓ２２６０）、Ｓ２２７０にて、還元機稼働中検知端子Ｐ３がオンになっているか否かを判断する。即ち、還元機２００が稼働中であるか否かを判断する。
【０１４７】
ここで、還元機稼働中検知端子Ｐ３がオフであれば、還元機２００が停止中であると判断し（Ｓ２２７０）、還元機定期監視処理を終了する。一方、還元機稼働中検知端子Ｐ３がオンであれば、還元機２００が稼働中であると判断し（Ｓ２２７０）、Ｓ２２８０にて、還元機稼働異常フラグＦ７をクリアし、Ｓ２２９０にて、還元機稼働フラグＦ１をセットして、還元機定期監視処理を終了する。
【０１４８】
［スイッチパネル側玉通路シャッター開放処理］
次に、島コントロール制御ユニット装置５のＣＰＵ４１ａが実行するスイッチパネル側玉通路シャッター開放処理の手順を説明する。このスイッチパネル側玉通路シャッター開放処理は、玉通路シャッター２１０が閉鎖中に操作スイッチ群装置６の玉通路シャッター用操作部５２のボタン５２ａが押下された時に実行される処理であり、図２１に記載した処理と同じ処理を行う。
【０１４９】
［スイッチパネル側玉通路シャッター閉鎖処理］
次に、島コントロール制御ユニット装置５のＣＰＵ４１ａが実行するスイッチパネル側玉通路シャッター閉鎖処理の手順を説明する。このスイッチパネル側玉通路シャッター閉鎖処理は、玉通路シャッター２１０が開放中に操作スイッチ群装置６の玉通路シャッター用操作部５２のボタン５２ａが押下された時に実行される処理であり、図２２に記載した処理と同じ処理を行う。
【０１５０】
［玉通路シャッター定期監視処理］
次に、島コントロール制御ユニット装置５のＣＰＵ４１ａが実行する玉通路シャッター定期監視処理の手順を、図２５を用いて説明する。図２５は玉通路シャッター定期監視処理を表すフローチャートである。この玉通路シャッター定期監視処理は、ＣＰＵ４１ａが起動している間に５００ミリ秒毎に実行される処理である。
【０１５１】
この玉通路シャッター定期監視処理においては、島コントロール制御ユニット装置５のＣＰＵ４１ａは、まず、Ｓ３３１０にて、玉通路シャッター閉鎖異常フラグＦ１０がセッ
トされているか否かを判断する。ここで、玉通路シャッター閉鎖異常フラグＦ１０がセットされていなければ（Ｓ３３１０）、Ｓ３３５０に移行する。一方、玉通路シャッター閉鎖異常フラグＦ１０がセットされていれば（Ｓ３３１０）、Ｓ３３２０にて、玉通路シャッター閉鎖中検知端子Ｐ５がオンになっているか否かを判断する。即ち、玉通路シャッター２１０が閉鎖中であるか否かを判断する。
【０１５２】
ここで、玉通路シャッター閉鎖中検知端子Ｐ５がオンであれば、玉通路シャッター２１０が閉鎖中であると判断し（Ｓ３３２０）、玉通路シャッター定期監視処理を終了する。一方、玉通路シャッター閉鎖中検知端子Ｐ５がオフであれば、玉通路シャッター２１０が開放中であると判断し（Ｓ３３２０）、Ｓ３３３０にて、玉通路シャッター閉鎖異常フラグＦ１０をクリアし、Ｓ３３４０にて、玉通路シャッター開放フラグＦ２をクリアして、Ｓ３３５０に移行する。
【０１５３】
そしてＳ３３５０に移行すると、玉通路シャッター開放異常フラグＦ９がセットされているか否かを判断する。ここで、玉通路シャッター開放異常フラグＦ９がセットされていなければ（Ｓ３３５０）、玉通路シャッター定期監視処理を終了する。一方、玉通路シャッター開放異常フラグＦ９がセットされていれば（Ｓ３３５０）、Ｓ３３６０にて、玉通路シャッター開放中検知端子Ｐ４がオンになっているか否かを判断する。即ち、玉通路シャッター２１０が開放中であるか否かを判断する。
【０１５４】
ここで、玉通路シャッター開放中検知端子Ｐ４がオフであれば、玉通路シャッター２１０が閉鎖中であると判断し（Ｓ３３６０）、玉通路シャッター定期監視処理を終了する。一方、玉通路シャッター開放中検知端子Ｐ４がオンであれば、玉通路シャッター２１０が閉鎖中であると判断し（Ｓ３３６０）、Ｓ３３７０にて、玉通路シャッター開放異常フラグＦ９をクリアし、Ｓ３３８０にて、玉通路シャッター開放フラグＦ２をセットして、玉通路シャッター定期監視処理を終了する。
【０１５５】
［スイッチパネル側ヒータ稼働処理］
次に、島コントロール制御ユニット装置５のＣＰＵ４１ａが実行するスイッチパネル側ヒータ稼働処理の手順を、図２６を用いて説明する。図２６はスイッチパネル側ヒータ稼働処理を表すフローチャートである。このスイッチパネル側ヒータ稼働処理は、ヒータ２２０が停止中に操作スイッチ群装置６のヒータ用操作部５４のボタン５４ａが押下された時に実行される処理である。
【０１５６】
このスイッチパネル側ヒータ稼働処理においては、島コントロール制御ユニット装置５のＣＰＵ４１ａは、まず、Ｓ３４１０にて、後述のＳ４４２０及びＳ４６５０でセットされる玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ３４１０）、Ｓ３４３０にて、ヒータ温度制御フラグＦ６をクリアして、Ｓ３４４０に移行する。
【０１５７】
一方、玉抜きストッパー開放フラグＦ３がクリアされていれば、玉抜きストッパー２３０が閉鎖中であると判断し（Ｓ３４１０）、Ｓ３４２０にて、ヒータ温度制御フラグＦ６をセットして、Ｓ３４４０に移行する。
【０１５８】
そしてＳ３４４０に移行すると、ヒータ電源端子Ｐ２８〜Ｐ３３をオンにする。これにより、ヒータ２２０への稼動指示を開始させる。
その後Ｓ３４５０にて、断線検知機能付きのヒータ電源端子Ｐ２８〜Ｐ３３で断線が検
知されたか否かを判断する。ここで、断線が検知されていれば（Ｓ３４５０）、Ｓ３４９０にて、ヒータ電源が断線している旨（ヒータ断線異常）を島情報表示装置８に報知させ、Ｓ３５００にて、ヒータ電源端子Ｐ２８〜Ｐ３３をオフにする。その後、Ｓ３５１０にて、ヒータ稼働フラグＦ４をクリアして、スイッチパネル側ヒータ稼働処理を終了する。
【０１５９】
またＳ３４５０にて、断線が検知されていなければ（Ｓ３４５０）、Ｓ３４６０にて、ヒータ電源端子Ｐ２８〜Ｐ３３で断線を検知していない状態で５００ミリ秒経過したか否かを判断する。ここで、５００ミリ秒経過していなければ（Ｓ３４６０）、Ｓ３４５０に移行し、上述の処理を繰り返す。一方、５００ミリ秒経過すると（Ｓ３４６０）、Ｓ３４７０にて、ヒータ稼働フラグＦ４をセットして、Ｓ３４８０にて、ヒータ２２０の温度を制御するヒータ制御処理（後述）を行い、スイッチパネル側ヒータ稼働処理を終了する。
【０１６０】
［管理端末側ヒータ稼働処理］
次に、島コントロール制御ユニット装置５のＣＰＵ４１ａが実行する管理端末側ヒータ稼働処理の手順を、図２７を用いて説明する。図２７は管理端末側ヒータ稼働処理を表すフローチャートである。この管理端末側ヒータ稼働処理は、ヒータ稼働ボタンＨ０１０７が押下された時に実行される処理である。
【０１６１】
この管理端末側ヒータ稼働処理においては、島コントロール制御ユニット装置５のＣＰＵ４１ａは、まず、Ｓ３６１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ３６１０）、管理端末側ヒータ稼働処理を終了する。これにより、還元機扉が開放中の場合にはヒータ稼働ボタンＨ０１０７が押下されてもヒータ２２０は稼働しない。
【０１６２】
一方、還元機扉開放中検知端子Ｐ５３がオフであれば、還元機扉が閉鎖中であると判断し（Ｓ３６１０）、Ｓ３６２０にて、点検扉開放中検知端子Ｐ５４〜Ｐ５７がオンになっているか否かを判断する。即ち、点検扉が開放中であるか否かを判断する。ここで、点検扉開放中検知端子Ｐ５４〜Ｐ５７がオンであれば、点検扉が開放中であると判断し（Ｓ３６２０）、管理端末側ヒータ稼働処理を終了する。これにより、点検扉が開放中の場合にはヒータ稼働ボタンＨ０１０７が押下されてもヒータ２２０は稼働しない。
【０１６３】
一方、点検扉開放中検知端子Ｐ５４〜Ｐ５７がオフであれば、点検扉が閉鎖中であると判断し（Ｓ３６２０）、Ｓ３６３０にて、後述のＳ４４２０及びＳ４６５０でセットされる玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ３６３０）、Ｓ３６５０にて、ヒータ温度制御フラグＦ６をクリアして、Ｓ３６６０に移行する。
【０１６４】
一方、玉抜きストッパー開放フラグＦ３がクリアされていれば、玉抜きストッパー２３０が閉鎖中であると判断し（Ｓ３６３０）、Ｓ３６４０にて、ヒータ温度制御フラグＦ６をセットして、Ｓ３６６０に移行する。
【０１６５】
そしてＳ３６６０に移行すると、ヒータ電源端子Ｐ２８〜Ｐ３３をオンにする。これにより、ヒータ２２０への稼動指示が開始される。
その後Ｓ３６７０にて、断線検知機能付きのヒータ電源端子Ｐ２８〜Ｐ３３で断線が検知されたか否かを判断する。ここで、断線が検知されていれば（Ｓ３６７０）、Ｓ３７１０にて、ヒータ電源が断線している旨（ヒータ断線異常）を島情報表示装置８に報知させ
、Ｓ３７２０にて、ヒータ電源端子Ｐ２８〜Ｐ３３をオフにする。その後、Ｓ３７３０にて、ヒータ稼働フラグＦ４をクリアして、管理端末側ヒータ稼働処理を終了する。
【０１６６】
またＳ３６７０にて、断線が検知されていなければ（Ｓ３６７０）、Ｓ３６８０にて、ヒータ電源端子Ｐ２８〜Ｐ３３で断線を検知していない状態で５００ミリ秒経過したか否かを判断する。ここで、５００ミリ秒経過していなければ（Ｓ３６８０）、Ｓ３６７０に移行し、上述の処理を繰り返す。一方、５００ミリ秒経過すると（Ｓ３６８０）、Ｓ３６９０にて、ヒータ稼働フラグＦ４をセットして、Ｓ３７００にて、ヒータ２２０の温度を制御するヒータ制御処理（後述）を行い、管理端末側ヒータ稼働処理を終了する。
【０１６７】
［スイッチパネル側ヒータ停止処理］
次に、島コントロール制御ユニット装置５のＣＰＵ４１ａが実行するスイッチパネル側ヒータ停止処理の手順を、図２８を用いて説明する。図２８はスイッチパネル側ヒータ停止処理を表すフローチャートである。このスイッチパネル側ヒータ停止処理は、ヒータ２２０が稼働中に操作スイッチ群装置６のヒータ用操作部５４のボタン５４ａが押下された時に実行される処理である。
【０１６８】
このスイッチパネル側ヒータ停止処理においては、島コントロール制御ユニット装置５のＣＰＵ４１ａは、まず、Ｓ３８１０にて、ヒータ稼働フラグＦ４がセットされているか否かを判断する。即ち、ヒータ２２０が稼働中であるか否かを判断する。ここで、ヒータ稼働フラグＦ４がセットされていれば、ヒータ２２０が稼働中であると判断し（Ｓ３８１０）、Ｓ３８２０にて、断線検知機能付きのヒータ電源端子Ｐ２８〜Ｐ３３で断線が検知されたか否かを判断する。ここで、断線が検知されていれば（Ｓ３８２０）、Ｓ３８３０にて、ヒータ電源が断線している旨（ヒータ断線異常）を島情報表示装置８に報知させ、Ｓ３８４０に移行する。一方、断線が検知されていなければ（Ｓ３８２０）、Ｓ３８４０に移行する。
【０１６９】
またＳ３８１０にて、ヒータ稼働フラグＦ４がクリアされていれば（Ｓ３８１０）、Ｓ３８４０に移行する。
そしてＳ３８４０に移行すると、ヒータ電源端子Ｐ２８〜Ｐ３３をオフにして、更にＳ３８５０にて、ヒータ稼働フラグＦ４をクリアして、スイッチパネル側ヒータ停止処理を終了する。
【０１７０】
［管理端末側ヒータ停止処理］
次に、島コントロール制御ユニット装置５のＣＰＵ４１ａが実行する管理端末側ヒータ停止処理の手順を、図２９を用いて説明する。図２９は管理端末側ヒータ停止処理を表すフローチャートである。この管理端末側ヒータ停止処理は、ヒータ停止ボタンＨ０１０８が押下された時に実行される処理である。
【０１７１】
この管理端末側ヒータ停止処理においては、島コントロール制御ユニット装置５のＣＰＵ４１ａは、まず、Ｓ３９１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ３９１０）、管理端末側ヒータ停止処理を終了する。これにより、還元機扉が開放中の場合にはヒータ停止ボタンＨ０１０８が押下されてもヒータ２２０は停止しない。
【０１７２】
一方、還元機扉開放中検知端子Ｐ５３がオフであれば、還元機扉が閉鎖中であると判断し（Ｓ３９１０）、Ｓ３９２０にて、点検扉開放中検知端子Ｐ５４〜Ｐ５７がオンになっているか否かを判断する。即ち、点検扉が開放中であるか否かを判断する。ここで、点検
扉開放中検知端子Ｐ５４〜Ｐ５７がオンであれば、点検扉が開放中であると判断し（Ｓ３９２０）、管理端末側ヒータ停止処理を終了する。これにより、点検扉が開放中の場合にはヒータ停止ボタンＨ０１０８が押下されてもヒータ２２０は停止しない。
【０１７３】
一方、点検扉開放中検知端子Ｐ５４〜Ｐ５７がオフであれば、点検扉が閉鎖中であると判断し（Ｓ３９２０）、Ｓ３９３０にて、ヒータ稼働フラグＦ４がセットされているか否かを判断する。即ち、ヒータ２２０が稼働中であるか否かを判断する。ここで、ヒータ稼働フラグＦ４がセットされていれば、ヒータ２２０が稼働中であると判断し（Ｓ３９３０）、Ｓ３９４０にて、断線検知機能付きのヒータ電源端子Ｐ２８〜Ｐ３３で断線が検知されたか否かを判断する。ここで、断線が検知されていれば（Ｓ３９４０）、Ｓ３９５０にて、ヒータ電源が断線している旨（ヒータ断線異常）を島情報表示装置８に報知させ、Ｓ３９６０に移行する。一方、断線が検知されていなければ（Ｓ３９４０）、Ｓ３９６０に移行する。
【０１７４】
またＳ３９３０にて、ヒータ稼働フラグＦ４がクリアされていれば（Ｓ３９３０）、Ｓ３９６０に移行する。
そしてＳ３９６０に移行すると、ヒータ電源端子Ｐ２８〜Ｐ３３をオフにして、更にＳ３９７０にて、ヒータ稼働フラグＦ４をクリアして、管理端末側ヒータ停止処理を終了する。
【０１７５】
［ヒータ定期監視処理］
次に、島コントロール制御ユニット装置５のＣＰＵ４１ａが実行するヒータ定期監視処理の手順を、図３０を用いて説明する。図３０はヒータ定期監視処理を表すフローチャートである。このヒータ定期監視処理は、ＣＰＵ４１ａが起動している間に５００ミリ秒毎に実行される処理である。
【０１７６】
このヒータ定期監視処理においては、島コントロール制御ユニット装置５のＣＰＵ４１ａは、Ｓ４１１０にて、ヒータ２２０の温度を制御するヒータ制御処理（後述）を行い、この処理を終了後に、Ｓ４１２０にて、断線検知機能付きのヒータ電源端子Ｐ２８〜Ｐ３３で断線が検知されたか否かを判断する。ここで、断線が検知されていれば（Ｓ４１２０）、Ｓ４１３０にて、ヒータ電源が断線している旨（ヒータ断線異常）を島情報表示装置８に報知させ、Ｓ４１４０にて、ヒータ電源端子Ｐ２８〜Ｐ３３をオフにする。その後、Ｓ４１５０にて、ヒータ稼働フラグＦ４をクリアして、ヒータ定期監視処理を終了する。またＳ４１２０にて、断線が検知されていなければ（Ｓ４１２０）、ヒータ定期監視処理を終了する。
【０１７７】
［ヒータ制御処理］
次に、Ｓ３４８０，Ｓ３７００及びＳ４１１０にて行われるヒータ制御処理の手順を、図３１を用いて説明する。図３１はヒータ制御処理を表すフローチャートである。
【０１７８】
このヒータ制御処理が起動されると、まず、Ｓ４２１０にて、ヒータ温度制御フラグＦ６がセットされているか否かを判断する。即ち、ヒータ２２０の温度制御が有効であるか否かを判断する。ここで、ヒータ温度制御フラグＦ６がクリアされていれば、ヒータ２２０の温度制御が無効であると判断し（Ｓ４２１０）、ヒータ制御処理を終了する。ヒータ制御処理を行わない理由としては、例えば、玉抜きストッパー２３０が開放しているためヒータ温度制御フラグＦ６がクリアされている状態では、遊技玉が補給樋２５０上に滞留していることは無く、ヒータ２２０によって補給樋が暖めすぎたとしても遊技玉が補給樋２５０から熱を吸収し続け高温になることがないため、ヒータ制御を行う必要が無いからである。
【０１７９】
一方、ヒータ温度制御フラグＦ６がセットされていれば、ヒータ２２０の温度制御が有効であると判断し（Ｓ４２１０）、Ｓ４２２０にて、温度検知端子Ｐ２６で検知された温度（以下、ヒータ検知温度１という）または温度検知端子Ｐ２７で検知された温度（以下、ヒータ検知温度２という）がヒータ停止判定値Ｋ１（本実施形態では例えば４５℃に相当する値）を越えているか否かを判断する。
【０１８０】
ここで、ヒータ検知温度１またはヒータ検知温度２がヒータ停止判定値Ｋ１を越えていれば（Ｓ４２２０）、Ｓ４２３０にて、ヒータ電源端子Ｐ２８〜Ｐ３３をオフにして、更にＳ４２４０にて、ヒータ稼働フラグＦ４をクリアして、ヒータ制御処理を終了する。一方、ヒータ検知温度１またはヒータ検知温度２がヒータ停止判定値Ｋ１以下であれば（Ｓ４２２０）、Ｓ４２５０にて、ヒータ検知温度１またはヒータ検知温度２がヒータ稼働判定値Ｋ２（本実施形態では例えば４０℃に相当する値）未満であるか否かを判断する。
【０１８１】
ここで、ヒータ検知温度１またはヒータ検知温度２がヒータ稼働判定値Ｋ２未満であれば（Ｓ４２５０）、Ｓ４２６０にて、ヒータ電源端子Ｐ２８〜Ｐ３３をオンにして、更にＳ４２７０にて、ヒータ稼働フラグＦ４をセットして、ヒータ制御処理を終了する。一方、ヒータ検知温度１またはヒータ検知温度２がヒータ稼働判定値Ｋ２以上であれば（Ｓ４２５０）、ヒータ制御処理を終了する。
【０１８２】
［スイッチパネル側玉抜きストッパー開放処理］
次に、島コントロール制御ユニット装置５のＣＰＵ４１ａが実行するスイッチパネル側玉抜きストッパー開放処理の手順を、図３２を用いて説明する。図３２はスイッチパネル側玉抜きストッパー開放処理を表すフローチャートである。このスイッチパネル側玉抜きストッパー開放処理は、玉抜きストッパー２３０が閉鎖中に操作スイッチ群装置６の玉抜きストッパー用操作部５３のボタン５３ａが押下された時に実行される処理である。
【０１８３】
このスイッチパネル側玉抜きストッパー開放処理においては、島コントロール制御ユニット装置５のＣＰＵ４１ａは、まず、Ｓ４４１０にて、ソレノイド開閉動作電源端子Ｐ２２〜Ｐ２５をオンにする。これにより、玉抜きストッパー２３０が開放する。そしてＳ４４２０にて、玉抜きストッパー開放フラグＦ３をセットし、Ｓ４４３０にて、ヒータ温度制御フラグＦ６をクリアする。
【０１８４】
その後Ｓ４４４０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ４４４０）、スイッチパネル側玉抜きストッパー開放処理を終了する。
【０１８５】
一方、玉通過検知端子Ｐ１８〜Ｐ２１がオフであれば、玉が流れていないと判断し（Ｓ４４４０）、Ｓ４４５０にて、玉通過検知端子Ｐ１８〜Ｐ２１がオフと判断されてから５秒経過したか否かを判断する。ここで、５秒経過していなければ（Ｓ４４５０）、Ｓ４４４０に移行し、上述の処理を繰り返す。一方、５秒経過すると（Ｓ４４５０）、Ｓ４４６０にて、玉が流れていない状況を解消する玉流れ異常処理（後述）を実行し、この処理が終了した後に、スイッチパネル側玉抜きストッパー開放処理を終了する。
【０１８６】
［管理端末側玉抜きストッパー開放処理］
次に、島コントロール制御ユニット装置５のＣＰＵ４１ａが実行する管理端末側玉抜きストッパー開放処理の手順を、図３３を用いて説明する。図３３は管理端末側玉抜きストッパー開放処理を表すフローチャートである。この管理端末側玉抜きストッパー開放処理は、玉抜きストッパー開放ボタンＨ０１０５が押下された時に実行される処理である。
【０１８７】
この管理端末側玉抜きストッパー開放処理においては、島コントロール制御ユニット装置５のＣＰＵ４１ａは、まず、Ｓ４６１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ４６１０）、管理端末側玉抜きストッパー開放処理を終了する。これにより、還元機扉が開放中の場合には玉抜きストッパー開放ボタンＨ０１０５が押下されても玉抜きストッパー２３０は開放しない。
【０１８８】
一方、還元機扉開放中検知端子Ｐ５３がオフであれば、還元機扉が閉鎖中であると判断し（Ｓ４６１０）、Ｓ４６２０にて、点検扉開放中検知端子Ｐ５４〜Ｐ５７がオンになっているか否かを判断する。即ち、点検扉が開放中であるか否かを判断する。ここで、点検扉開放中検知端子Ｐ５４〜Ｐ５７がオンであれば、点検扉が開放中であると判断し（Ｓ４６２０）、管理端末側玉抜きストッパー開放処理を終了する。これにより、点検扉が開放中の場合には玉抜きストッパー開放ボタンＨ０１０５が押下されても玉抜きストッパー２３０は開放しない。
【０１８９】
一方、点検扉開放中検知端子Ｐ５４〜Ｐ５７がオフであれば、点検扉が閉鎖中であると判断し（Ｓ４６２０）、Ｓ４６３０にて、還元機稼働フラグＦ１がセットされているか否かを判断する。即ち、還元機２００が稼働中であるか否かを判断する。ここで、還元機稼働フラグＦ１がセットされていれば、還元機２００が稼働中であると判断し（Ｓ４６３０）、管理端末側玉抜きストッパー開放処理を終了する。これにより、還元機２００が稼働中の場合には玉抜きストッパー開放ボタンＨ０１０５が押下されても玉抜きストッパー２３０は開放しない。
【０１９０】
一方、還元機稼働フラグＦ１がクリアされていれば、還元機２００が停止中であると判断し（Ｓ４６３０）、Ｓ４６４０にて、ソレノイド開閉動作電源端子Ｐ２２〜Ｐ２５をオンにする。これにより、玉抜きストッパー２３０が開放する。そしてＳ４６５０にて、玉抜きストッパー開放フラグＦ３をセットし、Ｓ４６６０にて、ヒータ温度制御フラグＦ６をクリアする。
【０１９１】
その後Ｓ４６７０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ４６７０）、管理端末側玉抜きストッパー開放処理を終了する。
【０１９２】
一方、玉通過検知端子Ｐ１８〜Ｐ２１がオフであれば、玉が流れていないと判断し（Ｓ４６７０）、Ｓ４６８０にて、玉通過検知端子Ｐ１８〜Ｐ２１がオフと判断されてから５秒経過したか否かを判断する。ここで、５秒経過していなければ（Ｓ４６８０）、Ｓ４６７０に移行し、上述の処理を繰り返す。一方、５秒経過すると（Ｓ４６８０）、Ｓ４６９０にて、玉が流れていない状況を解消する玉流れ異常処理（後述）を実行し、この処理が終了した後に、管理端末側玉抜きストッパー開放処理を終了する。
【０１９３】
［スイッチパネル側玉抜きストッパー閉鎖処理］
次に、島コントロール制御ユニット装置５のＣＰＵ４１ａが実行するスイッチパネル側玉抜きストッパー閉鎖処理の手順を、図３４を用いて説明する。図３４はスイッチパネル側玉抜きストッパー閉鎖処理を表すフローチャートである。このスイッチパネル側玉抜きストッパー閉鎖処理は、玉抜きストッパー２３０が開放中に操作スイッチ群装置６の玉抜きストッパー用操作部５３のボタン５３ａが押下された時に実行される処理である。
【０１９４】
このスイッチパネル側玉抜きストッパー閉鎖処理においては、島コントロール制御ユニット装置５のＣＰＵ４１ａは、まず、Ｓ４８１０にて、ソレノイド開閉動作電源端子Ｐ２２〜Ｐ２５をオフにする。これにより、玉抜きストッパー２３０が閉鎖する。そしてＳ４８２０にて、玉抜きストッパー開放フラグＦ３をクリアし、Ｓ４８３０にて、ヒータ温度制御フラグＦ６をセットする。
【０１９５】
その後Ｓ４８４０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ４８４０）、スイッチパネル側玉抜きストッパー閉鎖処理を終了する。
【０１９６】
一方、玉通過検知端子Ｐ１８〜Ｐ２１がオンであれば、玉が流れていると判断し（Ｓ４８４０）、Ｓ４８５０にて、玉通過検知端子Ｐ１８〜Ｐ２１がオンと判断されてから５秒経過したか否かを判断する。ここで、５秒経過していなければ（Ｓ４８５０）、Ｓ４８４０に移行し、上述の処理を繰り返す。一方、５秒経過すると（Ｓ４８５０）、Ｓ４８６０にて、玉が流れている状況を解消する玉漏れ異常処理（後述）を実行し、この処理が終了した後に、スイッチパネル側玉抜きストッパー閉鎖処理を終了する。
【０１９７】
［管理端末側玉抜きストッパー閉鎖処理］
次に、島コントロール制御ユニット装置５のＣＰＵ４１ａが実行する管理端末側玉抜きストッパー閉鎖処理の手順を、図３５を用いて説明する。図３５は管理端末側玉抜きストッパー閉鎖処理を表すフローチャートである。この管理端末側玉抜きストッパー閉鎖処理は、玉抜きストッパー閉鎖ボタンＨ０１０６が押下された時に実行される処理である。
【０１９８】
この管理端末側玉抜きストッパー閉鎖処理においては、島コントロール制御ユニット装置５のＣＰＵ４１ａは、まず、Ｓ５０１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ５０１０）、管理端末側玉抜きストッパー開放処理を終了する。これにより、還元機扉が開放中の場合には玉抜きストッパー閉鎖ボタンＨ０１０６が押下されても玉抜きストッパー２３０は閉鎖しない。
【０１９９】
一方、還元機扉開放中検知端子Ｐ５３がオフであれば、還元機扉が閉鎖中であると判断し（Ｓ５０１０）、Ｓ５０２０にて、点検扉開放中検知端子Ｐ５４〜Ｐ５７がオンになっているか否かを判断する。即ち、点検扉が開放中であるか否かを判断する。ここで、点検扉開放中検知端子Ｐ５４〜Ｐ５７がオンであれば、点検扉が開放中であると判断し（Ｓ５０２０）、管理端末側玉抜きストッパー閉鎖処理を終了する。これにより、点検扉が開放中の場合には玉抜きストッパー閉鎖ボタンＨ０１０６が押下されても玉抜きストッパー２３０は閉鎖しない。
【０２００】
一方、点検扉開放中検知端子Ｐ５４〜Ｐ５７がオフであれば、点検扉が閉鎖中であると判断し（Ｓ５０２０）、Ｓ５０３０にて、ソレノイド開閉動作電源端子Ｐ２２〜Ｐ２５をオフにする。これにより、玉抜きストッパー２３０が閉鎖する。そしてＳ５０４０にて、玉抜きストッパー開放フラグＦ３をクリアし、Ｓ５０５０にて、ヒータ温度制御フラグＦ６をセットする。
【０２０１】
その後Ｓ５０６０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ５０６０）、管理端末側玉抜きストッパー閉鎖処理を終了する。
【０２０２】
一方、玉通過検知端子Ｐ１８〜Ｐ２１がオンであれば、玉が流れていると判断し（Ｓ５０６０）、Ｓ５０７０にて、玉通過検知端子Ｐ１８〜Ｐ２１がオンと判断されてから５秒経過したか否かを判断する。ここで、５秒経過していなければ（Ｓ５０７０）、Ｓ５０６０に移行し、上述の処理を繰り返す。一方、５秒経過すると（Ｓ５０７０）、Ｓ５０８０にて、玉が流れている状況を解消する玉漏れ異常処理（後述）を実行し、この処理が終了した後に、管理端末側玉抜きストッパー閉鎖処理を終了する。
【０２０３】
［玉抜きストッパー定期監視処理］
次に、島コントロール制御ユニット装置５のＣＰＵ４１ａが実行する玉抜きストッパー定期監視処理の手順を、図３６を用いて説明する。図３６は玉抜きストッパー定期監視処理を表すフローチャートである。この玉抜きストッパー定期監視処理は、ＣＰＵ４１ａが起動している間に５００ミリ秒毎に実行される処理である。
【０２０４】
この玉抜きストッパー定期監視処理においては、島コントロール制御ユニット装置５のＣＰＵ４１ａは、まず、Ｓ５２１０にて、断線検知機能付きの玉通過検知端子Ｐ１８〜Ｐ２１で断線が検知されたか否かを判断する。ここで、断線が検知されていれば（Ｓ５２１０）、Ｓ５２２０にて、玉通過センサが断線している旨（玉通過センサ断線異常）を島情報表示装置８に報知させ、玉抜きストッパー定期監視処理を終了する。一方、断線が検知されていなければ（Ｓ５２１０）、Ｓ５２３０にて、玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ５２３０）、Ｓ５２４０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ５２４０）、Ｓ５２５０にて、後述のＳ５５３０で実行される玉流れ異常の報知を禁止する。これにより、玉流れ異常の報知が行われている場合には、この報知が終了する。そして、玉抜きストッパー定期監視処理を終了する。
【０２０５】
一方、玉通過検知端子Ｐ１８〜Ｐ２１がオフであれば、玉が流れていないと判断し（Ｓ５２４０）、Ｓ５２６０にて、玉通過検知端子Ｐ１８〜Ｐ２１がオフと判断されてから５秒経過したか否かを判断する。ここで、５秒経過していなければ（Ｓ５２６０）、Ｓ５２４０に移行し、上述の処理を繰り返す。一方、５秒経過すると（Ｓ５２６０）、Ｓ５２７０にて、玉が流れていない状況を解消する玉流れ異常処理（後述）を実行し、この処理が終了した後に、玉抜きストッパー定期監視処理を終了する。
【０２０６】
またＳ５２３０に戻り、玉抜きストッパー開放フラグＦ３がクリアされていれば、玉抜きストッパー２３０が閉鎖中であると判断し（Ｓ５２３０）、Ｓ５２８０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ５２８０）、後述のＳ５７７０で実行される玉漏れ異常の報知を禁止する。これにより、玉漏れ異常の報知が行われている場合には、この報知が終了する。そして、玉抜きストッパー定期監視処理を終了する。
【０２０７】
一方、玉通過検知端子Ｐ１８〜Ｐ２１がオンであれば、玉が流れていると判断し（Ｓ５２８０）、Ｓ５３００にて、玉が流れている状況を解消する玉漏れ異常処理（後述）を実行し、この処理が終了した後に、玉抜きストッパー定期監視処理を終了する。
【０２０８】
［玉流れ異常処理］
次に、Ｓ４４６０，Ｓ４６９０及びＳ５２７０にて行われる玉流れ異常処理の手順を、図３７を用いて説明する。図３７は玉流れ異常処理を表すフローチャートである。
【０２０９】
この玉流れ異常処理が起動されると、まず、Ｓ５４１０にて、第１繰り返し変数ｌｏｏｐ１と、第２繰り返し変数ｌｏｏｐ２の値を「０」にする。そしてＳ５４２０にて、ソレノイド開閉動作電源端子Ｐ２２〜Ｐ２５をオフにする。これにより、玉抜きストッパー２３０が閉鎖する。その後Ｓ５４３０にて、５０ミリ秒待つ。そして５０ミリ秒経過すると、Ｓ５４４０にて、ソレノイド開閉動作電源端子Ｐ２２〜Ｐ２５をオンにする。これにより、玉抜きストッパー２３０が開放する。その後Ｓ５４５０にて、５０ミリ秒待つ。そして５０ミリ秒経過すると、Ｓ５４６０にて、第１繰り返し変数ｌｏｏｐ１の値を「１」加算する。
【０２１０】
そしてＳ５４７０にて、第１繰り返し変数ｌｏｏｐ１の値が「１０」に等しいか否かを判断する。ここで、「１０」に等しくない場合には（Ｓ５４７０）、Ｓ５４２０に移行し、上述の処理を繰り返す。一方、「１０」に等しい場合には（Ｓ５４７０）、Ｓ５４８０にて、第１繰り返し変数ｌｏｏｐ１の値を「０」にする。
【０２１１】
その後Ｓ５４９０にて、玉通過検知端子Ｐ１８〜Ｐ２１がオンになっているか否かを判断する。即ち、Ｓ５４２０〜Ｓ５４７０の処理により玉が流れるようになったか否かを判断する。ここで、玉通過検知端子Ｐ１８〜Ｐ２１がオンであれば、玉が流れるようになったと判断し（Ｓ５４９０）、玉流れ異常処理を終了する。
【０２１２】
一方、玉通過検知端子Ｐ１８〜Ｐ２１がオフであれば、玉が流れていないと判断し（Ｓ５４９０）、Ｓ５５００にて、玉通過検知端子Ｐ１８〜Ｐ２１がオフと判断されてから１秒経過したか否かを判断する。ここで、１秒経過していなければ（Ｓ５５００）、Ｓ５４９０に移行し、上述の処理を繰り返す。一方、１秒経過すると、玉が流れるようになっていないと判断し（Ｓ５５００）、Ｓ５５１０にて、第２繰り返し変数ｌｏｏｐ２の値を「１」加算する。
【０２１３】
そしてＳ５５２０にて、第２繰り返し変数ｌｏｏｐ２の値が「５」に等しいか否かを判断する。ここで、「５」に等しくない場合には（Ｓ５５２０）、Ｓ５４２０に移行し、上述の処理を繰り返す。一方、「５」に等しい場合には（Ｓ５５２０）、Ｓ５５３０にて、玉抜きストッパー２３０を開放させる指示を出したにもかかわらず玉が流れていない旨（玉流れ異常）を島情報表示装置８に報知させる。その後Ｓ５５４０にてソレノイド開閉動作電源端子Ｐ２２〜Ｐ２５をオフにし、更にＳ５５５０にて、ヒータ温度制御フラグＦ６をクリアして、玉流れ異常処理を終了する。
【０２１４】
［玉漏れ異常処理］
次に、Ｓ４８６０，Ｓ５０８０及びＳ５３００にて行われる玉漏れ異常処理の手順を、図３８を用いて説明する。図３８は玉漏れ異常処理を表すフローチャートである。
【０２１５】
この玉漏れ異常処理が起動されると、まず、Ｓ５７１０にて、ソレノイド開閉動作電源端子Ｐ２２〜Ｐ２５をオフにし、更にＳ５７２０にて玉抜きストッパー開放フラグＦ３をクリアする。そしてＳ５７３０にて、玉抜きストッパー開放フラグＦ３をクリアしてから１秒経過したか否かを判断する。ここで、１秒経過していなければ（Ｓ５７３０）、Ｓ５７１０に移行し、上述の処理を繰り返す。一方、１秒経過すると（Ｓ５７３０）、Ｓ５７４０にて、玉通過検知端子Ｐ１８〜Ｐ２１がオンになっているか否かを判断する。ここで、玉通過検知端子Ｐ１８〜Ｐ２１がオフであれば、玉が流れていないと判断し（Ｓ５７４０）、玉漏れ異常処理を終了する。
【０２１６】
また、玉通過検知端子Ｐ１８〜Ｐ２１がオンであれば、玉が流れていると判断し（Ｓ５７４０）、Ｓ５７５０にて、玉通過検知端子Ｐ１８〜Ｐ２１がオンと判断されてから５秒経過したか否かを判断する。ここで、５秒経過していなければ（Ｓ５７５０）、Ｓ５７６０にて、ソレノイド開閉動作電源端子Ｐ２２〜Ｐ２５をオフにし、更にＳ５７４０に移行し、上述の処理を繰り返す。
【０２１７】
一方、５秒経過すると（Ｓ５７５０）、Ｓ５７７０にて、玉抜きストッパー２３０を閉鎖させる指示を出したにもかかわらず玉が流れている旨（玉漏れ異常）を島情報表示装置８に報知させ、玉漏れ異常処理を終了する。
【０２１８】
［スイッチパネル側布ベルト稼働処理］
次に、島コントロール制御ユニット装置５のＣＰＵ４１ａが実行するスイッチパネル側布ベルト稼働処理の手順を、図３９を用いて説明する。図３９はスイッチパネル側布ベルト稼働処理を表すフローチャートである。このスイッチパネル側布ベルト稼働処理は、布ベルト巻取り装置２４０が停止中に操作スイッチ群装置６の布ベルト巻取り装置用操作部５５のボタン５５ａが押下された時に実行される処理である。
【０２１９】
このスイッチパネル側布ベルト稼働処理においては、Ｓ５９１０にて、布ベルト巻取り装置２４０に布ベルトを巻き取らせる布ベルト巻取り処理（後述）を実行し、この処理が終了した後に、スイッチパネル側布ベルト稼働処理を終了する。
【０２２０】
［管理端末側布ベルト稼働処理］
次に、島コントロール制御ユニット装置５のＣＰＵ４１ａが実行する管理端末側布ベルト稼働処理の手順を、図４０を用いて説明する。図４０は管理端末側布ベルト稼働処理を表すフローチャートである。この管理端末側布ベルト稼働処理は、布ベルト巻取り装置稼働ボタンＨ０１０９が押下された時に実行される処理である。
【０２２１】
この管理端末側布ベルト稼働処理においては、島コントロール制御ユニット装置５のＣＰＵ４１ａは、まず、Ｓ６０１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ６０１０）、管理端末側布ベルト稼働処理を終了する。これにより、還元機扉が開放中の場合には布ベルト巻取り装置稼働ボタンＨ０１０９が押下されても布ベルト巻取り装置２４０は稼働しない。
【０２２２】
一方、還元機扉開放中検知端子Ｐ５３がオフであれば、還元機扉が閉鎖中であると判断し（Ｓ６０１０）、Ｓ６０２０にて、点検扉開放中検知端子Ｐ５４〜Ｐ５７がオンになっているか否かを判断する。即ち、点検扉が開放中であるか否かを判断する。ここで、点検扉開放中検知端子Ｐ５４〜Ｐ５７がオンであれば、点検扉が開放中であると判断し（Ｓ６０２０）、管理端末側布ベルト稼働処理を終了する。これにより、点検扉が開放中の場合には布ベルト巻取り装置稼働ボタンＨ０１０９が押下されても布ベルト巻取り装置２４０は稼働しない。
【０２２３】
一方、点検扉開放中検知端子Ｐ５４〜Ｐ５７がオフであれば、点検扉が閉鎖中であると判断し（Ｓ６０２０）、Ｓ６０３０にて、還元機稼働フラグＦ１がセットされているか否かを判断する。即ち、還元機２００が稼働中であるか否かを判断する。ここで、還元機稼働フラグＦ１がセットされていれば、還元機２００が稼働中であると判断し（Ｓ６０３０）、管理端末側布ベルト稼働処理を終了する。これにより、還元機２００が稼働中の場合には布ベルト巻取り装置稼働ボタンＨ０１０９が押下されても布ベルト巻取り装置２４０は稼働しない。
【０２２４】
一方、還元機稼働フラグＦ１がクリアされていれば、還元機２００が停止中であると判断し（Ｓ６０３０）、Ｓ６０４０にて、布ベルト巻取り装置２４０に布ベルトを巻き取らせる布ベルト巻取り処理（後述）を実行し、この処理が終了した後に、スイッチパネル側布ベルト稼働処理を終了する。
【０２２５】
［スイッチパネル側布ベルト停止処理］
次に、島コントロール制御ユニット装置５のＣＰＵ４１ａが実行するスイッチパネル側布ベルト停止処理の手順を、図４１を用いて説明する。図４１はスイッチパネル側布ベルト停止処理を表すフローチャートである。このスイッチパネル側布ベルト停止処理は、布ベルト巻取り装置２４０が稼働中に操作スイッチ群装置６の布ベルト巻取り装置用操作部５５のボタン５５ａが押下された時に実行される処理である。
【０２２６】
このスイッチパネル側布ベルト停止処理においては、Ｓ６１１０にて、クランプ開放電源端子Ｐ１７をオフにする。これにより、布ベルトがクランプされる。その後Ｓ６１２０にて、５秒待つ。そして５秒経過すると、Ｓ６１３０にて、送りモータ稼働電源端子Ｐ１５をオフにする。これにより、布ベルト巻取り装置２４０の送りモータが停止する。更にＳ６１４０にて、巻取りモータ稼働電源端子Ｐ１６をオフにする。これにより、布ベルト巻取り装置２４０の巻取りモータが停止する。そしてＳ６１５０にて、布ベルト稼働フラグＦ５をクリアして、スイッチパネル側布ベルト停止処理を終了する。
【０２２７】
［管理端末側布ベルト停止処理］
次に、島コントロール制御ユニット装置５のＣＰＵ４１ａが実行する管理端末側布ベルト停止処理の手順を、図４２を用いて説明する。図４２は管理端末側布ベルト停止処理を表すフローチャートである。この管理端末側布ベルト停止処理は、布ベルト巻取り装置停止ボタンＨ０１１０が押下された時に実行される処理である。
【０２２８】
この管理端末側布ベルト停止処理においては、島コントロール制御ユニット装置５のＣＰＵ４１ａは、まず、Ｓ６２１０にて、還元機扉開放中検知端子Ｐ５３がオンになっているか否かを判断する。即ち、還元機扉が開放中であるか否かを判断する。ここで、還元機扉開放中検知端子Ｐ５３がオンであれば、還元機扉が開放中であると判断し（Ｓ６２１０）、管理端末側布ベルト停止処理を終了する。これにより、還元機扉が開放中の場合には布ベルト巻取り装置停止ボタンＨ０１１０が押下されても布ベルト巻取り装置２４０は停止しない。
【０２２９】
一方、還元機扉開放中検知端子Ｐ５３がオフであれば、還元機扉が閉鎖中であると判断し（Ｓ６２１０）、Ｓ６２２０にて、点検扉開放中検知端子Ｐ５４〜Ｐ５７がオンになっているか否かを判断する。即ち、点検扉が開放中であるか否かを判断する。ここで、点検扉開放中検知端子Ｐ５４〜Ｐ５７がオンであれば、点検扉が開放中であると判断し（Ｓ６２２０）、管理端末側布ベルト停止処理を終了する。これにより、点検扉が開放中の場合には布ベルト巻取り装置停止ボタンＨ０１１０が押下されても布ベルト巻取り装置２４０は停止しない。
【０２３０】
一方、点検扉開放中検知端子Ｐ５４〜Ｐ５７がオフであれば、点検扉が閉鎖中であると判断し（Ｓ６２２０）、Ｓ６２３０にて、クランプ開放電源端子Ｐ１７をオフにする。これにより、布ベルトがクランプされる。その後Ｓ６２４０にて、５秒待つ。そして５秒経過すると、Ｓ６２５０にて、送りモータ稼働電源端子Ｐ１５をオフにする。これにより、布ベルト巻取り装置２４０の送りモータが停止する。更にＳ６２６０にて、巻取りモータ稼働電源端子Ｐ１６をオフにする。これにより、布ベルト巻取り装置２４０の巻取りモータが停止する。そしてＳ６２７０にて、布ベルト稼働フラグＦ５をクリアして、管理端末
側布ベルト停止処理を終了する。
【０２３１】
［布ベルト定期監視処理］
次に、島コントロール制御ユニット装置５のＣＰＵ４１ａが実行する布ベルト定期監視処理の手順を、図４３を用いて説明する。図４３は布ベルト定期監視処理を表すフローチャートである。この布ベルト定期監視処理は、ＣＰＵ４１ａが起動している間に５００ミリ秒毎に実行される処理である。
【０２３２】
この布ベルト定期監視処理においては、島コントロール制御ユニット装置５のＣＰＵ４１ａは、まず、Ｓ６４１０にて、１ロール終了検知端子Ｐ１３がオンになっているか否かを判断する。即ち、布ベルトの１ロールが終了したか否かを判断する。ここで、１ロール終了検知端子Ｐ１３がオンであれば、布ベルトの１ロールが終了したと判断し（Ｓ６４１０）、Ｓ６４２０にて、布ベルトの１ロールが終了した旨（１ロール終了異常）を島情報表示装置８に報知させ、Ｓ６４５０に移行する。
【０２３３】
一方、１ロール終了検知端子Ｐ１３がオフであれば、布ベルトの１ロールが終了していないと判断し（Ｓ６４１０）、Ｓ６４３０にて、送りモータ過負荷電流検知端子Ｐ１４がオンになっているか否かを判断する。即ち、送りモータにおいて過負荷電流が発生しているか否かを判断する。ここで、送りモータ過負荷電流検知端子Ｐ１４がオンであれば、過負荷電流が発生していると判断し（Ｓ６４３０）、Ｓ６４４０にて、布ベルト巻取りに異常が発生している旨（巻取り異常）を島情報表示装置８に報知させ、Ｓ６４５０に移行する。
【０２３４】
そしてＳ６４５０に移行すると、クランプ開放電源端子Ｐ１７をオフにする。これにより、布ベルトがクランプされる。その後Ｓ６４６０にて、送りモータ稼働電源端子Ｐ１５をオフにする。これにより、布ベルト巻取り装置２４０の送りモータが停止する。更にＳ６４７０にて、巻取りモータ稼働電源端子Ｐ１６をオフにする。これにより、布ベルト巻取り装置２４０の巻取りモータが停止する。そしてＳ６４８０にて、布ベルト稼働フラグＦ５をクリアして、布ベルト定期監視処理を終了する。
【０２３５】
またＳ６４３０に戻り、送りモータ過負荷電流検知端子Ｐ１４がオフであれば、過負荷電流が発生していないと判断し（Ｓ６４３０）、Ｓ６４９０にて、布ベルト緩み検知端子Ｐ１１がオンになっているか否かを判断する。即ち、布ベルトに緩みが発生しているか否かを判断する。ここで、布ベルト緩み検知端子Ｐ１１がオンであれば、布ベルトに緩みが発生していると判断し（Ｓ６４９０）、Ｓ６５００にて、布ベルトの緩みを解消する緩み解消動作処理（後述）を実行し、この処理が終了した後に、布ベルト定期監視処理を終了する。一方、布ベルト緩み検知端子Ｐ１１がオフであれば、布ベルトに緩みが発生していないと判断し（Ｓ６４９０）、布ベルト定期監視処理を終了する。
【０２３６】
［布ベルト巻取り処理］
次に、Ｓ５９１０及びＳ６０４０にて行われる布ベルト巻取り処理の手順を、図４４を用いて説明する。図４４は布ベルト巻取り処理を表すフローチャートである。
【０２３７】
この布ベルト巻取り処理が起動されると、まず、Ｓ６６１０にて、１ロール終了検知端子Ｐ１３がオンになっているか否かを判断する。即ち、布ベルトの１ロールが終了したか否かを判断する。ここで、１ロール終了検知端子Ｐ１３がオンであれば、布ベルトの１ロールが終了したと判断し（Ｓ６６１０）、Ｓ６６６０にて、布ベルトの１ロールが終了した旨（１ロール終了異常）を島情報表示装置８に報知させ、更にＳ６６７０にて、クランプ開放電源端子Ｐ１７をオフにする。これにより、布ベルトがクランプされる。その後Ｓ６６８０にて、送りモータ稼働電源端子Ｐ１５をオフにする。これにより、布ベルト巻取
り装置２４０の送りモータが停止する。更にＳ６６９０にて、巻取りモータ稼働電源端子Ｐ１６をオフにする。これにより、布ベルト巻取り装置２４０の巻取りモータが停止する。そしてＳ６７００にて、布ベルト稼働フラグＦ５をクリアして、布ベルト巻取り処理を終了する。
【０２３８】
一方、１ロール終了検知端子Ｐ１３がオフであれば、布ベルトの１ロールが終了していないと判断し（Ｓ６６１０）、Ｓ６６２０にて、クランプ開放電源端子Ｐ１７をオンにする。これにより、布ベルトのクランプが解除される。その後Ｓ６６３０にて、送りモータ稼働電源端子Ｐ１５をオンにする。これにより、布ベルト巻取り装置２４０の送りモータが駆動する。更にＳ６６４０にて、巻取りモータ稼働電源端子Ｐ１６をオンにする。これにより、布ベルト巻取り装置２４０の巻取りモータが駆動する。そしてＳ６６５０にて、布ベルト稼働フラグＦ５をセットする。
【０２３９】
その後Ｓ６７１０にて、布ベルト巻取り装置２４０に布ベルトを巻き取るために要した時間（以下、巻取り経過時間という）が異常判定巻取り時間Ｋ３未満であるか否かを判断する。ここで、巻取り経過時間が異常判定巻取り時間Ｋ３以上であれば（Ｓ６７１０）、Ｓ６７２０にて、布ベルトの巻取りに異常がある旨（巻取り異常）を島情報表示装置８に報知させ、更にＳ６７３０にて、クランプ開放電源端子Ｐ１７をオフにする。これにより、布ベルトがクランプされる。そしてＳ６７７０に移行する。
【０２４０】
一方、巻取り経過時間が異常判定巻取り時間Ｋ３未満であれば（Ｓ６７４０）、布ベルト巻取り装置２４０により巻き取られた布ベルトの長さ（以下、巻取り量という）が異常判定巻取り量Ｋ４未満であるか否かを判断する。ここで、巻取り量が異常判定巻取り量Ｋ４未満であれば（Ｓ６７４０）、Ｓ６６１０に移行し、上述の処理を繰り返す。一方、巻取り量が異常判定巻取り量Ｋ４以上であれば（Ｓ６７４０）、Ｓ６７５０にて、クランプ開放電源端子Ｐ１７をオフにする。これにより、布ベルトがクランプされる。その後Ｓ６２４０にて５秒待ち、５秒経過すると、Ｓ６７７０に移行する。
【０２４１】
そしてＳ６７７０に移行すると、送りモータ稼働電源端子Ｐ１５をオフにする。これにより、布ベルト巻取り装置２４０の送りモータが停止する。更にＳ６７８０にて、巻取りモータ稼働電源端子Ｐ１６をオフにする。これにより、布ベルト巻取り装置２４０の巻取りモータが停止する。そしてＳ６７９０にて、布ベルト稼働フラグＦ５をクリアして、布ベルト巻取り処理を終了する。
【０２４２】
［緩み解消動作処理］
次に、Ｓ６５００にて行われる緩み解消動作処理の手順を、図４５を用いて説明する。図４５は緩み解消動作処理を表すフローチャートである。
【０２４３】
この緩み解消動作処理が起動されると、まず、Ｓ６９１０にて、クランプ開放電源端子Ｐ１７をオフにする。これにより、布ベルトがクランプされる。そしてＳ６９２０にて、送りモータ稼働電源端子Ｐ１５をオンにする。これにより、布ベルト巻取り装置２４０の送りモータが駆動する。更にＳ６９３０にて、巻取りモータ稼働電源端子Ｐ１６をオンにする。これにより、布ベルト巻取り装置２４０の巻取りモータが駆動する。そしてＳ６９４０にて、布ベルト緩み検知端子Ｐ１１がオンになっているか否かを判断する。即ち、布ベルトに緩みが発生しているか否かを判断する。ここで、布ベルト緩み検知端子Ｐ１１がオフであれば、布ベルトに緩みが発生していないと判断し（Ｓ６９４０）、Ｓ６９７０に移行する。
【０２４４】
一方、布ベルト緩み検知端子Ｐ１１がオンであれば、布ベルトに緩みが発生していると判断し（Ｓ６９４０）、布ベルト緩み検知端子Ｐ１１がオンと判断されてから１秒経過し
たか否かを判断する。ここで、１秒経過していなければ（Ｓ６９５０）、Ｓ６９２０に移行し、上述の処理を繰り返す。一方、１秒経過すると（Ｓ６９５０）、Ｓ６９６０にて、布ベルトの張りが不足している旨（布ベルト張り不足異常）を島情報表示装置８に報知させ、Ｓ６９７０に移行する。
【０２４５】
そしてＳ６９７０に移行すると、送りモータ稼働電源端子Ｐ１５をオフにする。これにより、布ベルト巻取り装置２４０の送りモータが停止する。更にＳ６９８０にて、巻取りモータ稼働電源端子Ｐ１６をオフにする。これにより、布ベルト巻取り装置２４０の巻取りモータが停止する。そしてＳ６９９０にて、布ベルト稼働フラグＦ５をクリアして、緩み解消動作処理を終了する。
【０２４６】
［布ベルト・システム起動処理］
次に、島コントロール制御ユニット装置５のＣＰＵ４１ａが実行する布ベルト・システム起動処理の手順を、図４６を用いて説明する。図４６は布ベルト・システム起動処理を表すフローチャートである。この布ベルト・システム起動処理は、ＣＰＵ４１ａが起動した直後に１回実行される処理である。
【０２４７】
この布ベルト・システム起動処理においては、島コントロール制御ユニット装置５のＣＰＵ４１ａは、まず、Ｓ７１１０にて、クランプ開放電源端子Ｐ１７をオフにする。これにより、布ベルトがクランプされる。そしてＳ７１２０にて、送りモータ稼働電源端子Ｐ１５をオンにする。これにより、布ベルト巻取り装置２４０の送りモータが駆動する。更にＳ７１３０にて、巻取りモータ稼働電源端子Ｐ１６をオンにする。これにより、布ベルト巻取り装置２４０の巻取りモータが駆動する。
【０２４８】
その後Ｓ７１４０にて、５秒待つ。そして５秒経過すると、Ｓ７１５０にて、送りモータ稼働電源端子Ｐ１５をオフにする。これにより、布ベルト巻取り装置２４０の送りモータが停止する。更にＳ７１６０にて、巻取りモータ稼働電源端子Ｐ１６をオフにする。これにより、布ベルト巻取り装置２４０の巻取りモータが停止する。そして布ベルト・システム起動処理を終了する。
【０２４９】
次に、このように構成された遊技台稼働監視システム１が実行する各種処理の手順を以下に説明する。
［リモート開店処理］
まず、リモートモード（後述）の場合に、図４に示す開店前処理ボタンＨ０１０１が押下された時に遊技台稼働監視システム１が行う処理（以下、リモート開店処理という）の動作を図４７〜図４９を用いて説明する。図４７はリモート開店前処理の第１の部分、図４８はリモート開店前処理の第２の部分、図４９はリモート開店前処理の第３の部分を表すパケットシーケンスチャートである。
【０２５０】
まず、開店前処理ボタンＨ０１０１が押下されると（ＰＳ１−０１）、管理端末装置２は表示パネル２２ｂ（図３参照）に「開店前処理中」ダイアローグを表示する（ＰＳ１−０２）。尚、この時、島情報表示装置８の表示画面となる液晶ディスプレイ（ＬＣＤ）８ａには、「停止中」または「運転中」と表示されている（ＰＳ１−０３）。
【０２５１】
その後、管理端末装置２は、ネットワークアダプタ３に対して、「開店前処理中」である旨を示す管理端末状態設定情報を送信する（ＰＳ１−０４）。これにより、ネットワークアダプタ３は、管理端末装置２が「開店前処理中」であることを認識する（ＰＳ１−０５）。その後ネットワークアダプタ３は、管理端末装置２に対して、管理端末状態情報を受信した旨を示す管理端末状態設定応答情報を送信する（ＰＳ１−０６）。
【０２５２】
そして管理端末装置２は、管理端末状態設定応答情報を受信すると、島コントロール制御ユニット装置５に対して、「開店前処理中」である旨を示す管理端末定期通信情報を送信する（ＰＳ１−０７）。島コントロール制御ユニット装置５は、管理端末定期通信情報を受信すると、島情報表示装置８に対して、「開店前処理中」である旨を示す島情報表示装置情報を送信する（ＰＳ１−０８）。これにより島情報表示装置８は、「開店前処理中」と表示する（ＰＳ１−０９）（図８５（ａ）の表示画面Ｇ２１を参照）。これにより、遊技台島近傍で開店前の準備をしている店員が遊技台島の状況を用意に把握することができ、遊技台島内の各種装置が誤作動を起こしていないと判断することができる。
【０２５３】
また管理端末装置２は、遊技場内の遊技台島１００に設置された全ての島コントロール制御ユニット装置５に対して並列に、還元機２００を稼働させる還元機ＯＮ情報を送信する（ＰＳ１−１０）。これにより還元機２００は、還元機２００を稼働させる還元機ＯＮ処理を行う（ＰＳ１−１１）。尚、この還元機ＯＮ処理は数秒で終了する。そして島コントロール制御ユニット装置５は、管理端末装置２に対して、還元機ＯＮ情報を受信した旨を示す還元機ＯＮ応答情報を送信する（ＰＳ１−１２）。尚、上述した還元機ＯＮ情報は、各島に対して若干の時差を設けて送信し、各島の還元機２００の稼動開始タイミングをずらすことで、瞬間的な使用電力を抑えるようにしてもよい。
【０２５４】
その後、島コントロール制御ユニット装置５は、操作スイッチ群装置６に対して、還元機２００が稼働している旨を示す情報を送信する（ＰＳ１−１３）。これにより操作スイッチ群装置６は、還元機用操作部５１の２色ＬＥＤ５１ｂ（図９参照）を緑色に点灯させる（ＰＳ１−１４）。
【０２５５】
また管理端末装置２は、遊技場内の遊技台島１００に設置された全ての島コントロール制御ユニット装置５から還元機ＯＮ応答情報を受信するか、還元機ＯＮ情報を送信してから１分経過したことを検出した（ＰＳ１−１５）後に、遊技場内の遊技台島１００に設置された全ての玉通路シャッター２１０に対して並列に、玉通路シャッター２１０を開放させる玉通路シャッターＯＮ情報を送信する（ＰＳ１−１６）。これにより玉通路シャッター２１０は、玉通路シャッター２１０を開放させる玉通路シャッターＯＮ処理を行う（ＰＳ１−１７）。尚、この玉通路シャッターＯＮ処理は数秒で終了する。そして島コントロール制御ユニット装置５は、管理端末装置２に対して、玉通路シャッターＯＮ情報を受信した旨を示す玉通路シャッターＯＮ応答情報を送信する（ＰＳ１−１８）。尚、還元機ＯＮ情報を各島に対して若干の時差を設けて送信した場合においても、最後に還元機ＯＮ情報を送信してから所定時間後（約１分後）に遊技場内の遊技台島１００に設置された全ての玉通路シャッターに対して並列に玉通路シャッターＯＮ情報を送信すれば、各島の開店前処理のタイミングを同期させることができる。
【０２５６】
その後、島コントロール制御ユニット装置５は、操作スイッチ群装置６に対して、玉通路シャッター２１０が開放している旨を示す情報を送信する（ＰＳ１−１９）。これにより、図８に示す操作スイッチ群装置６は、玉通路シャッター用操作部５２の２色ＬＥＤ５２ｂ（図９参照）を緑色に点灯させる（ＰＳ１−２０）。
【０２５７】
また管理端末装置２は、遊技場内の遊技台島１００に設置された全ての島コントロール制御ユニット装置５からシャッターＯＮ応答情報を受信するか、玉通路シャッターＯＮ情報を送信してから１分経過したことを検出した（ＰＳ１−２１）後に、遊技場内の遊技台島１００に設置された全ての島コントロール制御ユニット装置５に対して並列に、玉抜きストッパー２３０を開放させる玉抜きストッパーＯＮ情報を送信する（ＰＳ１−２２）。これにより島コントロール制御ユニット装置５は、玉抜きストッパー２３０を開放させる玉抜きストッパーＯＮ処理を行う（ＰＳ１−２３）。尚、この玉抜きストッパーＯＮ処理
は数秒で終了する。そして島コントロール制御ユニット装置５は、管理端末装置２に対して、玉抜きストッパーＯＮ情報を受信した旨を示す玉抜きストッパーＯＮ応答情報を送信する（ＰＳ１−２４）。
【０２５８】
その後、島コントロール制御ユニット装置５は、操作スイッチ群装置６に対して、玉抜きストッパー２３０が開放している旨を示す情報を送信する（ＰＳ１−２５）。これにより操作スイッチ群装置６は、玉抜きストッパー用操作部５３の２色ＬＥＤ５３ｂ（図９参照）を緑色に点灯させる（ＰＳ１−２６）。
【０２５９】
また管理端末装置２は、遊技場内の遊技台島１００に設置された全ての島コントロール制御ユニット装置５から玉抜きストッパーＯＮ応答情報を受信するか、玉抜きストッパーＯＮ情報を送信してから１分経過したことを検出した（ＰＳ１−２７）後に、玉抜きストッパー２３０を閉鎖させるまでの時間を計測する玉抜きストッパータイマーをＯＮにする。これにより、玉抜きストッパータイマーが計時を開始する（ＰＳ１−２８）。尚、玉抜きストッパータイマーの満了時間は、動作条件設定画面で設定することができる。
【０２６０】
そして管理端末装置２は、遊技場内の遊技台島１００に設置された全ての島コントロール制御ユニット装置５に対して並列に、ヒータ２２０を稼働させるヒータＯＮ情報を送信する（ＰＳ１−２９）。これにより島コントロール制御ユニット装置５は、ヒータ２２０を稼働させるヒータＯＮ処理を行う（ＰＳ１−３０）。尚、このヒータＯＮ処理は数秒で終了する。そして島コントロール制御ユニット装置５は、管理端末装置２に対して、ヒータＯＮ情報を受信した旨を示すヒータＯＮ応答情報を送信する（ＰＳ１−３１）。
【０２６１】
その後、島コントロール制御ユニット装置５は、操作スイッチ群装置６に対して、ヒータ２２０が稼働している旨を示す情報を送信する（ＰＳ１−３２）。これにより操作スイッチ群装置６は、ヒータ用操作部５４の２色ＬＥＤ５４ｂ（図９参照）を緑色に点灯させる（ＰＳ１−３３）。そして、管理端末装置２は、遊技場内の遊技台島１００に設置された全ての島コントロール制御ユニット装置５からヒータＯＮ応答情報を受信するか、ヒータＯＮ情報を送信してから１分経過したことを検出する（ＰＳ１−３４）。
【０２６２】
その後、玉抜きストッパータイマーが満了すると（ＰＳ１−３５）、遊技場内の遊技台島１００に設置された全ての島コントロール制御ユニット装置５に対して並列に、玉抜きストッパー２３０を閉鎖させる玉抜きストッパーＯＦＦ情報を送信する（ＰＳ１−３６）。これにより島コントロール制御ユニット装置５は、玉抜きストッパー２３０を閉鎖させる玉抜きストッパーＯＦＦ処理を行う（ＰＳ１−３７）。尚、この玉抜きストッパーＯＦＦ処理は数秒で終了する。そして島コントロール制御ユニット装置５は、管理端末装置２に対して、玉抜きストッパーＯＦＦ情報を受信した旨を示す玉抜きストッパーＯＦＦ応答情報を送信する（ＰＳ１−３８）。
【０２６３】
その後、島コントロール制御ユニット装置５は、操作スイッチ群装置６に対して、玉抜きストッパー２３０が閉鎖している旨を示す情報を送信する（ＰＳ１−３９）。これにより操作スイッチ群装置６は、玉抜きストッパー用操作部５３の２色ＬＥＤ５３ｂ（図９参照）を消灯させる（ＰＳ１−４０）。
【０２６４】
また管理端末装置２は、遊技場内の遊技台島１００に設置された全ての島コントロール制御ユニット装置５から玉抜きストッパーＯＦＦ応答情報を受信するか、玉抜きストッパーＯＦＦ情報を送信してから１分経過したことを検出した（ＰＳ１−４１）後に、ネットワークアダプタ３に対して、「運転中」である旨を示す管理端末状態設定情報を送信する（ＰＳ１−４２）。これにより、ネットワークアダプタ３は、管理端末装置２が「運転中」であることを認識する（ＰＳ１−４３）。その後ネットワークアダプタ３は、管理端末
装置２に対して、管理端末状態情報を受信した旨を示す管理端末状態設定応答情報を送信する（ＰＳ１−４４）。
【０２６５】
そして管理端末装置２は、管理端末状態設定応答情報を受信すると、島コントロール制御ユニット装置５に対して、「運転中」である旨を示す管理端末定期通信情報を送信する（ＰＳ１−４５）。島コントロール制御ユニット装置５は、管理端末定期通信情報を受信すると、島情報表示装置８に対して、「運転中」である旨を示す島情報表示装置情報を送信する（ＰＳ１−４６）。これにより島情報表示装置８は、「運転中」と表示する（ＰＳ１−４７）（図８５（ｂ）の表示画面Ｇ２２を参照）。また管理端末装置２は、表示パネル２２ｂ上に表示された「開店前処理中」ダイアローグの表示を解除する（ＰＳ１−４８）。
【０２６６】
［リモート還元機ＯＮ・ＯＦＦ処理］
次に、リモートモード（後述）の場合に、図４に示す還元機稼働ボタンＨ０１０３または還元機停止ボタンＨ０１０４が押下された時に遊技台稼働監視システム１が行う処理（以下、リモート還元機ＯＮ・ＯＦＦ処理という）の動作を図５０を用いて説明する。図５０はリモート還元機ＯＮ・ＯＦＦ処理を表すパケットシーケンスチャートである。
【０２６７】
まず、還元機稼働ボタンＨ０１０３または還元機停止ボタンＨ０１０４が押下されると（ＰＳ２−０１）、管理端末装置２は、遊技場内の遊技台島１００に設置された全ての島コントロール制御ユニット装置５に対して並列に、押下されたボタンに従って還元機２００を稼働または停止させる還元機ＯＮ・ＯＦＦ情報を送信する（ＰＳ２−０２）。これにより島コントロール制御ユニット装置５は、還元機２００を稼働または停止させる還元機ＯＮ・ＯＦＦ処理を行う（ＰＳ２−０３）。尚、この還元機ＯＮ・ＯＦＦ処理は数秒で終了する。そして島コントロール制御ユニット装置５は、管理端末装置２に対して、還元機ＯＮ・ＯＦＦ情報を受信した旨を示す還元機ＯＮ・ＯＦＦ応答情報を送信する（ＰＳ２−０４）。
【０２６８】
その後島コントロール制御ユニット装置５は、操作スイッチ群装置６に対して、還元機２００が稼働または停止している旨を示す情報を送信する（ＰＳ２−０５）。これにより操作スイッチ群装置６は、還元機用操作部５１の２色ＬＥＤ５１ｂ（図９参照）を緑色に点灯させるか消灯させる（ＰＳ２−０６）。
【０２６９】
また管理端末装置２は、遊技場内の遊技台島１００に設置された全ての島コントロール制御ユニット装置５から還元機ＯＮ・ＯＦＦ応答情報を受信するか、還元機ＯＮ・ＯＦＦ情報を送信してから１分経過したことを検出した（ＰＳ２−０７）後に、遊技場内の遊技台島１００に設置された全ての島コントロール制御ユニット装置５に対して並列に、玉通路シャッター２１０を開放または閉鎖させる玉通路シャッターＯＮ・ＯＦＦ情報を送信する（ＰＳ２−０８）。これにより島コントロール制御ユニット装置５は、玉通路シャッター２１０を開放または閉鎖させる玉通路シャッターＯＮ・ＯＦＦ処理を行う（ＰＳ２−０９）。尚、この玉通路シャッターＯＮ・ＯＦＦ処理は数秒で終了する。そして島コントロール制御ユニット装置５は、管理端末装置２に対して、玉通路シャッターＯＮ・ＯＦＦ情報を受信した旨を示す玉通路シャッターＯＮ・ＯＦＦ応答情報を送信する（ＰＳ２−１０）。
【０２７０】
その後、島コントロール制御ユニット装置５は、操作スイッチ群装置６に対して、玉通路シャッター２１０が開放または閉鎖している旨を示す情報を送信する（ＰＳ２−１１）。これにより操作スイッチ群装置６は、玉通路シャッター用操作部５２の２色ＬＥＤ５２ｂ（図９参照）を緑色に点灯させるか消灯させる（ＰＳ２−１２）。
【０２７１】
また管理端末装置２は、遊技場内の遊技台島１００に設置された全ての島コントロール制御ユニット装置５からシャッターＯＮ・ＯＦＦ応答情報を受信するか、玉通路シャッターＯＮ・ＯＦＦ情報を送信してから１分経過したことを検出する（ＰＳ２−１３）。尚、管理端末装置２から還元機２００を稼働または停止させることができるので、還元機扉及び点検扉は閉鎖されており、操作スイッチ群装置６の還元機用操作部５１のボタン５１ａ（図９参照）を押下することはできない（ＰＳ２−１４）。
【０２７２】
［リモート玉抜きストッパーＯＮ・ＯＦＦ処理］
次に、リモートモード（後述）の場合に、図４に示す玉抜きストッパー開放ボタンＨ０１０５または玉抜きストッパー閉鎖ボタンＨ０１０６が押下された時に遊技台稼働監視システム１が行う処理（以下、リモート玉抜きストッパーＯＮ・ＯＦＦ処理という）の動作を図５１を用いて説明する。図５１はリモート玉抜きストッパーＯＮ・ＯＦＦ処理を表すパケットシーケンスチャートである。
【０２７３】
まず、玉抜きストッパー開放ボタンＨ０１０５または玉抜きストッパー閉鎖ボタンＨ０１０６が押下されると（ＰＳ３−０１）、管理端末装置２は、遊技場内の遊技台島１００に設置された全ての島コントロール制御ユニット装置５に対して並列に、押下されたボタンに従って玉抜きストッパー２３０を開放または閉鎖させる玉抜きストッパーＯＮ・ＯＦＦ情報を送信する（ＰＳ３−０２）。これにより島コントロール制御ユニット装置５は、玉抜きストッパー２３０を開放または閉鎖させる玉抜きストッパーＯＮ・ＯＦＦ処理を行う（ＰＳ３−０３）。尚、この玉抜きストッパーＯＮ・ＯＦＦ処理は数秒で終了する。そして島コントロール制御ユニット装置５は、管理端末装置２に対して、玉抜きストッパーＯＮ・ＯＦＦ情報を受信した旨を示す玉抜きストッパーＯＮ・ＯＦＦ応答情報を送信する（ＰＳ３−０４）。
【０２７４】
その後島コントロール制御ユニット装置５は、操作スイッチ群装置６に対して、玉抜きストッパー２３０が開放または閉鎖している旨を示す情報を送信する（ＰＳ３−０５）。これにより操作スイッチ群装置６は、玉抜きストッパー用操作部５３の２色ＬＥＤ５３ｂ（図９参照）を緑色に点灯させるか消灯させる（ＰＳ３−０６）。
【０２７５】
また管理端末装置２は、遊技場内の遊技台島１００に設置された全ての島コントロール制御ユニット装置５から玉抜きストッパーＯＮ・ＯＦＦ応答情報を受信するか、玉抜きストッパーＯＮ・ＯＦＦ情報を送信してから１分経過したことを検出する（ＰＳ３−０７）。尚、管理端末装置２から玉抜きストッパー２３０を開放または閉鎖させることができるので、還元機扉及び点検扉は閉鎖されており、操作スイッチ群装置６の玉抜きストッパー用操作部５３のボタン５３ａ（図９参照）を押下することはできない（ＰＳ３−０８）。
【０２７６】
［リモートヒータＯＮ・ＯＦＦ処理］
次に、リモートモード（後述）の場合に、図４に示すヒータ稼働ボタンＨ０１０７またはヒータ停止ボタンＨ０１０８が押下された時に遊技台稼働監視システム１が行う処理（以下、リモートヒータＯＮ・ＯＦＦ処理という）の動作を図５２を用いて説明する。図５２はリモートヒータＯＮ・ＯＦＦ処理を表すパケットシーケンスチャートである。
【０２７７】
まず、ヒータ稼働ボタンＨ０１０７またはヒータ停止ボタンＨ０１０８が押下されると（ＰＳ４−０１）、管理端末装置２は、遊技場内の遊技台島１００に設置された全ての島コントロール制御ユニット装置５に対して並列に、押下されたボタンに従ってヒータ２２０を稼働または停止させるヒータＯＮ・ＯＦＦ情報を送信する（ＰＳ４−０２）。これにより島コントロール制御ユニット装置５は、ヒータ２２０を稼働または停止させるヒータＯＮ・ＯＦＦ処理を行う（ＰＳ４−０３）。尚、このヒータＯＮ・ＯＦＦ処理は数秒で終了する。そして島コントロール制御ユニット装置５は、管理端末装置２に対して、ヒータ
ＯＮ・ＯＦＦ情報を受信した旨を示すヒータＯＮ・ＯＦＦ応答情報を送信する（ＰＳ４−０４）。
【０２７８】
その後島コントロール制御ユニット装置５は、操作スイッチ群装置６に対して、ヒータ２２０が稼働または停止している旨を示す情報を送信する（ＰＳ４−０５）。これにより操作スイッチ群装置６は、玉抜きストッパー用操作部５３の２色ＬＥＤ５３ｂ（図９参照）を緑色に点灯させるか消灯させる（ＰＳ４−０６）。
【０２７９】
また管理端末装置２は、遊技場内の遊技台島１００に設置された全ての島コントロール制御ユニット装置５からヒータＯＮ・ＯＦＦ応答情報を受信するか、ヒータＯＮ・ＯＦＦ情報を送信してから１分経過したことを検出する（ＰＳ４−０７）。尚、管理端末装置２からヒータ２２０を稼働または停止させることができるので、還元機扉及び点検扉は閉鎖されており、操作スイッチ群装置６のヒータ用操作部５４のボタン５４ａ（図９参照）を押下することはできない（ＰＳ４−０８）。
【０２８０】
［リモート布ベルト自動巻取りＯＮ・ＯＦＦ処理］
次に、リモートモード（後述）の場合に、図４に示す布ベルト巻取り装置稼働ボタンＨ０１０９または布ベルト巻取り装置停止ボタンＨ０１１０が押下された時に遊技台稼働監視システム１が行う処理（以下、リモート布ベルト自動巻取りＯＮ・ＯＦＦ処理という）の動作を図５３を用いて説明する。図５３はリモート布ベルト自動巻取りＯＮ・ＯＦＦ処理を表すパケットシーケンスチャートである。
【０２８１】
まず、布ベルト巻取り装置稼働ボタンＨ０１０９または布ベルト巻取り装置停止ボタンＨ０１１０が押下されると（ＰＳ５−０１）、管理端末装置２は、遊技場内の遊技台島１００に設置された全ての島コントロール制御ユニット装置５に対して並列に、押下されたボタンに従って布ベルト巻取り装置２４０を稼働または停止させる布ベルト自動巻取りＯＮ・ＯＦＦ情報を送信する（ＰＳ５−０２）。これにより島コントロール制御ユニット装置５は、布ベルト巻取り装置２４０を稼働または停止させる布ベルト自動巻取りＯＮ・ＯＦＦ処理を行う（ＰＳ５−０３）。尚、この布ベルト自動巻取りＯＮ・ＯＦＦ処理は数秒で終了する。そして島コントロール制御ユニット装置５は、管理端末装置２に対して、布ベルト自動巻取りＯＮ・ＯＦＦ情報を受信した旨を示す布ベルト自動巻取りＯＮ・ＯＦＦ応答情報を送信する（ＰＳ５−０４）。
【０２８２】
その後島コントロール制御ユニット装置５は、操作スイッチ群装置６に対して、布ベルト巻取り装置２４０が稼働または停止している旨を示す情報を送信する（ＰＳ５−０５）。これにより操作スイッチ群装置６は、布ベルト巻取り装置用操作部５５の２色ＬＥＤ５５ｂ（図９参照）を緑色に点灯させるか消灯させる（ＰＳ５−０６）。
【０２８３】
また管理端末装置２は、遊技場内の遊技台島１００に設置された全ての島コントロール制御ユニット装置５から布ベルト自動巻取りＯＮ・ＯＦＦ応答情報を受信するか、布ベルト自動巻取りＯＮ・ＯＦＦ情報を送信してから１分経過したことを検出する（ＰＳ５−０７）。尚、管理端末装置２から布ベルト巻取り装置２４０を稼働または停止させることができるので、還元機扉及び点検扉は閉鎖されており、操作スイッチ群装置６の布ベルト巻取り装置用操作部５５のボタン５５ａ（図９参照）を押下することはできない（ＰＳ５−０８）。
【０２８４】
［島状態取得処理］
次に、遊技台島１００の状態についての情報を取得するために遊技台稼働監視システム１が行う処理（以下、島状態取得処理という）の動作を図５４を用いて説明する。図５４は島状態取得処理を表すパケットシーケンスチャートである。
【０２８５】
まず、島コントロール制御ユニット装置５は、遊技台島１００に設置された各種センサ（不図示）から、この各種センサがＯＮまたはＯＦＦであるかを示すセンサＯＮ・ＯＦＦ情報を５００ミリ秒毎に受信する（ＰＳ６−０１）。そして島コントロール制御ユニット装置５は、島情報表示装置８に対して、受信したセンサＯＮ・ＯＦＦ情報に基づいて島情報表示装置８に表示させる内容を示す島情報表示装置表示情報を送信する（ＰＳ６−０２）。これにより島情報表示装置８は、島情報表示装置表示情報に基づいた情報を表示する（ＰＳ６−０３）。
【０２８６】
また島コントロール制御ユニット装置５は、遊技台島１００に設置された各種センサ（不図示）から、センサＯＮ・ＯＦＦ情報を５秒毎に受信する（ＰＳ６−０４）。そして島コントロール制御ユニット装置５は、管理端末装置２に対して、受信したセンサＯＮ・ＯＦＦ情報に基づいて遊技台島１００の状態を示す島状態通知情報を送信する（ＰＳ６−０５）。
【０２８７】
そして管理端末装置２は、受信した島状態通知情報に基づいて、制御部２１のＲＡＭ２１ｃに設けられ、遊技場内の全ての遊技台島１００の状態を示す情報を記憶する状態テーブルを更新する（ＰＳ６−０６）。尚、島状態通知情報を受信できない遊技台島１００については、この遊技台島１００内の装置全てを「異常」として状態テーブルを更新する。
【０２８８】
［島状態表示処理］
次に、遊技台島１００の状態を表示するために遊技台稼働監視システム１が行う処理（以下、島状態表示処理という）の動作を図５５を用いて説明する。図５５は島状態表示処理を表すパケットシーケンスチャートである。
【０２８９】
まず、島状態表示ボタンＨ０１１４が押下されると、管理端末装置２は、表示パネル２２ｂ（図３参照）の表示を島状態表示画面に遷移させる（ＰＳ７−０１）。そして、状態テーブルに記憶された情報に基づいて各遊技台島１００の状態を表示パネル２２ｂに表示させる（ＰＳ７−０２）。
【０２９０】
図７１は、管理端末装置２の表示パネル２２ｂに表示される島状態表示画面Ｇ０２の説明図である。
島状態表示画面Ｇ０２には、図７１に示すように、遊技台島１００毎（図７１では、島番１〜１２の１２台）に各装置の状態を色分けで表示する装置状態表示ボックスＨ０２０１と、装置状態表示ボックスＨ０２０１の判例を表示する状態色分け判例表示Ｈ０２０２と、交換が必要な布ベルトの本数を表示する布ベルト交換本数表示Ｈ０２０３と、通信異常が発生している島数を表示する通信異常島数表示Ｈ０２０４と、遊技台島１００毎の玉量を表示する玉量表示ボックスＨ０２０５と、装置状態表示ボックスＨ０２０１を前に移動表示する場合に押下される前ボタンＨ０２０６と、装置状態表示ボックスＨ０２０１を次に移動表示する場合に押下される次ボタンＨ０２０７と、ベルト交換期限に達した場合にのみ表示され、ベルト交換画面Ｇ０４（後述）を表示する場合に押下されるＶベルト交換ボタンＨ０２０８及び皮ベルト交換ボタンＨ０２０９と、夜間監視画面Ｇ０５（後述）を表示する場合に押下される夜間監視ボタンＨ０２１０等が表示される。
【０２９１】
尚、上述したように、管理端末装置２は、表示パネル２２ｂの表示画面上に表示される各種ボタンを押下する操作が行われると、その旨を示す信号をネットワークアダプタ３へ送信するように構成されている。
【０２９２】
また、装置状態表示ボックスＨ０２０１では、装置異常が発生している装置に該当する
欄を例えば赤色で塗りつぶして、警告表示するようにされており（例えば、島番５の還元機の異常を表示する装置異常警告表示Ｈ０２１１を参照）、装置異常警告表示Ｈ０２１１が押下されると、図７２に示すような異常詳細表示画面Ｇ０３に遷移する。
【０２９３】
図７２は、管理端末装置２の表示パネル２２ｂに表示される異常詳細表示画面Ｇ０３の説明図である。異常詳細表示画面Ｇ０３には、図７２に示すように、異常の発生日時、復旧日時、島番、種別及び発生内容を表示する異常履歴ボックスＨ０３０１と、異常内容の説明と対処方法等を表示する異常詳細表示Ｈ０３０２等が表示される。
【０２９４】
また図７１に戻り、島状態表示画面Ｇ０２のＶベルト交換ボタンＨ０２０８または皮ベルト交換ボタンＨ０２０９が押下されると、図７３に示すようなベルト交換画面Ｇ０４に遷移する。
【０２９５】
図７３は、管理端末装置２の表示パネル２２ｂに表示されるベルト交換画面Ｇ０４の説明図である。ベルト交換画面Ｇ０４には、図７３に示すように、遊技台島１００毎にＶベルトの使用開始日を入力・表示するためのＶベルト使用開始日入力テキストボックスＨ０４０１と、遊技台島１００毎にレシコンベルトの使用開始日を入力・表示するためのレシコンベルト使用開始日入力テキストボックスＨ０４０２と、交換が必要なＶベルトの本数を表示するＶベルト交換本数表示Ｈ０４０３と、交換が必要なレシコンベルトの本数を表示するレシコンベルト交換本数表示Ｈ０４０４と、設定した内容をネットワークアダプタ３に保存する場合に押下される設定保存ボタンＨ０４０５と、ベルト交換を促す文章を表示するヘルプ表示Ｈ０４０６等が表示される。
【０２９６】
尚、Ｖベルト使用開始日入力テキストボックスＨ０４０１及びレシコンベルト使用開始日入力テキストボックスＨ０４０２では、ベルト交換が必要な遊技台島１００に該当する欄が例えば赤色で塗りつぶされて、警告表示するようにされている（例えば、Ｖベルト使用開始日入力テキストボックスＨ０４０１の島番５，６，７に対応する欄を参照）。
【０２９７】
また図７１に戻り、島状態表示画面Ｇ０２の夜間監視ボタンＨ０２１０が押下されると、図７４に示すような夜間監視画面Ｇ０５に遷移する。
図７４は、管理端末装置２の表示パネル２２ｂに表示される夜間監視画面Ｇ０５の説明図である。夜間監視画面Ｇ０５には、図７４に示すように、夜間監視中に発生した異常の発生履歴を表示する夜間監視履歴表示Ｈ０４１１と、夜間監視履歴表示Ｈ０４１１の表示内容を選択する場合に押下される表示内容選択ボタン群Ｈ０４１２、表示画面の遷移先を選択する場合に押下される遷移画面選択ボタン群Ｈ０４１３等が表示される。尚、夜間監視中に発生した異常の発生履歴データを消去するための専用のパスワードを設け、該パスワードを遊技場を監視する第三者が保管することで、不正を監視するようにしてもよい。
【０２９８】
［発生履歴取得処理］
次に、遊技台島１００における異常発生履歴情報を取得するために遊技台稼働監視システム１が行う処理（以下、発生履歴取得処理という）の動作を図５６〜図６１を用いて説明する。図５６〜図６１は発生履歴取得処理の第１〜第６の部分を表すパケットシーケンスチャートである。
【０２９９】
まず、島コントロール制御ユニット装置５は、遊技台島１００に設置された各種センサから、この各種センサがＯＮまたはＯＦＦであるかを示すセンサＯＮ・ＯＦＦ情報を５００ミリ秒毎に受信する（ＰＳ８−０３）。これら各種センサの中で遊技台島１００内の異常を検出するセンサ（不図示）（以下、異常センサという）がＯＦＦ（ＰＳ８−０１）からＯＮ（ＰＳ８−０２）になると、島コントロール制御ユニット装置５は異常を検出し（
ＰＳ８−０４）、島情報表示装置８に対して、受信したセンサＯＮ・ＯＦＦ情報に基づいて異常を検出した旨を示す島情報表示装置表示情報を送信する（ＰＳ８−０５）。これにより島情報表示装置８は、異常を検出した旨を表示する（ＰＳ８−０６）。
【０３００】
更に島コントロール制御ユニット装置５は、操作スイッチ群装置６に対して、受信したセンサＯＮ・ＯＦＦ情報に基づいて異常を検出した旨を示す異常表示情報を送信する（ＰＳ８−０７）。これにより操作スイッチ群装置６は、７セグＬＥＤ５６ａ，５７ａ，５８ａ，５９ａ，６０ａ（図９参照）に異常を検出した旨を表示させる（ＰＳ８−０８）。
【０３０１】
また島コントロール制御ユニット装置５は、煙感知センサ（不図示）がＯＦＦからＯＮになると、遊技台島１００の環境に異常が発生したと検出し（ＰＳ８−０９）、ネットワークアダプタ３に対して、遊技台島１００の環境に異常が発生した旨を示す発生通知情報を送信する（ＰＳ８−１０）。
【０３０２】
そしてネットワークアダプタ３は、ネットワークアダプタ３内に設けられ、遊技場内の全ての遊技台島１００で発生した異常の履歴を示す情報を記憶する発生履歴テーブルに、受信した発生通知情報（つまり、異常の内容を示す情報）を蓄積する（ＰＳ８−１１）。尚、受信した発生通知情報を蓄積する際に、この発生通知情報には、異常が発生した時刻を示す時刻情報が付加される。更にネットワークアダプタ３は、発生履歴テーブルの最新レコード位置をポイントし（ＰＳ８−１２）、島コントロール制御ユニット装置５に対して、発生通知情報を受信した旨を示す発生通知応答情報を送信する（ＰＳ８−１３）。
【０３０３】
次に、島コントロール制御ユニット装置５は、遊技台島１００に設置された各種センサ（不図示）から、この各種センサがＯＮまたはＯＦＦであるかを示すセンサＯＮ・ＯＦＦ情報を５００ミリ秒毎に受信し（ＰＳ８−１５）、異常センサ（不図示）がＯＮ（ＰＳ８−０２）からＯＦＦ（ＰＳ８−１４）になると、異常復旧を検出し（ＰＳ８−１６）、島情報表示装置８に対して、受信したセンサＯＮ・ＯＦＦ情報に基づいて異常復旧を検出した旨を示す島情報表示装置表示情報を送信する（ＰＳ８−１７）。これにより島情報表示装置８は、異常を検出した旨の表示を解除する（ＰＳ８−１８）。
【０３０４】
更に島コントロール制御ユニット装置５は、操作スイッチ群装置６に対して、受信したセンサＯＮ・ＯＦＦ情報に基づいて異常復旧を検出した旨を示す異常表示情報を送信する（ＰＳ８−１９）。これにより操作スイッチ群装置６は、７セグＬＥＤ５６ａ，５７ａ，５８ａ，５９ａ，６０ａ（図９参照）に異常を検出した旨の表示を解除させる（ＰＳ８−２０）。
【０３０５】
また島コントロール制御ユニット装置５は、煙感知センサ（不図示）がＯＮからＯＦＦになると、遊技台島１００の環境異常が復旧したと検出し（ＰＳ８−２１）、ネットワークアダプタ３に対して、環境異常が復旧した旨を示す発生通知情報を送信する（ＰＳ８−２２）。
【０３０６】
そしてネットワークアダプタ３は、発生履歴テーブルに、受信した発生通知情報（つまり、環境異常が復旧したことを示す情報）を蓄積する（ＰＳ８−２３）。尚、受信した発生通知情報を蓄積する際に、この発生通知情報には、環境異常が復旧した時刻を示す時刻情報が付加される。更にネットワークアダプタ３は、発生履歴テーブルの最新レコード位置をポイントし（ＰＳ８−２４）、島コントロール制御ユニット装置５に対して、発生通知情報を受信した旨を示す発生通知応答情報を送信する（ＰＳ８−２５）。
【０３０７】
また、島コントロール制御ユニット装置５は、遊技台島１００に設置された各種センサ（不図示）から、この各種センサがＯＮまたはＯＦＦであるかを示すセンサＯＮ・ＯＦＦ
情報を５秒毎に受信し（ＰＳ８−２８、ＰＳ８−３５、ＰＳ８−４３、ＰＳ８−５０）、煙感知センサ（不図示）以外の異常センサ（不図示）がＯＦＦ（ＰＳ８−２６）からＯＮ（ＰＳ８−２７）になると、島コントロール制御ユニット装置５は異常を検出し（ＰＳ８−２９）、ネットワークアダプタ３に対して、遊技台島１００に異常が発生した旨を示す発生通知情報を送信する（ＰＳ８−３０）。
【０３０８】
そしてネットワークアダプタ３は、発生履歴テーブルに、受信した発生通知情報（つまり、異常の内容を示す情報）を蓄積する（ＰＳ８−３１）。尚、受信した発生通知情報を蓄積する際に、この発生通知情報には、異常が発生した時刻を示す時刻情報が付加される。更にネットワークアダプタ３は、発生履歴テーブルの最新レコード位置をポイントし（ＰＳ８−３２）、島コントロール制御ユニット装置５に対して、発生通知情報を受信した旨を示す発生通知応答情報を送信する（ＰＳ８−３３）。
【０３０９】
更に島コントロール制御ユニット装置５は、煙感知センサ（不図示）以外の異常センサ（不図示）がＯＮ（ＰＳ８−２７）からＯＦＦ（ＰＳ８−３４）になると、異常復旧を検出し（ＰＳ８−３６）、ネットワークアダプタ３に対して、異常が復旧した旨を示す発生通知情報を送信する（ＰＳ８−３７）。
【０３１０】
そしてネットワークアダプタ３は、発生履歴テーブルに、受信した発生通知情報（つまり、異常が復旧したことを示す情報）を蓄積する（ＰＳ８−３８）。尚、受信した発生通知情報を蓄積する際に、この発生通知情報には、異常が復旧した時刻を示す時刻情報が付加される。更にネットワークアダプタ３は、発生履歴テーブルの最新レコード位置をポイントし（ＰＳ８−３９）、島コントロール制御ユニット装置５に対して、発生通知情報を受信した旨を示す発生通知応答情報を送信する（ＰＳ８−４０）。
【０３１１】
また、還元機扉及び点検扉等の開放を検出するセンサ（不図示）（以下、開放センサという）がＯＦＦ（ＰＳ８−４１）からＯＮ（ＰＳ８−４２）になると、島コントロール制御ユニット装置５は開放を検出し（ＰＳ８−４４）、ネットワークアダプタ３に対して、還元機扉及び点検扉等が開放した旨を示す発生通知情報を送信する（ＰＳ８−４５）。
【０３１２】
そしてネットワークアダプタ３は、発生履歴テーブルに、受信した発生通知情報（つまり、開放の内容を示す情報）を蓄積する（ＰＳ８−４６）。尚、受信した発生通知情報を蓄積する際に、この発生通知情報には、開放が発生した時刻を示す時刻情報が付加される。更にネットワークアダプタ３は、発生履歴テーブルの最新レコード位置をポイントし（ＰＳ８−４７）、島コントロール制御ユニット装置５に対して、発生通知情報を受信した旨を示す発生通知応答情報を送信する（ＰＳ８−４８）。
【０３１３】
更に島コントロール制御ユニット装置５は、開放センサ（不図示）がＯＮ（ＰＳ８−４２）からＯＦＦ（ＰＳ８−４９）になると、開放復旧を検出し（ＰＳ８−５１）、ネットワークアダプタ３に対して、開放が復旧した旨を示す発生通知情報を送信する（ＰＳ８−５２）。
【０３１４】
そしてネットワークアダプタ３は、発生履歴テーブルに、受信した発生通知情報（つまり、開放が復旧したことを示す情報）を蓄積する（ＰＳ８−５３）。尚、受信した発生通知情報を蓄積する際に、この発生通知情報には、開放が復旧した時刻を示す時刻情報が付加される。更にネットワークアダプタ３は、発生履歴テーブルの最新レコード位置をポイントし（ＰＳ８−５４）、島コントロール制御ユニット装置５に対して、発生通知情報を受信した旨を示す発生通知応答情報を送信する（ＰＳ８−５５）。
【０３１５】
［発生履歴表示処理］
次に、遊技台島１００における発生履歴を表示するために遊技台稼働監視システム１が行う処理（以下、発生履歴表示処理という）の動作を図６２を用いて説明する。図６２は発生履歴表示処理を表すパケットシーケンスチャートである。
【０３１６】
まず、管理端末装置２は、ネットワークアダプタ３から発生履歴テーブルの最新レコードを３秒毎に取得する（ＰＳ９−０１）。そして、現在の発生履歴テーブルの最新レコードと（ＰＳ９−０１）で取得した最新レコードとに差分がない場合には、異常・開放の発生がないため処理を行わない（ＰＳ９−０２）。
【０３１７】
一方、ネットワークアダプタ３は、島コントロール制御ユニット装置５から、異常・開放が発生した旨を示す発生通知情報を受信すると（ＰＳ９−０３）、発生履歴テーブルを更新する（ＰＳ９−０４）。
【０３１８】
その後、管理端末装置２が、ネットワークアダプタ３から発生履歴テーブルの最新レコードを取得すると（ＰＳ９−０５）、現在の発生履歴テーブルの最新レコードと（ＰＳ９−０５）で取得した最新レコードとに差分があるため（ＰＳ９−０６）、管理端末装置２は、ネットワークアダプタ３から、該当する異常・開放を示す情報を取得する（ＰＳ９−０７）。
【０３１９】
そして、図４に示す島履歴ボタンＨ０１１６が押下されると島履歴画面Ｇ０６に遷移し、発生履歴テーブルに記憶された情報に基づいて、発生履歴を表示パネル２２ｂ（図３参照）に表示させる。
【０３２０】
図７５は、管理端末装置２の表示パネル２２ｂに表示される島履歴画面Ｇ０６の説明図である。島履歴画面Ｇ０６には、図７５に示すように、履歴の、発生日時、復旧日時、島番、種別及び発生内容を表示する島履歴リストＨ０５０１と、島履歴リストＨ０５０１に発生履歴のみを表示させる場合に押下される発生履歴表示ボタンＨ０５０２と、島履歴リストＨ０５０１に管理履歴のみを表示させる場合に押下される管理履歴表示ボタンＨ０５０３と、島履歴リストＨ０５０１に発生履歴と管理履歴を表示させる場合に押下される全件表示ボタンＨ０５０４と、島履歴リストＨ０５０１を前に移動表示する場合に押下される前ボタンＨ０５０５と、島履歴リストＨ０５０１を次に移動表示する場合に押下される次ボタンＨ０５０６等が表示される。
【０３２１】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３２２】
［台状態取得処理］
次に、遊技台１２０の状態についての情報を取得するために遊技台稼働監視システム１が行う処理（以下、台状態取得処理という）の動作を図６３を用いて説明する。図６３は台状態取得処理を表すパケットシーケンスチャートである。
【０３２３】
まず、通信基板４は、台Ｉ／Ｏ基板７から、この台Ｉ／Ｏ基板７に接続された遊技台１２０の状態を示す台入力情報を受信すると（ＰＳ１０−０１）、通信基板４内に設けられ、遊技場内の全ての遊技台１２０の状態についての情報を記憶する台入力テーブルを更新する（ＰＳ１０−０２）。
【０３２４】
また、島コントロール制御ユニット装置５は、通信基板４に対して、台入力テーブルに記憶された情報を要求するための台入力テーブル問合わせ情報を５秒毎に送信する（ＰＳ１０−０３）。更に通信基板４は、台入力テーブル問合わせ情報を受信すると、台入力テ
ーブルに記憶された情報（以下、台入力テーブル情報という）を島コントロール制御ユニット装置５へ送信する（ＰＳ１０−０４）。
【０３２５】
そして島コントロール制御ユニット装置５は、受信した台入力テーブル情報を保持し（ＰＳ１０−０５）、例えば、サンドメダル状態に前回受信時から変化がある場合には（ＰＳ１０−０６）、サンドメダルが不足している旨を示す島情報表示装置表示情報を送信する（ＰＳ１０−０７）。これにより島情報表示装置８（図１０参照）は、サンドメダルが不足している旨を表示する（ＰＳ１０−０８）。これにより、複数のサンドメダル不足を一括で確認することができるため、サンドメダルが不足している数に合わせて事前に他の店員に応援を依頼することができ、スムーズにサンドメダル補給作業を行うことができる。
【０３２６】
［台状態表示処理］
次に、遊技台１２０の状態を表示するために遊技台稼働監視システム１が行う処理（以下、台状態表示処理という）の動作を図６４を用いて説明する。図６４は台状態表示処理を表すパケットシーケンスチャートである。
【０３２７】
図７１に示す夜間監視ボタンＨ０２１０が押下されると、管理端末装置２は、表示パネル２２ｂ（図３参照）の表示を夜間監視画面Ｇ０５に遷移させる（ＰＳ１１−０１）。そして、ホールコンピュータの機能を使用して台状態の履歴を表示する（ＰＳ１１−０２）。
【０３２８】
［動作条件設定・表示処理］
次に、動作条件の設定と表示を行うために遊技台稼働監視システム１が行う処理（以下、動作条件設定・表示処理という）の動作を図６５を用いて説明する。図６５は動作条件設定・表示処理を表すパケットシーケンスチャートである。
【０３２９】
まず、動作条件設定ボタンＨ０１１７が押下されると、管理端末装置２は、表示パネル２２ｂ（図３参照）の表示を動作条件設定画面の島全体設定シートＧ０７に遷移させ（ＰＳ１２−０１）、ネットワークアダプタ３から動作条件を示す情報を取得する（ＰＳ１２−０２）。そして、取得した情報に基づいて、表示パネル２２ｂに動作条件を表示させる（ＰＳ１２−０３）。
【０３３０】
図７６は、管理端末装置２の表示パネル２２ｂに表示される動作条件設定画面Ｇ０７の説明図である。島全体設定シートＧ０７には、図７６に示すように、動作条件設定画面の島全体設定シートＧ０７を表示する場合に押下される島全体設定ボタンＨ０６０１と、動作条件設定画面のベルト設定シートＧ０８を表示する場合に押下されるベルト設定ボタンＨ０６０２と、動作条件設定画面の島別設定１シートＧ０９を表示する場合に押下される島別設定１ボタンＨ０６０３と、動作条件設定画面の島別設定２シートＧ１０を表示する場合に押下される島別設定２ボタンＨ０６０４と、動作条件設定画面の島別設定３シートＧ１１を表示する場合に押下される島別設定３ボタンＨ０６０５と、動作条件設定画面のダウンロードシートＧ１２を表示する場合に押下されるダウンロードボタンＨ０６０６と、３種類の島タイプの中から１つの島タイプを選択する場合に押下される島タイプ設定ボタンＨ０６０７と、玉抜きストッパー２３０の動作時間を表示する玉抜きストッパー動作時間表示Ｈ０６０８と、玉抜きストッパー動作時間表示Ｈ０６０８の数値に「１５」を加算して玉抜きストッパー動作時間表示Ｈ０６０８に表示する場合に押下される玉抜きストッパー動作時間加算ボタンＨ０６０９と、玉抜きストッパー動作時間表示Ｈ０６０８の数値から「１５」を減算して玉抜きストッパー動作時間表示Ｈ０６０８に表示する場合に押下される玉抜きストッパー動作時間減算ボタンＨ０６１０と、ヒータ２２０の設定温度を入力・表示するためのヒータ温度入力テキストボックスＨ０６１１と、設定した内容をネ
ットワークアダプタ３に保存する場合に押下される設定保存ボタンＨ０６１２と、テキストなどにカーソルが当っているときに、入力を助言する文章を表示するヘルプ表示Ｈ０６１３等が表示される。
【０３３１】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３３２】
更に、ベルト設定ボタンＨ０６０２が押下されると、図７７に示すような、動作条件設定画面のベルト設定シートＧ０８に遷移する。図７７は、管理端末装置２の表示パネル２２ｂに表示されるベルト設定シートＧ０８の説明図である。ベルト設定シートＧ０８には、図７７に示すように、遊技台島１００毎にＶベルトの使用開始日を入力・表示するためのＶベルト使用開始日入力テキストボックスＨ０７０１と、遊技台島１００毎にレシコンベルトの使用開始日を入力・表示するためのレシコンベルト使用開始日入力テキストボックスＨ０７０２と、設定した内容をネットワークアダプタ３に保存する場合に押下される設定保存ボタンＨ０７０３と、テキストなどにカーソルが当っているときに、入力を助言する文章を表示するヘルプ表示Ｈ０７０４等が表示される。
【０３３３】
また図７６に戻り、島別設定１ボタンＨ０６０３が押下されると、図７８に示すような、動作条件設定画面の島別設定１シートＧ０９に遷移する。図７８は、管理端末装置２の表示パネル２２ｂに表示される島別設定１シートＧ０９の説明図である。島別設定１シートＧ０９には、ネットワークアダプタ３と通信基板４のアドレスを遊技台島１００毎に入力・表示するためのアドレス設定入力テキストボックスＨ０８０１と、島コントロール制御ユニット装置５のアドレスを遊技台島１００毎に表示する島コンアドレス表示Ｈ０８０２と、設定した内容をネットワークアダプタ３に保存する場合に押下される設定保存ボタンＨ０８０３と、テキストなどにカーソルが当っているときに、入力を助言する文章を表示するヘルプ表示Ｈ０８０４等が表示される。
【０３３４】
また図７６に戻り、島別設定２ボタンＨ０６０４が押下されると、図７９に示すような、動作条件設定画面の島別設定２シートＧ１０に遷移する。図７９は、管理端末装置２の表示パネル２２ｂに表示される島別設定２シートＧ１０の説明図である。島別設定２シートＧ１０には、還元機２００の高さを遊技台島１００毎に入力・表示するための還元機高さ設定入力テキストボックスＨ０９０１と、玉抜きストッパー２３０やヒータ２２０等の各種装置の有無を遊技台島１００毎に入力・表示するための装置有無入力テキストボックスＨ０９０２と、設定した内容をネットワークアダプタ３に保存する場合に押下される設定保存ボタンＨ０９０３と、テキストなどにカーソルが当っているときに、入力を助言する文章を表示するヘルプ表示Ｈ０９０４等が表示される。
【０３３５】
また図７６に戻り、島別設定３ボタンＨ０６０５が押下されると、図８０に示すような、動作条件設定画面の島別設定３シートＧ１１に遷移する。図８０は、管理端末装置２の表示パネル２２ｂに表示される島別設定３シートＧ１１の説明図である。島別設定３シートＧ１１には、吸殻回収装置、ジェットカウンタ等の装置の有無を遊技台島１００毎に入力・表示するための装置有無入力テキストボックスＨ１００１と、設定した内容をネットワークアダプタ３に保存する場合に押下される設定保存ボタンＨ１００２と、テキストなどにカーソルが当っているときに、入力を助言する文章を表示するヘルプ表示Ｈ１００３等が表示される。
【０３３６】
尚、上記の動作条件設定画面の島全体設定シートＧ０７、ベルト設定シートＧ０８、島別設定１シートＧ０９、島別設定２シートＧ１０及び島別設定３シートＧ１１が表示されている場合に、設定を変更したが、設定保存せずに別画面に移動する操作を行うと、図８
４（ａ）に示すように、「設定が保存されていません。破棄しますか？」と確認するダイアローグＤ０４が表示される。
【０３３７】
また、設定ファイルをネットワークアダプタ３から取得し、データを画面に表示するまでの間には、図８４（ｂ）に示すように、「データ読み込み中です。しばらくお待ちください。」と記載されたダイアローグＤ０５が表示される。
【０３３８】
また、設定したデータを設定ファイルとしてネットワークアダプタ３に保存するまでの間には、図８４（ｃ）に示すように、「データ書き込み中です。しばらくお待ちください。」と記載されたダイアローグＤ０６が表示される。
【０３３９】
また、上記の動作条件設定画面の島別設定２シートＧ１０が表示されている場合に、還元機高さ設定入力テキストボックスＨ０９０１内に規定値以外の値が入力されたときには、図８４（ｄ）に示すように、「還元機の高さ設定が正しくありません。それでも設定しますか？」と確認するダイアローグＤ０７が表示される。
【０３４０】
また図７６に戻り、ダウンロードボタンＨ０６０６が押下されると、図８１に示すような、動作条件設定画面のダウンロードシートＧ１２に遷移する。図８１は、管理端末装置２の表示パネル２２ｂに表示されるダウンロードシートＧ１２の説明図である。ダウンロードシートＧ１２には、島コントロール制御ユニット装置５へのダウンロードを全島一斉に行う設定とする場合に押下されるダウンロード全体一斉ボタンＨ１１０１と、島コントロール制御ユニット装置５へのダウンロードを指定した遊技台島１００のみに行う設定とする場合に押下されるダウンロード指定島コンボタンＨ１１０２と、指定した遊技台島１００の番号を入力・表示するためのダウンロード指定島番号入力テキストボックスＨ１１０３と、ダウンロードを実行する場合に押下されるダウンロード実行ボタンＨ１１０４と、テキストなどにカーソルが当っているときに、入力を助言する文章を表示するヘルプ表示Ｈ１１０５等が表示される。
【０３４１】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３４２】
また図６５に戻り、設定保存ボタンＨ０６１２（図７６参照），Ｈ０７０３（図７７参照），Ｈ０８０３（図７８参照），Ｈ０９０３（図７９参照），Ｈ１００２（図８０参照）が押下されると（ＰＳ１２−０４）、管理端末装置２は、設定した動作条件を示す情報（以下、動作条件設定情報という）をネットワークアダプタ３へ送信する（ＰＳ１２−０５）。そして、ネットワークアダプタ３は、動作条件設定情報を受信すると、受信した動作条件設定情報をファイルに保存する（ＰＳ１２−０６）。
【０３４３】
更に、動作条件設定画面のダウンロードシートＧ１２のダウンロード実行ボタンＨ１１０４が押下されると（ＰＳ１２−０７）、図８３（ａ）に示すように、暗証番号の入力を要求するダイアローグＤ０２が表示され、正しい暗証番号が入力されると、図８２に示すように、ダウンロード中であることを示すダイアローグＤ０１が表示され（ＰＳ１２−０８）、この時、画面操作は無効化される。尚、ダウンロード実行ボタンＨ１１０４が押下された時点で、ダウンロードの対象となる遊技台島１００において停止していない装置がある場合には、図８３（ｂ）に示すように、「装置が停止していませんがダウンロードの実行を行いますか？」と確認するダイアローグＤ３が表示され、ダウンロードの実行を行う操作を行った場合には、上記の暗証番号入力ダイアローグが表示されて、ダウンロードのための処理が進行する。
【０３４４】
また図６５に戻り、ダウンロード中であることを示すダイアローグが表示された後に、管理端末装置２は、ネットワークアダプタ３に対して、ダウンロードの実施を指示するためのダウンロード実施情報を送信する（ＰＳ１２−０９）。そしてネットワークアダプタ３は、ダウンロード実施情報を受信すると、ファイルに保存した動作条件設定情報を島コントロール制御ユニット装置５にダウンロードする（ＰＳ１２−１０）。
【０３４５】
その後、ネットワークアダプタ３は、管理端末装置２に対して、ダウンロード実施情報を受信した旨を示すダウンロード実施応答情報を送信する（ＰＳ１２−１１）。そして管理端末装置２は、ダウンロード実施応答情報を受信すると、表示パネル２２ｂ上に表示された「ダウンロード中」ダイアローグＤ０１の表示を解除するとともに、画面操作無効化を解除する（ＰＳ１２−１２）。
【０３４６】
［手動／リモートモード切替え処理］
次に、手動モードとリモートモードとの切替えを行うために遊技台稼働監視システム１が行う処理（以下、手動／リモートモード切替え処理という）の動作を図６６を用いて説明する。図６６は手動／リモートモード切替え処理を表すパケットシーケンスチャートである。
【０３４７】
還元機扉が閉鎖されている場合には、島コントロール制御ユニット装置５は、管理端末装置２からの指示を受付可能なリモートモードに設定される（ＰＳ１３−０１）。そして還元機扉が開放され、還元機扉の開放を検出するセンサ（不図示）がＯＦＦからＯＮになると（ＰＳ１３−０２）、島コントロール制御ユニット装置５は、管理端末装置２からの指示を受付不可とする手動モードに設定される（ＰＳ１３−０３）。その後、還元機扉が閉鎖され、還元機扉の開放を検出するセンサ（不図示）がＯＦＦになると（ＰＳ１３−０４）、島コントロール制御ユニット装置５は、リモートモードに設定される（ＰＳ１３−０５）。
【０３４８】
［リモート閉店後処理］
まず、リモートモード時に閉店後処理ボタンＨ０１０２が押下された時に遊技台稼働監視システム１が行う処理（以下、リモート閉店後処理という）の動作を図６７及び図６８を用いて説明する。図６７はリモート閉店後処理の前半部分、図６８はリモート閉店後処理の後半部分を表すパケットシーケンスチャートである。
【０３４９】
まず、閉店後処理ボタンＨ０１０２が押下されると（ＰＳ１４−０１）、管理端末装置２は表示パネル２２ｂ（図３参照）に「閉店後処理中」ダイアローグを表示する（ＰＳ１４−０２）。尚、この時、島情報表示装置８の表示画面となる液晶ディスプレイ（ＬＣＤ）８ａには、「停止中」または「運転中」と表示されている（ＰＳ１４−０３）。
【０３５０】
その後、管理端末装置２は、ネットワークアダプタ３に対して、「閉店後処理中」である旨を示す管理端末状態設定情報を送信する（ＰＳ１４−０４）。これにより、ネットワークアダプタ３は、管理端末装置２が「閉店後処理中」であることを認識する（ＰＳ１４−０５）。その後ネットワークアダプタ３は、管理端末装置２に対して、管理端末状態情報を受信した旨を示す管理端末状態設定応答情報を送信する（ＰＳ１４−０６）。
【０３５１】
そして管理端末装置２は、管理端末状態設定応答情報を受信すると、島コントロール制御ユニット装置５に対して、「閉店後処理中」である旨を示す管理端末定期通信情報を送信する（ＰＳ１４−０７）。島コントロール制御ユニット装置５は、管理端末定期通信情報を受信すると、島情報表示装置８に対して、「閉店後処理中」である旨を示す島情報表示装置情報を送信する（ＰＳ１４−０８）。これにより島情報表示装置８は、「閉店後処理中」と表示する（ＰＳ１４−０９）。
【０３５２】
また管理端末装置２は、遊技場内の遊技台島１００に設置された全ての島コントロール制御ユニット装置５に対して並列に、還元機２００を停止させる還元機ＯＦＦ情報を送信する（ＰＳ１４−１０）。これにより島コントロール制御ユニット装置５は、還元機２００を停止させる還元機ＯＦＦ処理を行う（ＰＳ１４−１１）。尚、この還元機ＯＦＦ処理は数秒で終了する。そして島コントロール制御ユニット装置５は、管理端末装置２に対して、還元機ＯＦＦＮ情報を受信した旨を示す還元機ＯＦＦ応答情報を送信する（ＰＳ１４−１２）。
【０３５３】
その後島コントロール制御ユニット装置５は、操作スイッチ群装置６に対して、還元機２００が停止している旨を示す情報を送信する（ＰＳ１４−１３）。これにより操作スイッチ群装置６は、還元機用操作部５１の２色ＬＥＤ５１ｂ（図９参照）を消灯させる（ＰＳ１４−１４）。
【０３５４】
また管理端末装置２は、遊技場内の遊技台島１００に設置された全ての島コントロール制御ユニット装置５から還元機ＯＦＦ応答情報を受信するか、還元機ＯＦＦ情報を送信してから１分経過したことを検出した（ＰＳ１４−１５）後に、管理端末装置２は、遊技場内の遊技台島１００に設置された全ての島コントロール制御ユニット装置５に対して並列に、布ベルト巻取り装置２４０を稼働させる布ベルト自動巻取りＯＮ情報を送信する（ＰＳ１４−１６）。これにより島コントロール制御ユニット装置５は、布ベルト巻取り装置２４０を稼働させる布ベルト自動巻取りＯＮ処理を行う（ＰＳ１４−１７）。尚、この布ベルト自動巻取りＯＮ処理は数秒で終了する。そして島コントロール制御ユニット装置５は、管理端末装置２に対して、布ベルト自動巻取りＯＮ情報を受信した旨を示す布ベルト自動巻取りＯＮ応答情報を送信する（ＰＳ１４−１８）。
【０３５５】
その後島コントロール制御ユニット装置５は、操作スイッチ群装置６に対して、布ベルト巻取り装置２４０が稼働している旨を示す情報を送信する（ＰＳ１４−１９）。これにより操作スイッチ群装置６は、玉抜きストッパー用操作部５３の２色ＬＥＤ５３ｂ（図９参照）を緑色に点灯させる（ＰＳ１４−２０）。
【０３５６】
また管理端末装置２は、遊技場内の遊技台島１００に設置された全ての布ベルト巻取り装置２４０から布ベルト自動巻取りＯＮ応答情報を受信するか、布ベルト自動巻取りＯＮ情報を送信してから１分経過したことを検出する（ＰＳ１４−２１）。
【０３５７】
その後、管理端末装置２は、ネットワークアダプタ３に対して、「停止中」である旨を示す管理端末状態設定情報を送信する（ＰＳ１４−２２）。これにより、ネットワークアダプタ３は、管理端末装置２が「停止中」であることを認識する（ＰＳ１４−２３）。その後ネットワークアダプタ３は、管理端末装置２に対して、管理端末状態情報を受信した旨を示す管理端末状態設定応答情報を送信する（ＰＳ１４−２４）。
【０３５８】
そして管理端末装置２は、管理端末状態設定応答情報を受信すると、島コントロール制御ユニット装置５に対して、「停止中」である旨を示す管理端末定期通信情報を送信する（ＰＳ１４−２５）。島コントロール制御ユニット装置５は、管理端末定期通信情報を受信すると、島情報表示装置８に対して、「停止中」である旨を示す島情報表示装置情報を送信する（ＰＳ１４−２６）。これにより島情報表示装置８は、「停止中」と表示する（ＰＳ１４−２７）。また管理端末装置２は、表示パネル２２ｂ上に表示された「閉店後処理中」ダイアローグの表示を解除する（ＰＳ１４−２８）。
【０３５９】
［夜間監視開始処理］
次に、夜間監視を開始するために遊技台稼働監視システム１が行う処理（以下、夜間監
視開始処理という）の動作を図６９を用いて説明する。図６９は夜間監視開始処理を表すパケットシーケンスチャートである。
【０３６０】
ネットワークアダプタ３は、ホール状態が「開店中」または「閉店中」であることを認識している時に（ＰＳ１５−０２）、認識しているホール状態に応じてホール状態が「開店中」または「閉店中」であることを示すホール状態フィラーを島コントロール制御ユニット装置５へ送信する（ＰＳ１５−０３）。尚、島コントロール制御ユニット装置５は、ホール状態フィラーによりホール状態を認識し、ホール状態が「夜間監視中」以外のときは管理端末定期通信による管理端末状態の表示を優先する。また、この時、島情報表示装置８の表示画面となる液晶ディスプレイ（ＬＣＤ）８ａ（図９参照）には、「停止中」または「運転中」と表示されている（ＰＳ１５−０１）。
【０３６１】
その後、管理端末装置２において電源ＯＦＦの操作がされると（ＰＳ１５−０４）、管理端末装置２は、表示パネル２２ｂ（図３参照）に「夜間監視開始」ダイアローグを表示する（ＰＳ１５−０５）。
【０３６２】
そして、管理端末装置２において夜間監視開始ボタンが押下されると（ＰＳ１５−０６）、管理端末装置２は、ホールコンピュータの機能による夜間監視を開始する旨を示す夜間監視開始情報を送信する（ＰＳ１５−０７）。これにより、ネットワークアダプタ３は、夜間監視を開始するとともに（ＰＳ１５−０９）、ホール状態が「夜間監視中」であることを認識する（ＰＳ１５−１０）。尚、管理端末装置２は、夜間監視開始情報を送信した後に、電源ＯＦＦとなる（ＰＳ１５−０８）。
【０３６３】
その後ネットワークアダプタ３は、ホール状態が「夜間監視中」であることを示すホール状態フィラーを島コントロール制御ユニット装置５へ送信する（ＰＳ１５−１１）。島コントロール制御ユニット装置５は、ホール状態フィラーによりホール状態を認識し、ホール状態が「夜間監視中」ときはホール状態の表示を優先する。そして、島情報表示装置８に対して、「夜間監視中」である旨を示す島情報表示装置情報を送信する（ＰＳ１５−１２）。これにより島情報表示装置８は、「夜間監視中」と表示する（ＰＳ１５−１３）（図８５（ｄ）の表示画面Ｇ２４を参照）。
【０３６４】
［夜間監視解除処理］
次に、夜間監視を解除するために遊技台稼働監視システム１が行う処理（以下、夜間監視解除処理という）の動作を図７０を用いて説明する。図７０は夜間監視解除処理を表すパケットシーケンスチャートである。
【０３６５】
ホール状態が「夜間監視中」であることをネットワークアダプタ３が認識している時に（ＰＳ１６−０１）、管理端末装置２において電源ＯＮになると（ＰＳ１６−０２）、ホールコンピュータの機能による夜間監視を解除する旨を示す夜間監視解除情報を送信する（ＰＳ１６−０３）。これにより、ネットワークアダプタ３は、夜間監視を解除するとともに（ＰＳ１６−０４）、ホール状態が「開店中」または「閉店中」であることを認識する（ＰＳ１６−０５）。
【０３６６】
その後ネットワークアダプタ３は、ホール状態が「開店中」または「閉店中」であることを示すホール状態フィラーを島コントロール制御ユニット装置５へ送信する（ＰＳ１６−０６）。尚、島コントロール制御ユニット装置５は、ホール状態が「夜間監視中」以外に戻ったときは「待機中」表示にして、管理端末定期通信を待つ。以後、管理端末定期通信による管理端末状態の表示を優先する。
【０３６７】
そしてネットワークアダプタ３は、島情報表示装置８に対して、「待機中」である旨を
示す島情報表示装置情報を送信する（ＰＳ１６−０７）。これにより島情報表示装置８は、「待機中」と表示する（ＰＳ１６−０８）（図８５（ｃ）の表示画面Ｇ２３を参照）。
【０３６８】
更に管理端末装置２は、島コントロール制御ユニット装置５に対して、「運転中」または「停止中」である旨を示す管理端末定期通信情報を送信する（ＰＳ１６−０９）。島コントロール制御ユニット装置５は、管理端末定期通信情報を受信すると、島情報表示装置８に対して、「運転中」または「停止中」である旨を示す島情報表示装置情報を送信する（ＰＳ１６−１０）。これにより島情報表示装置８は、「運転中」または「停止中」と表示する（ＰＳ１６−１１）。
【０３６９】
［手動モード時の遊技台稼働監視システム１が行う処理］
前述したように遊技台島の還元機扉または点検扉が開放状態の時には、島コントロール制御ユニット装置５は、管理端末装置２からの指示を受付不可とする手動モードに設定されるため、管理端末装置２から各種装置の稼動に関する情報を送信されたとしても、島コントロール制御ユニット装置５は何も処理を行わずに、応答信号を送信する。よって、遊技台島の還元機扉または点検扉を開放し、遊技台島内に設置された操作スイッチ群装置６を操作している状態で管理端末装置２からの指示に基づく各種装置の稼動を確実に防止することができる。
【０３７０】
このように構成された遊技台稼働監視システム１では、アウト玉計数器１２１によって、遊技台１２０で遊技するために利用された遊技玉が遊技台１２０毎に検出され、Ｓ１０の処理によって、１分間当たりに遊技台１２０から排出されたアウト玉数の値（１分間アウト計数値）が計数される。
【０３７１】
そして、Ｓ２０及びＳ７０の処理によって、１分間アウト計数値が、０より大きく、且つ最大発射遊技玉数より小さい不十分稼働判定値Ｋ５１未満である場合に、この遊技台１２０が不十分稼働状態であると判断され、更に、Ｓ１００の処理によって、不十分稼働状態の連続回数である不十分稼働連続判定カウンタＣ５１の値（不十分稼働連続判定値）が不十分稼働連続確定値Ｋ５２（本実施形態では４）以上となった場合に、この遊技台１２０が不十分稼働連続状態である旨が報知される（Ｓ１２０）。
【０３７２】
従って、不十分稼働状態であると判断される状態が連続して繰り返された場合に、不十分稼働連続状態である旨の報知が行われる。
このため、不正行為ではないのに一時的に、１分間アウト計数値が、０より大きく且不十分稼働判定値Ｋ５１未満となってしまう行為（例えば、玉貸し装置から遊技玉を借りるために一時的に遊技玉の発射を休止したり、大当りの信頼度が高いリーチを鑑賞しようとして玉発射を休止したりする行為）が行われたとしても、この行為に起因して不十分稼働状態であると判断される連続回数より不十分稼働連続確定値Ｋ５２を大きく設定すれば、確実に、体感器を利用した「止め打ち」などの不正行為を検出することができる。なぜならば、「止め打ち」は、一時的ではなく継続的に、単位時間当たりに発射される遊技玉の数を少なくする行為であるからである。
【０３７３】
そして、不十分稼働連続状態である旨は、台番一覧表示器７２により、遊技場内の遊技者に対して報知されるので、体感器を利用した「止め打ち」などの不正行為をしても直ぐに見つかってしまうことを遊技者に認識させることができ、「止め打ち」が行われること自体を抑止することができる。
【０３７４】
従って、体感器を利用した「止め打ち」などの不正行為を検出して、その不正行為の排除を確実に行うことを可能にすることで、遊技場側の不利益を最小限に抑えることができ
るという極めて優れた効果を奏する。
【０３７５】
また、１分間アウト計数値が０に等しければ、この遊技台１２０が非稼働状態であると判断され（Ｓ２０）、この遊技台１２０が非稼働状態である旨が報知される（Ｓ５０）。このため、非稼働状態にある遊技台１２０を知らせることが可能になる。従って、例えば、遊技場内の遊技者に報知するようにすれば、遊技者は、遊技場内を歩き回ることなく容易に、非稼働状態にある遊技台１２０を探すことができる。
【０３７６】
また、１分間アウト計数値が不十分稼働判定値Ｋ５１以上である場合に、この遊技台１２０が稼働状態であると判断され（Ｓ７０）、この遊技台１２０が稼働状態である旨が報知される（Ｓ１６０）。このため、稼働状態にある遊技台１２０を知らせることが可能になる。従って、例えば、遊技場内の遊技者に報知するようにすれば、遊技者は、稼働状態にある遊技台１２０を除外することにより、遊技場を歩き回ることなく容易に非稼働状態にある遊技台１２０を探すことができる。
【０３７７】
また、遊技台１２０が大当り遊技提供中であり、且つ不十分稼働連続状態である場合に（Ｓ３５０，Ｓ３６０）、この遊技台１２０の座席付近が監視カメラ１０で撮像される（Ｓ３７０）。これにより、体感器を利用した「止め打ち」などの不正行為を行っている遊技者が誰であるかを特定するための情報を取得することができるという極めて優れた効果を奏する。更に、撮像を行う条件として、連続して不十分稼働状態（不十分稼働連続状態）になっていることだけでなく、大当り遊技提供中になっていることを追加しているため、監視カメラ１０が頻繁に撮像を行うことを抑制できる。
【０３７８】
また、遊技台１２０の機種毎に不十分稼働判定値Ｋ５１を設定するための判定値設定開始操作が操作部２２ａを介して行われ（Ｓ４１０）、機種に対応した不十分稼働判定値Ｋ５１を示す判定値設定情報が入力されると（Ｓ４３０）、該当する遊技台１２０の不十分稼働判定値Ｋ５１が判定値設定情報により示される値に変更される（Ｓ２２０）。このため、遊技台１２０の機種毎に適切な不十分稼働判定値Ｋ５１を設定することが可能になる。これにより、リーチ演出が多発する機種の遊技台１２０においてリーチ演出が連続することで、体感器を利用した「止め打ち」などの不正行為を行っていないのにもかかわらず不十分稼働状態を不十分稼働報知値に相当する回数連続して検出してしまうという誤検出が頻発したとしても、この機種の遊技台１２０についてのみ不十分稼働判定値Ｋ５１を小さく設定することによって、上記の誤検出を解消することができるという極めて優れた効果を奏する。
【０３７９】
また、遊技台１２０が不十分稼働連続状態である旨が報知された回数（不十分稼働受信値）を機種毎に集計し（Ｓ５２１）、更に、この回数が不適切報知判定値Ｋ２１（本実施形態では２０）以上となった場合に（Ｓ５３０）、この遊技台１２０の機種において不十分稼働判定値Ｋ５１の設定が不適切である旨が報知される（Ｓ５４０）。従って、不十分稼働判定値Ｋ５１の設定が不適切であるかを機種毎に確認することが可能になる。さらに、上記の誤検出が頻発して、不十分稼働連続状態である旨が報知された回数が不適切報知判定値Ｋ２１を越えた時点で不十分稼働判定値Ｋ５１の設定が不適切である旨が報知されるので、不十分稼働判定値Ｋ５１を早急に適切な値に設定することが可能になり、不十分稼働判定値Ｋ５１の設定が不適切である状態が長時間継続することを抑制できる。また、不十分稼働判定値Ｋ５１の設定が不適切である旨の報知があった後に不十分稼働判定値Ｋ５１を小さく設定することによって上記の誤検出を解消し、より確実に、不十分稼働連続状態（体感器を利用した「止め打ち」などの不正行為）を検出することができるという極めて優れた効果を奏する。
【０３８０】
以上説明した実施形態において、遊技台稼働監視システム１は本発明における遊技台稼
働監視装置、アウト玉計数器１２１は本発明における遊技玉検出手段、Ｓ１０の処理は本発明における単位時間当たり計数手段、Ｓ２０及びＳ７０の処理は本発明における不十分稼働判断手段、Ｓ１２０の処理は本発明における不十分稼働連続状態報知手段、最大発射遊技玉数は本発明における最大遊技玉数、Ｓ２０の処理における条件で用いられている判定値「０」は本発明における非稼働判定値、不適切報知判定値Ｋ２１は本発明における稼働判定値、不適切報知判定値Ｋ２１は本発明における不十分稼働報知値である。
【０３８１】
また、Ｓ２０の処理は本発明における非稼働判断手段、Ｓ５０の処理は本発明における非稼働状態報知手段、Ｓ７０の処理は本発明における稼働判断手段、Ｓ１６０の処理は本発明における稼働状態報知手段、Ｓ３７０の処理は本発明における撮像手段、操作部２２ａ及び図１５の判定値指示処理は本発明における設定入力手段、図１３の判定値設定処理は本発明における稼働判定値設定手段、Ｓ５２０の処理は本発明における不十分稼働報知計数手段、Ｓ５４０の処理は本発明における不適切設定報知手段、判定値設定指示情報は本発明における設定情報、不十分稼働連続判定カウンタＣ５１の値は本発明における不十分稼働報知回数、不適切報知判定値Ｋ２１は本発明における不適切報知値である。
【０３８２】
以上、本発明の一実施例について説明したが、本発明は上記実施例に限定されるものではなく、本発明の技術的範囲に属する限り種々の形態を採ることができる。
例えば上記実施形態においては、台番一覧表示器７２を用いることにより、不十分稼働連続状態である旨が遊技場内の遊技者に対して報知されるものを示したが、台番一覧表示器７２ではなく、例えば、遊技台島１００の島端に設置される代表ランプを用いて遊技場の店員に対してのみ報知するようにしてもよい。
【０３８３】
このように報知することによって、遊技場の店員は、連続して不十分稼働状態（不十分稼働連続状態）になっている遊技台１２０を知ることができ、店員がこの遊技台１２０の稼働状態を確認して、この遊技台１２０で遊技している者が実際に体感器を利用した「止め打ち」などの不正行為を行っているときには、遊技を禁止させることができる。従って、体感器を利用した「止め打ち」などの不正行為を検出して、その不正行為の排除を確実に行うことを可能にすることで、遊技場側の不利益を最小限に抑えることができるという極めて優れた効果を奏する。
【０３８４】
また、本発明では不十分稼動連続状態であり且つ特賞状態の遊技台を撮像する対象としたが、不十分稼動連続状態となった時点で撮像の対象としてもよい。
【図面の簡単な説明】
【０３８５】
【図１】遊技台稼働監視システム１の全体構成を示すブロック図である
【図２】遊技機島１００内における還元機２００、玉通路シャッター２１０等の配置を説明する図である。
【図３】管理端末装置２の内部構成を表すブロック図である。
【図４】一括操作画面Ｇ０１の説明図である。
【図５】島コントロール制御ユニット装置５の内部構成を表すブロック図である。
【図６】入出力端子部３３ｃ，３４ｃ，３５ｃ，３６ｃの構成の説明図である。
【図７】入出力端子部３７ｃの構成の説明図である。
【図８】操作スイッチ群装置６の正面図である。
【図９】操作スイッチ群装置６の内部構成を表すブロック図である。
【図１０】島情報表示装置８及び台情報表示装置９の正面図である。
【図１１】台情報表示装置９の内部構成を表すブロック図である。
【図１２】不十分稼働報知処理を表すフローチャートである。
【図１３】判定値設定処理を表すフローチャートである。
【図１４】不十分稼働監視処理を表すフローチャートである。
【図１５】判定値指示処理を表すフローチャートである。
【図１６】判定値不適切報知処理を表すフローチャートである。
【図１７】スイッチパネル側還元機稼働処理を表すフローチャートである。
【図１８】管理端末側還元機稼働処理を表すフローチャートである。
【図１９】スイッチパネル側還元機停止処理を表すフローチャートである。
【図２０】管理端末側還元機停止処理を表すフローチャートである。
【図２１】玉通路シャッター開放処理を表すフローチャートである。
【図２２】玉通路シャッター閉鎖処理を表すフローチャートである。
【図２３】還元機定期監視処理の前半部分を表すフローチャートである。
【図２４】還元機定期監視処理の後半部分を表すフローチャートである。
【図２５】玉通路シャッター定期監視処理を表すフローチャートである。
【図２６】スイッチパネル側ヒータ稼働処理を表すフローチャートである。
【図２７】管理端末側ヒータ稼働処理を表すフローチャートである。
【図２８】スイッチパネル側ヒータ停止処理を表すフローチャートである。
【図２９】管理端末側ヒータ停止処理を表すフローチャートである。
【図３０】ヒータ定期監視処理を表すフローチャートである。
【図３１】ヒータ制御処理を表すフローチャートである。
【図３２】スイッチパネル側玉抜きストッパー開放処理を表すフローチャートである。
【図３３】管理端末側玉抜きストッパー開放処理を表すフローチャートである。
【図３４】スイッチパネル側玉抜きストッパー閉鎖処理を表すフローチャートである。
【図３５】管理端末側玉抜きストッパー閉鎖処理を表すフローチャートである。
【図３６】玉抜きストッパー定期監視処理を表すフローチャートである。
【図３７】玉流れ異常処理を表すフローチャートである。
【図３８】玉漏れ異常処理を表すフローチャートである。
【図３９】スイッチパネル側布ベルト稼働処理を表すフローチャートである。
【図４０】管理端末側布ベルト稼働処理を表すフローチャートである。
【図４１】スイッチパネル側布ベルト停止処理を表すフローチャートである。
【図４２】管理端末側布ベルト停止処理を表すフローチャートである。
【図４３】布ベルト定期監視処理を表すフローチャートである。
【図４４】布ベルト巻取り処理を表すフローチャートである。
【図４５】緩み解消動作処理を表すフローチャートである。
【図４６】布ベルト・システム起動処理を表すフローチャートである。
【図４７】リモート開店前処理の第１の部分を表すパケットシーケンスチャートチャートである。
【図４８】リモート開店前処理の第２の部分を表すパケットシーケンスチャートである。
【図４９】リモート開店前処理の第３の部分を表すパケットシーケンスチャートである。
【図５０】リモート還元機ＯＮ・ＯＦＦ処理を表すパケットシーケンスチャートである。
【図５１】リモート玉抜きストッパーＯＮ・ＯＦＦ処理を表すパケットシーケンスチャートである。
【図５２】リモートヒータＯＮ・ＯＦＦ処理を表すパケットシーケンスチャートである。
【図５３】リモート布ベルト自動巻取りＯＮ・ＯＦＦ処理を表すパケットシーケンスチャートである。
【図５４】島状態取得処理を表すパケットシーケンスチャートである。
【図５５】島状態表示処理を表すパケットシーケンスチャートである。
【図５６】発生履歴取得処理の第１の部分を表すパケットシーケンスチャートである。
【図５７】発生履歴取得処理の第２の部分を表すパケットシーケンスチャートである。
【図５８】発生履歴取得処理の第３の部分を表すパケットシーケンスチャートである。
【図５９】発生履歴取得処理の第４の部分を表すパケットシーケンスチャートである。
【図６０】発生履歴取得処理の第５の部分を表すパケットシーケンスチャートである。
【図６１】発生履歴取得処理の第６の部分を表すパケットシーケンスチャートである。
【図６２】発生履歴表示処理を表すパケットシーケンスチャートである。
【図６３】台状態取得処理を表すパケットシーケンスチャートである。
【図６４】台状態表示処理を表すパケットシーケンスチャートである。
【図６５】動作条件設定・表示処理を表すパケットシーケンスチャートである。
【図６６】手動／リモートモード切替え処理を表すパケットシーケンスチャートである。
【図６７】リモート閉店後処理の前半部分を表すパケットシーケンスチャートである。
【図６８】リモート閉店後処理の後半部分を表すパケットシーケンスチャートである。
【図６９】夜間監視開始処理を表すパケットシーケンスチャートである。
【図７０】夜間監視解除処理を表すパケットシーケンスチャートである。
【図７１】島状態表示画面Ｇ０２の説明図である。
【図７２】異常詳細表示画面Ｇ０３の説明図である。
【図７３】ベルト交換画面Ｇ０４の説明図である。
【図７４】夜間監視画面Ｇ０５の説明図である。
【図７５】島履歴画面Ｇ０６の説明図である。
【図７６】島全体設定シートＧ０７の説明図である。
【図７７】ベルト設定シートＧ０８の説明図である。
【図７８】島別設定１シートＧ０９の説明図である。
【図７９】島別設定２シートＧ１０の説明図である。
【図８０】島別設定３シートＧ１１の説明図である。
【図８１】ダウンロードシートＧ１２の説明図である。
【図８２】ダウンロード中のダイアローグＤ０１の説明図である。
【図８３】ダウンロード前のダイアローグＤ０２，Ｄ０３の説明図である。
【図８４】動作条件設定画面でのダイアローグＤ０４〜Ｄ０７の説明図である。
【図８５】島情報表示装置８の表示画面Ｇ２１〜Ｇ２４の説明図である。
【符号の説明】
【０３８６】
１…遊技台稼働監視システム、２…管理端末装置、３…ネットワークアダプタ、４…通信基板、５…島コントロール制御ユニット装置、６…操作スイッチ群装置、７…台Ｉ／Ｏ基板、７ａ…島端Ｉ／Ｏ基板、８…島情報表示装置、９…台情報表示装置、１０…監視カメラ、２１…制御部、２１ａ…ＣＰＵ、２１ｂ…ＲＯＭ、２１ｃ…ＲＡＭ、２１ｄ…入出力部、２１ｅ…バス、２２…ユーザＩ／Ｆ、２２ａ…操作部、２２ｂ…表示パネル、２３…通信部、３１…メイン制御基板、３２ａ，３２ｂ，３２ｃ，３２ｄ，３２ｅ…コネクタケーブル、３３…第１サブ基板、３３ａ…サブ側コネクタ、３３ｂ…入出力回路、３３ｃ…入出力端子部、３４…第２サブ基板、３４ａ…サブ側コネクタ、３４ｂ…入出力回路、３４ｃ…入出力端子部、３５…第３サブ基板、３５ａ…サブ側コネクタ、３５ｂ…入出力回路、３５ｃ…入出力端子部、３６…第４サブ基板、３６ａ…サブ側コネクタ、３６ｂ…入出力回路、３６ｃ…入出力端子部、３７…第５サブ基板、３７ａ…サブ側コネクタ、３７ｂ…入出力回路、３７ｃ…入出力端子部、３８…状態確認用ＬＥＤ群、４１…制御部、４１ａ…ＣＰＵ、４１ｂ…ＲＯＭ、４１ｃ…ＲＡＭ、４１ｄ…入出力部、４１ｅ…バス、４２…リセットＩＣ、４３…電源供給部、４４…メイン側第１コネクタ、４５…メイン側第２コネクタ、４６…メイン側第３コネクタ、４７…ＬＥＤ駆動回路、５１…還元機用操作部、５１ａ…ボタン、５１ｂ…２色ＬＥＤ、５２…玉通路シャッター用操作部、５２ａ…ボタン、５２ｂ…２色ＬＥＤ、５３…玉抜きストッパー用操作部、５３ａ…ボタン、５３ｂ…２色ＬＥＤ、５４…ヒータ用操作部、５４ａ…ボタン、５４ｂ…２色ＬＥＤ、５５
…布ベルト巻取り装置用操作部、５５ａ…ボタン、５５ｂ…２色ＬＥＤ、５６…還元機用状態表示部、５６ａ…７セグＬＥＤ、５７…玉通路シャッター用状態表示部、５７ａ…７セグＬＥＤ、５８…玉抜きストッパー用状態表示部、５８ａ…７セグＬＥＤ、５９…ヒータ用状態表示部、５９ａ…７セグＬＥＤ、６０…布ベルト巻取り装置用状態表示部、６０ａ…７セグＬＥＤ、６１…布ベルト巻取り装置ブレーカ、６２…オーバーフロー確認用操作部、６２ａ…ボタン、６２ｂ…ＬＥＤ、６３…スイッチパネル、６５…入出力部、７１…台情報表示制御基板、７２…台番一覧表示器、７２ａ…台番号表示部、７２ｂ…状態表示部、７３…台番一覧表示器、７３ａ…台番号表示部、７３ｂ…状態表示部、８１…制御部、８１ａ…ＣＰＵ、８１ｂ…ＲＯＭ、８１ｃ…ＲＡＭ、８１ｄ…入出力部、８１ｅ…バス、８２…表示器駆動回路、８３…表示器駆動回路、１００…遊技台島、１０１…妻板、１１０…呼出ランプ装置、１２０…遊技台、１２１…アウト玉計数器、１３１…欄間開放センサ、１３２…内枠開放センサ、１４１…金庫開放センサ、１４２…両替機開放センサ、２００…還元機、２１０…玉通路シャッター、２２０…ヒータ、２３０…玉抜きストッパー、２４０…布ベルト巻取り装置
【図１】
2008113826.tif 000003
【図２】
2008113826.tif 000004
【図３】
2008113826.tif 000005
【図５】
2008113826.tif 000006
【図６】
2008113826.tif 000007
【図７】
2008113826.tif 000008
【図８】
2008113826.tif 000009
【図９】
2008113826.tif 000010
【図１０】
2008113826.tif 000011
【図１１】
2008113826.tif 000012
【図１２】
2008113826.tif 000013
【図１３】
2008113826.tif 000014
【図１４】
2008113826.tif 000015
【図１５】
2008113826.tif 000016
【図１６】
2008113826.tif 000017
【図１７】
2008113826.tif 000018
【図１８】
2008113826.tif 000019
【図１９】
2008113826.tif 000020
【図２０】
2008113826.tif 000021
【図２１】
2008113826.tif 000022
【図２２】
2008113826.tif 000023
【図２３】
2008113826.tif 000024
【図２４】
2008113826.tif 000025
【図２５】
2008113826.tif 000026
【図２６】
2008113826.tif 000027
【図２７】
2008113826.tif 000028
【図２８】
2008113826.tif 000029
【図２９】
2008113826.tif 000030
【図３０】
2008113826.tif 000031
【図３１】
2008113826.tif 000032
【図３２】
2008113826.tif 000033
【図３３】
2008113826.tif 000034
【図３４】
2008113826.tif 000035
【図３５】
2008113826.tif 000036
【図３６】
2008113826.tif 000037
【図３７】
2008113826.tif 000038
【図３８】
2008113826.tif 000039
【図３９】
2008113826.tif 000040
【図４０】
2008113826.tif 000041
【図４１】
2008113826.tif 000042
【図４２】
2008113826.tif 000043
【図４３】
2008113826.tif 000044
【図４４】
2008113826.tif 000045
【図４５】
2008113826.tif 000046
【図４６】
2008113826.tif 000047
【図４７】
2008113826.tif 000048
【図４８】
2008113826.tif 000049
【図４９】
2008113826.tif 000050
【図５０】
2008113826.tif 000051
【図５１】
2008113826.tif 000052
【図５２】
2008113826.tif 000053
【図５３】
2008113826.tif 000054
【図５４】
2008113826.tif 000055
【図５５】
2008113826.tif 000056
【図５６】
2008113826.tif 000057
【図５７】
2008113826.tif 000058
【図５８】
2008113826.tif 000059
【図５９】
2008113826.tif 000060
【図６０】
2008113826.tif 000061
【図６１】
2008113826.tif 000062
【図６２】
2008113826.tif 000063
【図６３】
2008113826.tif 000064
【図６４】
2008113826.tif 000065
【図６５】
2008113826.tif 000066
【図６６】
2008113826.tif 000067
【図６７】
2008113826.tif 000068
【図６８】
2008113826.tif 000069
【図６９】
2008113826.tif 000070
【図７０】
2008113826.tif 000071
【図８３】
2008113826.tif 000072
【図８４】
2008113826.tif 000073
【図８５】
2008113826.tif 000074
【図４】
2008113826.tif 000075
【図７１】
2008113826.tif 000076
【図７２】
2008113826.tif 000077
【図７３】
2008113826.tif 000078
【図７４】
2008113826.tif 000079
【図７５】
2008113826.tif 000080
【図７６】
2008113826.tif 000081
【図７７】
2008113826.tif 000082
【図７８】
2008113826.tif 000083
【図７９】
2008113826.tif 000084
【図８０】
2008113826.tif 000085
【図８１】
2008113826.tif 000086
【図８２】
2008113826.tif 000087